(57)【要約】  搾乳器を使用した母乳の抽出中に着用者が使用できる下着（例えば、ブラジャー）を提供するための装置が、本明細書に開示される。いくつかの実施形態では、下着（８００）は、１つ以上の開口部を画定する内側パネル（８７０）及び開口部を覆うことができる外側パネル（８６０）を含むことができる。開口部のそれぞれは、搾乳器の一部分を受け入れることができ、内側パネルは、母乳抽出中に搾乳器を支持できる。外側パネルは、外側パネルが、開口部（複数可）にアクセスするために内側パネルから少なくとも部分的に取り外すことができるように内側パネルに留め金（８５０）で取外し自在に結合できる。いくつかの実施形態では、内側パネルは、内側パネルを下着の残りの部分から部分的に取り外す及び／又は完全に取り外すことができるように、下着の別の部分に取外し自在に結合できる。【選択図】図１６Ａ
2020518731.tif 000002
【特許請求の範囲】
【請求項１】
着用者の第１の乳房を覆うように構成された第１の内側パネル、及び前記着用者の第２の乳房を覆うように構成された第２の内側パネルを含む内側パネルであって、前記第１の内側パネル及び前記第２の内側パネルの少なくとも１つが、開口部を画定し、前記開口部が、少なくとも部分的に前記開口部を通って挿入された搾乳器の少なくとも一部分を支えるように構成された、内側パネルと、
第１の部分、第２の部分、及び第３の部分を有する留め金と、
前記留め金の前記第１の部分に結合されたサポートストラップと、
前記開口部にアクセスするために前記内側パネルから少なくとも部分的に取り外すことができるように、前記留め金の前記第３の部分で前記内側パネルに取外し自在に結合された外側パネルと、
を備え、
前記外側パネル及び前記内側パネルを前記サポートストラップから一括して切り離すことができるように、前記内側パネルが前記留め金の前記第２の部分で前記サポートストラップに取外し自在に結合される、装置。
【請求項２】
前記第１の内側パネル及び前記第２の内側パネルの前記少なくとも１つが、前記開口部を画定するために材料の第２の部分に少なくとも部分的に重なる材料の第１の部分を含む、請求項１に記載の装置。
【請求項３】
前記内側パネルに取外し自在に結合可能であるネックストラップをさらに備える、請求項１に記載の装置。
【請求項４】
前記内側パネルが前記留め金の前記第２の部分に固定的に結合される、請求項１に記載の装置。
【請求項５】
前記内側パネルが前記留め金の前記第２の部分に取外し自在に結合される、請求項１に記載の装置。
【請求項６】
前記下着の前記外側パネルが前記留め金の前記第３の部分に固定的に結合される、請求項１に記載の装置。
【請求項７】
前記留め金の前記第１の部分に結合されたショルダーストラップをさらに備える、請求項１に記載の装置。
【請求項８】
前記留め金に取外し自在に結合可能であり、複数の結合部分を含むエキステンダをさらに備え、
前記外側パネルは、前記外側パネルのサイズを調整するために前記複数の結合部分の１つに選択的に結合されるように構成された、請求項１に記載の装置。
【請求項９】
前記留め金に固定的に結合され、複数の結合部分を含むエキステンダをさらに備え、
前記外側パネルは、前記外側パネルのサイズを調整するために前記複数の結合部分の１つに選択的に結合されるように構成された、請求項１に記載の装置。
【請求項１０】
第１の部分、前記第１の部分に取外し自在に結合された第２の部分、及び前記第２の部分に取外し自在に結合された第３の部分を含む留め金を備え、
前記第１の部分は、下着のサポートストラップに結合されるように構成され、前記下着が内側パネル及び外側パネルを含み、前記内側パネルが、着用者の第１の乳房を覆うように構成された第１の内側パネル、及び着用者の第２の乳房を覆うように構成された第２の内側パネルを含み、前記第１の内側パネル又は前記第２の内側パネルの少なくとも１つが、少なくとも部分的に開口部を通って挿入された搾乳器の少なくとも一部分を支えるように構成された前記開口部を画定し、
前記留め金の第２の部分は、前記内側パネルを前記ストラップに取外し自在に結合するように構成され、前記留め金の第３の部分は、前記外側パネルを前記内側パネルに取外し自在に結合するように構成された、装置。
【請求項１１】
前記下着、前記下着の前記サポートストラップに固定的に結合されている前記留め金の前記第１の部分
をさらに備える、請求項１０に記載の装置。
【請求項１２】
前記下着の前記内側パネルが、前記留め金の前記第２の部分に固定的に結合される、請求項１１に記載の装置。
【請求項１３】
前記下着の前記内側パネルが、前記留め金の前記第２の部分に取外し自在に結合される、請求項１１に記載の装置。
【請求項１４】
前記下着の前記外側パネルが、前記留め金の前記第３の部分に固定的に結合される、請求項１１に記載の装置。
【請求項１５】
前記留め金の前記第２の部分が、第１のインターロック係合部分を含み、
前記留め金の前記第３の部分が、前記第１のインターロック係合部分に取外し自在に結合されるように構成された第２のインターロック係合部分を含む、請求項１０に記載の装置。
【請求項１６】
着用者の第１の乳房を覆うように構成された第１の内側パネル、及び前記着用者の第２の乳房を覆うように構成された第２の内側パネルを含む内側パネルであって、前記第１の内側パネル及び前記第２の内側パネルの少なくとも１つが、開口部を画定し、前記開口部が、少なくとも部分的に前記開口部を通って挿入された搾乳器の少なくとも一部分を支えるように構成された、内側パネルと、
第１の部分、第２の部分、及び第３の部分を有する留め金と、
前記留め金の前記第１の部分に結合されたサポートストラップと、
前記開口部にアクセスするために前記内側パネルから少なくとも部分的に取り外されるように、前記留め金の前記第３の部分で前記内側パネルに取り外し自在に結合された外側パネルと、
を備え、
前記内側パネルが、前記内側パネルを前記留め金の前記第２の部分に取外し自在に結合するように構成された結合機構を有し、
前記内側パネルが、前記結合機構を切り離すことによって前記外側パネル及び前記サポートストラップから完全に取外し可能となるように構成される、装置。
【請求項１７】
前記外側パネル及び前記内側パネルを前記サポートストラップから一括して切り離すことができるように、前記内側パネルが、前記留め金の前記第２の部分で前記サポートストラップに取外し自在に結合される、請求項１６に記載の装置。
【請求項１８】
前記内側パネルが、前記内側パネルの背面に配置された少なくとも１つの第１の結合部材をさらに含み、
前記サポートストラップが、前記内側パネルを前記サポートストラップに取外し自在に結合するために、前記内側パネルの対応する第１の結合部材に取外し自在に結合されるように構成された前記サポートストラップの前面に配置された少なくとも１つの第２の結合部材を含む、請求項１６に記載の装置。
【請求項１９】
前記サポートストラップに結合されたバックサポートをさらに備え、
前記内側パネルは、前記内側パネルの中心部分から伸長する結合ストラップ及び前記サポートストラップに配置された結合部材を含み、
前記サポートストラップの前記結合部材は、前記内側パネルを前記バックサポートに取外し自在に結合するために、前記バックパネルに配置された結合部材に取外し自在に結合されるように構成された、請求項１６に記載の装置。
【請求項２０】
前記留め金に取外し自在に結合可能であり、複数の結合部分を含むエキステンダをさらに備え、
前記外側パネルは、前記外側パネルのサイズを調整するために前記複数の結合部分の１つに選択的に結合されるように構成された、請求項１６に記載の装置。
【請求項２１】
前記留め金に固定的に結合され、複数の結合部分を含むエキステンダをさらに備え、
前記外側パネルは、前記外側パネルのサイズを調整するために複数の結合部分の１つに選択的に結合されるように構成された、請求項１６に記載の装置。
【請求項２２】
前記サポートストラップに結合されたバックサポートをさらに備え、
前記内側パネルは、前記内側パネルの中心部分に配置された結合部材を含み、
前記内側パネルの前記結合部材は、前記内側パネルを前記バックサポートに取外し自在に結合するために、前記バックパネルに配置された結合部材に取外し自在に結合されるように構成された、請求項１６に記載の装置。
【請求項２３】
前記留め金の前記第１の部分に結合されたショルダーストラップをさらに備える、請求項１６に記載の装置。
【請求項２４】
前記第１の内側パネル及び前記第２の内側パネルの前記少なくとも１つが、前記開口部を画定するために材料の第２の部分に少なくとも部分的に重なる材料の第１の部分を含む、請求項１６に記載の装置。
【発明の詳細な説明】
【関係出願の相互参照】
【０００１】
［0001］  本願は、その開示のそれぞれがその全体を参照により本明細書に援用される、２０１７年１月２０日に出願された米国仮特許出願第６２／４４８，６２２号及び２０１７年８月２２日に出願された米国仮特許出願第６２／５４８，７０６号の優先権を主張する。
【技術分野】
【０００２】
［0002］  本願は、２０１５年７月２３日に出願された米国仮出願第６２／１９６，０８０号の優先権を主張する、２０１６年７月２１日に出願された国際出願第ＰＣＴ／ＵＳ第１６／４３３２６号に関し、２０１３年６月７日に出願された米国仮出願第６１／８３２，５９２号の優先権を主張する、２０１４年２月４日に出願された、「Ｐｕｍｐｉｎｇ／Ｎｕｒｓｉｎｇ  Ｂｒａ」と題する米国非仮出願第１４／１７２，８２６号に関し、２０１３年６月７日に出願された米国仮出願第６１／８３２，５９２号の優先権も主張する２０１４年２月４日に出願された、「Ｐｕｍｐｉｎｇ／Ｎｕｓｒｉｎｇ  Ｂｒａ」と題する米国非仮出願第１４／１７２，８１２号に関し、その開示のそれぞれがその全体を参照により本明細書に援用される。
【０００３】
［0003］  また、本願は、その開示がその全体を参照により本明細書に援用される、２０１７年１月２０日に出願された、「Ｐｕｍｐｉｎｇ／Ｎｕｒｓｉｎｇ  Ｇａｒｍｅｎｔ」と題する米国仮出願第６２／４４８，６２２号にも関する。
【背景技術】
【０００４】
［0004］  本明細書に説明される実施形態は、ブラジャーの着用者が搾乳装置を使用し、母乳を搾乳する間、搾乳装置を支持できるブラジャーに関する。
【０００５】
［0005］  搾乳器は、乳房から母乳を搾り出すために使用される。搾乳器の実施態様は、母乳を搾り出すためのポンプ本体、及び母乳を受け取るための母乳容器を有する。搾乳器のポンプ本体は、少なくとも乳房の一部分の上にフィットするカップ部分を有する漏斗形状を有する乳房シールド又はフランジを有し得る。
【０００６】
［0006］  搾乳器の放出クッション又は放出マッサージクッションは、搾乳器の乳房シールド又はフランジと乳房との間にフィットし得る。放出クッションは、乳房シールド又はフランジの中に収まり、ポンプ本体の乳房シールド又はフランジの端縁に折り重なる端縁を有し得る。放出クッションは、乳房の乳ループをマッサージして、母乳の流れを刺激するのに役立つために内外に収縮し得る。吸引力を生じさせ、母乳の搾り出しを促進するために放出クッションと乳房との間にシールが形成され得る。
【発明の概要】
【発明が解決しようとする課題】
【０００７】
［0007］  搾乳器を使用するために、利用者は乳房フランジ、シールド、又はポンプ本体を乳房上で手で保持する。搾乳器を使用する間、着用者は、他の作業のために手を使用することができない。両方の乳房から同時に母乳を搾り出すことが望ましいことができるが、このようにするには、利用者は、搾乳器本体を自身に対して保持する必要があり、扱いにくいだけではなく、利用者が他の作業を行うことも可能にしない。したがって、着用者が搾乳器を用いた母乳の搾り出し中に他の作業に手を使用できるようにするためには、母乳の搾り出しのために搾乳器本体を支えるのを支援する下着が必要とされる。
【課題を解決するための手段】
【０００８】
［0008］  搾乳器を使用する母乳の抽出中、及び／又は授乳中に着用者が使用できる下着（例えばブラジャー）を提供するための装置が、本明細書に説明される。いくつかの実施形態では、下着は、内側パネル及び外側パネルを含み得る。内側パネルは、開口部を画定する着用者の第１の乳房を覆うための第１の部分、及び第２の開口部を画定する着用者の第２の乳房を覆うための第２の部分を含み得る。開口部のそれぞれは、例えば搾乳器の一部分を挿入し、搾乳器の該一部分を乳房と接触して配置するために乳房にアクセスするために使用できる。外側パネルは、外側パネルが開口部（複数可）にアクセスするために内側パネルから少なくとも部分的に取り外すことができるように、留め金で内側パネルに取外し自在に結合できる。内側パネルは、留め金で下着の別の部分に取外し自在に結合することができ、これにより内側パネルと外側パネルはともに下着の他の部分に取外し自在に結合できる。
【図面の簡単な説明】
【０００９】
【図１】［0009］実施形態に係る下着の概略図である。
【図２Ａ】［0010］実施形態に係る下着の前面図である。
【図２Ｂ】［0011］外側層が下着の内側層の前面図を示すために取り外された、図２Ａの下着の前面図である。
【図２Ｃ】［0012］図２Ａの下着の背面図である。
【図２Ｄ】［0013］図２Ａの下着の前面斜視図である。
【図２Ｅ】［0014］開口部を通して搾乳装置の一部分を受け入れることができる下着の固着領域及び開口部を示す図２Ａの下着の背面図である。
【図３Ａ】［0015］分離構成の係合機構を有する図２Ａの下着の前面図である。
【図３Ｂ】［0016］図３Ａの下着図３Ａの構成の後面図である。
【図４Ａ】［0017］図２Ａの下着の任意選択の乳房パッドの前面図である。
【図４Ｂ】［0018］第１の場所でその中に配置された任意選択の乳房パッドを示す図２Ａの下着の前面図である。
【図４Ｃ】［0019］第２の場所でその中に配置された任意選択の乳房パッドを示す図２Ａの下着の前面図である。
【図５Ａ】［0020］ストラップを下着に結合するために使用できる下着の外周上端に沿って画定された開口部を示す図２Ａの下着の前面図である。
【図５Ｂ】［0021］図２Ａの下着のストラップを固定できる下着の外周上端に沿って画定された開口部／穴の拡大図である。
【図５Ｃ−５Ｄ】［0022］それぞれ、その中に画定された開口部／穴の中に挿入されるストラップの固締機構を示す、図５Ａの下着の外周上端の一部分の拡大図である。
【図６Ａ】［0023］下着の第１の側面上の第１の巻き付け形パネルに沿った第１の場所に付着された第１の固締機構、及び下着の第２の側面上の下着の第２の巻き付け形パネルに沿った第２の場所に付着された第２の固締機構を示す、図２Ａの下着の前面図である。
【図６Ｂ】［0024］下着の外周上端に結合された任意選択の中心ストラップ又はネックストラップを示す図６Ａの下着の前面図である。
【図７Ａ−７Ｂ】［0025］それぞれ、搾乳装置を支持するために使用されている図２Ａの下着を示す図である。
【図８Ａ】［0026］実施形態に係る下着の前面図である。
【図８Ｂ】［0027］図８Ａの領域８Ｂの拡大図である。
【図８Ｃ】［0028］外側パネルが例示的な目的のために取り外されて示される図８Ａの下着の前面図である。
【図８Ｄ】［0029］図８Ｃの領域８Ｄの拡大図である。
【図８Ｅ】［0030］内側パネル及び外側パネルが例示的な目的のために取り外されて示される図８Ａの下着の前面図である。
【図８Ｆ】［0031］図８Ｅの領域８Ｆの拡大図である。
【図９Ａ】［0032］第１の構成の図８Ａの係合機構の一部分の側面図である。
【図９Ｂ】［0033］第２の構成の図８Ａの係合機構の一部分の側面図である。
【図１０】［0034］実施形態に係る下着の前面図である。
【図１１Ａ】［0035］係合機構が、外側パネルが内側パネルに結合され、内側パネルがショルダーストラップに結合される第１の構成で示される、図１０の下着の一部分の前面図である。
【図１１Ｂ】［0036］係合機構が、外側パネルが内側パネルから切り離される第２の構成で示される、図１０の下着の一部分前面図である。
【図１１Ｃ】［0037］係合機構が、外側パネルが内側パネルから切り離され、内側パネルがショルダーストラップから切り離される、第３の構成で示される、図１０の下着の一部分の前面図である。
【図１２Ａ】［0038］実施形態に係る下着の前面図である。
【図１２Ｂ】［0039］図１２Ａの領域１２Ｂの拡大図である。
【図１２Ｃ】［0040］外側パネルが例示的な目的のために取り外されて示される図１２Ａの下着の前面図である。
【図１２Ｄ】［0041］図１２Ｃの領域１２Ｄの拡大図である。
【図１２Ｅ】［0042］内側パネル及び外側パネルが例示的な目的のために取り外されて示される図１２Ａの下着の前面図である。
【図１２Ｆ】［0043］図１２Ｅの領域１２Ｆの拡大図である。
【図１３Ａ】［0044］実施形態に係る下着の前面図である。
【図１３Ｂ】［0045］図１３Ａの領域１３Ｂの拡大図である。
【図１３Ｃ】［0046］外側パネルが例示的な目的のために取り外されて示される図１３Ａの下着の前面図である。
【図１３Ｄ】［0047］図１３Ｃの領域１３Ｄの拡大図である。
【図１３Ｅ】［0048］内側パネル及び外側パネルが取り外されて示されるが、例示的な目的のために破線で示される図１３Ａの下着の前面図である。
【図１３Ｆ】［0049］図１３Ｅの領域１３Ｆの拡大図である。
【図１４Ａ】［0050］実施形態に係る係合機構の斜視図である。
【図１４Ｂ】［0051］図１４Ａの係合機構の第１の部分の前面図である。
【図１４Ｃ】図１４Ａの係合機構の第１の部分の背面図である。
【図１４Ｄ】図１４Ａの係合機構の第１の部分の側面図である。
【図１４Ｅ】［0052］図１４Ａの係合機構の第２の部分の前面図である。
【図１４Ｆ】図１４Ａの係合機構の第２の部分の背面図である。
【図１４Ｇ】図１４Ａの係合機構の第２の部分の側面図である。
【図１４Ｈ】［0053］図１４Ａの係合機構の第３の部分の前面図である。
【図１４Ｉ】図１４Ａの係合機構の第３の部分の背面図である。
【図１４Ｊ】図１４Ａの係合機構の第３の部分の側面図である。
【図１５Ａ】［0054］第１の構成の、実施形態に係る図１４Ａの係合機構の分解斜視図である。
【図１５Ｂ】［0055］係合機構の第３の部分が、第１の部分及び第２の部分から切り離された、図１５Ａの係合機構の前面図である。
【図１５Ｃ】［0056］図１４Ａの係合機構の前面図である。
【図１６Ａ】［0057］係合機構の第１の部分、第２の部分、及び第３の部分がともに結合される第１の構成での、図１４Ａの係合機構を含んだ下着の一部分の前面図である。
【図１６Ｂ】［0058］係合機構の第３の部分、及び図１６Ａの下着の外側層部分の一部分の前面図である。
【図１６Ｃ】［0059］取り外された係合機構の内側層及び第３の部分並びに外側層を示す、第２の構成の図１６Ａの下着の一部分の前面図である。
【図１６Ｄ】［0060］取り外されたサポートストラップ、並びに係合機構の第２の部分及び第３の部分を示す、第３の構成の図１６Ａの下着の一部分の前面図である。
【図１７Ａ】［0061］実施形態に係る下着の前面図である。
【図１７Ｂ】［0062］図１７Ａの領域１７Ｂの拡大図である。
【図１７Ｃ】［0063］外側パネルが例示的な目的のために取り外されて示される図１７Ａの下着の前面図である。
【図１７Ｄ】［0064］図７Ｃの領域１７Ｄの拡大図である。
【図１７Ｅ】［0065］内側パネル及び外側パネルが例示的な目的のために取り外されて示される図１７Ａの下着の前面図である。
【図１７Ｆ】［0066］図１７Ｅの領域１７Ｆの拡大図である。
【図１８Ａ】［0067］別の実施形態に係る下着の前面図である。
【図１８Ｂ】［0068］外側パネルが例示的な目的のために取り外されて示される図１８Ａの下着の前面図である。
【図１９Ａ】［0069］係合機構の第３の部分及び外側パネルが、係合機構の第２の部分から外されている、図１８Ａの下着の一部分の前面図である。
【図１９Ｂ】［0070］係合機構の第３の部分が図１８Ａの下着のエキステンダの選択されたループに結合された、図１８Ｂの下着の一部分の前面図である。
【図１９Ｃ】［0071］係合機構の第３の部分及び第２の部分が係合機構の第１の部分から外され、したがって外側パネル及び内側パネルがサポートストラップ及びショルダーストラップから外されている、図１８Ａの下着の一部分の前面図である。
【図１９Ｄ】［0072］図１８Ａの下着のエキステンダの背面図である。
【図２０Ａ】［0073］別の実施形態に係る下着の前面図である。
【図２０Ｂ】［0074］外側パネルが例示的な目的のために取り外されて示される図２０Ａの下着の前面図である。
【図２１Ａ】［0075］係合機構の第２の部分及び外側パネルがエキステンダから外されている、図２０Ａの下着の一部分の前面図である。
【図２１Ｂ】［0076］係合機構の第２の部分がエキステンダの選択されたループに結合された、図２０Ａの下着の一部分の前面図である。
【図２１Ｃ】［0077］サポートストラップのエキステンダへの付着を示す、図２０Ａの下着の一部分の背面図である。
【図２２】［0078］サポートストラップの代替付着を示す下着の一部分の前面図である。
【図２３Ａ】［0079］外側パネルがエキステンダから外されて示される別の実施形態に係る下着の一部分の前面図である。
【図２３Ｂ】［0080］外側パネルがエキステンダに付着されて示される図２３Ａの下着の一部分の前面図である。
【図２３Ｃ】［0081］エキステンダが例示的な目的のために取り除かれて示される図２３Ａの下着の一部分の前面図である。
【図２３Ｄ】［0082］サポートストラップに付着されたショルダーストラップを示す図２３Ａの下着の一部分の背面図である。
【図２４】［0083］別の実施形態に係る下着の前面図である。
【図２５】［0084］図２４の下着の背面図である。
【図２６】［0085］内側ポンピングパネルが取り除かれた図２４の下着の背面図である。
【図２７】［0086］図２４の下着のポンピングパネルの前面図である。
【図２８】［0087］図２４の下着のポンピングパネルの背面図である。
【図２９】［0088］図２４の下着の係合機構の拡大斜視図である。
【図３０Ａ】［0089］図２４の下着の一部分の拡大前面図である。
【図３０Ｂ】［0090］図２５の下着の一部分の拡大背面図である。
【図３０Ｃ】［0091］内側ポンピングパネルが取り外されている図２６の下着の一部分の拡大背面図である。
【図３０Ｄ】［0092］サポートストラップの係合機構への付着を示す図２４の下着の一部分の拡大前面図である。
【図３１】［0093］別の実施形態に係る下着の前面図である。
【図３２】［0094］図３１の下着の背面図である。
【図３３】［0095］内側ポンピングパネルが取り外されている図３１の下着の背面図である。
【図３４】［0096］図３１の下着のポンピングパネルの前面図である。
【図３５】［0097］図３１の下着のポンピングパネルの背面図である。
【図３６】［0098］下着の前面図であり、別の実施形態に係る係合機構の拡大図を示す図である。
【図３７】［0099］外側パネルに結合されたネックストラップを示す図３６の下着の前面図である。
【図３８】［0100］図３６の下着の内側ポンピングパネルの前面図である。
【図３９Ａ】［0101］係合機構の第３の部分及び外側パネルが係合機構第２の部分から外されている図３６の下着の一部分の前面図である。
【図３９Ｂ】［0102］係合装置の第３の部分が図３６の下着のエキステンダの選択されたループに結合されている図３６の下着の一部分の前面図である。
【図３９Ｃ】［0103］係合機構の第３の部分及び第２の部分が、係合機構の第１の部分から外され、したがって外側パネル及び内側パネルがサポートストラップ及びショルダーストラップから外されている図３６の下着の一部分の前面図である。
【図４０Ａ】［0104］図３６の下着のエキステンダの側面図である。
【図４０Ｂ】［0104］図３６の下着のエキステンダの背面図である。
【図４０Ｃ】［0104］図３６の下着のエキステンダの前面図である。
【発明を実施するための形態】
【００１０】
［0105］  搾乳器を使用する母乳の搾り出しを助けるために着用者及び／又は搾乳器の少なくとも一部分に対して支持を提供する製造品、下着、ビスチェ、搾乳ブラジャー、及び授乳ブラジャーのための装置、商品、及びプロセスが、本明細書に説明される。例えば、ブラジャー、タンクトップ、ナイトガウン、又はビスチェ等の下着は、搾乳器本体、母乳容器、及び着用者の乳房に支持を提供し、搾乳器本体を定位置に固定するのを助ける、及び／又は母乳搾り出しのために搾乳器を安定させてよい。多様な実施形態は、着用者の乳房と、母乳搾り出しのための搾乳器本体の少なくとも一部分（例えば、搾乳器本体の乳房シールド及び／又は放出クッション）との間に密封を作り出すことを支援するために支持を提供してよい。下着の着用者は、手で搾乳器本体を自身に対して保持する必要なく母乳を搾乳でき得る。
【００１１】
［0106］  いくつかの実施形態に係る下着は、着用者の乳房へのアクセスのための開口部を提供するために互いに及び／又は下着のパネルに固締される材料の層の間に形成／画定された開口部を有してよい。特に、下着は、材料の層のそれぞれのセット間に形成される、着用者の乳房へのアクセスを提供する２つの開口部を有する内側パネル（例えば、ポンピングパネル）を有してよい。材料の層は、材料の層の少なくとも一部分が互いに重なるように互いに結合できる、又は代わりに当接関係若しくは切端関係で互いに結合できる。いくつかの実施形態では、材料の層は、層の一部分が互いに重なり、層の一部分が当接して又は切端で互いに結合されるようにともに結合できる。各開口部は、材料の層の対応するセットの間にあり、材料の層はそれぞれの開口部を画定する／設けるように互いに固締される。
【００１２】
［0107］  いくつかの実施形態では、下着は、内側パネルを覆う材料の１つ以上のパネルの外面を有してよい。材料のパネル及び開口部を覆う材料の層が動かされると、着用者は、開口部を通して搾乳器本体の一部分を挿入することができ、材料の層及び／又は下着の材料のパネルは、搾乳器本体及び／又は着用者の乳房を支えるのに役立つことができる。いくつかの実施形態では、内側パネル及び外側パネルに使用される材料は、ポンプ本体部分を挿入するために材料を押し出すことを可能にするために引き伸ばすことができる布地であってよい。また、布地は、支持のためにポンプ本体部分の下で及び／又は回りでぴったり合うためのいくつかの弾力性を有し、パネルの元の形状へ戻ることができることができる。いくつかの実施形態では、下着は、着用者の乳房に追加の支持を与えるだけではなく、下着が滑り落ちるのを防ぐために弾力性のある端縁を有してよい。
【００１３】
［0108］  いくつかの実施形態では、本明細書に説明される下着（例えば、ブラジャー）は、材料の層を有する内側ポンピングパネル、及び内側ポンピングパネルを少なくとも部分的に覆うことができる外側パネルを含むことができる。内側ポンピングパネルの材料の層の第１の部分は、着用者の左の乳房の一部分を覆うためにブラジャーの左側に配置されてよく、材料の層の少なくとも一部分が重なり、第１の開口部を画定するように、ともに固締できる。内側ポンピングパネルの材料の層の第２の部分は、着用者の右の乳房の一部分を覆うためにブラジャーの右側面に配置されてよく、材料の層の少なくとも一部分が重なり、第２の開口部を画定するようにともに固締できる。第１の開口部及び第２の開口部はそれぞれ、ブラジャーの底縁に対して斜角で配置され、第１の開口部及び／又は第２の開口部を通して配置できる搾乳器の少なくとも一部分を支持するのに役立つようなサイズで作られ、位置決めされる。
【００１４】
［0109］  いくつかの実施形態は、下着に付着された材料（例えば、伸縮素材、布地等）の１つ以上のループを有してよい。各ループは、搾乳器の一部分（例えば、搾乳器本体又は母乳を搾乳するための母乳容器の支持に役立てるために乳房シールド回りで引っ掛ける又はフィットするためのループ）を定位置に固定するように設計されてよい。
【００１５】
［0110］  いくつかの実施形態は、下着に選択的に付着され得る調整可能なストラップを有してよい。例えば、下着は、ストラップ上にある付着機構に対応する付着機構を有する下着に頂部線を有し、それによってストラップをそこに付着できるようにすることができる。例えば、頂部線は、パネル（例えば、内側パネル）の端縁に付着された材料（例えば、ゴムバンド）の部分であってよく、対応する付着機構は、ゴムバンドと下着の布地との間でステッチングで下着に縫い付けられてよい。１つ以上の付着機構（例えば、ストラップ上にある付着機構に対応する付着機構）は、搾乳器本体を支持するために複数の異なる位置のうちの１つでストラップを選択的に付着するために下着に縫い付けられてよい。
【００１６】
［0111］  追加の例として、ネックストラップは、任意選択で使用され、着用者の首の後部の回りに伸長し、下着の頂部線に付着されることができる。下着（例えば、ポンピング／授乳用ブラジャーの頂部線）は、１つ以上の選択的な付着機構（例えば、ストラップの下着への付着を可能にするループ又はフック）を有してよい。複数の選択的な付着機構は、ストラップに複数の異なる位置を提供するために下着上に設けられてよい。付着機構は、例えば、ループ（例えば、布地、金属、又はプラスチックのループ）に選択的に付着され得るフック、スナップ、ボタンとボタン穴、リボンタイ、レースタイ、ストリングタイ、及び／又は選択的に付着する又は外すことができる任意の他の付着機構を含んでよい。例えば、着用者は、頂部線上のループを通し、２つの端部が接合する場合に結ぶことができるであろうリボン、レース、重いストリング等を使用できるであろう。首の回りでのフィッティングと対照的に、ブラジャーのある領域から別の領域に伸びる単一のストラップ及び／又は複数のストラップがあってよい。例えば、単一のストラップは、前部頂部線で付着し、肩の上で伸長し、脇の下又は背中の下方の頂部線でフックで留まるであろう。
【００１７】
［0112］  いくつかの実施形態では、ネックストラップは、下着に付着できる単一のフック又は下着に付着され得る複数のフックを有することができる。ネックストラップは、例えば下着が搾乳中、特に母乳を収集するために搾乳器とともに使用される容器が母乳で満たされるにつれ、搾乳器の瓶が重くなるとき、下着が定位置にとどまることを保証するために使用されてよい。例えば、ネックストラップは、着用者の首を包み込み、着用者の乳房の少なくとも１つで搾乳器を使用中に下着が定位置にとどまることを保証するために、少なくとも１つのフックを下着の頂部線に付着させてよい。ネックストラップは、下着のショルダーストラップとともに、又は下着のショルダーストラップなしで使用され得る。いくつかの実施形態では、ネックストラップは、利用者にさらなる快適さを与えるために典型的なストラップの幅よりも大きい幅を有するコンフォートストラップ部分を含むことができる。例えば、コンフォートストラップ部分は、利用者の首の回りに伸長することができる。いくつかの実施形態では、ネットストラップのコンフォートストラップ部分は、詰め物をされることができる、及び／又は利用者の首により柔らかな快適さを与えるための材料で形成されることができる。いくつかの実施形態では、コンフォート部分の幅は変わることができる。例えば、幅は、コンフォート部分の中心においてよりもコンフォート部分の端部において先細にされる、又はより狭いことができる。
【００１８】
［0113］  いくつかの実施形態では、例えば上記に参照により援用される国際出願第ＰＣＴ／米国１６／４３３２６号に示され、説明されるように、ポケット又はチャネルが、下着の別の領域に接続するためにフック又は付着部品を有するコード又はストラップを含む及び／又は収容するショルダーストラップ上に設けられてよい。コードは、コードを引き伸ばすことを可能にするために弾性的であってよい、及び／又はコードは、コイルに巻き上げられてポケット又はチャネルの中に格納され、これによりコードは伸ばす、及び格納することができる。また、コードは、必要に応じてストラップを長くする、及び短くするためにスライダを有することができる。
【００１９】
［0114］  いくつかの実施形態では、下着は、下着の外周上端に沿って開口部又は穴を含む場合があり、ストラップの固締機構は、ストラップを下着に結合するためにその中に受け取られることができる。係る実施形態は、具体的な実施形態を参照し、以下により詳細に説明される。
【００２０】
［0115］  いくつかの実施形態では、本明細書に説明される下着は、装用可能な搾乳器及び／又は装用可能な母乳収集装置と併せて使用できる。係る下着では、下着は、内側パネルの代わりにエキステンダを含む場合があり、エキステンダは、外側層（例えば、ブラジャーカップ）の位置を選択的に調整して、装用可能な搾乳器を収容するために使用できる。装用可能な搾乳器又は収集装置は、利用者の乳房と下着の外側パネルとの間に位置決めできる。エキステンダは、下着の右側と左側の両方で係合機構（例えば、係合機構１５０）の一部分に付着できる。下着の外側パネル（例えば、右外側パネル及び左外側パネル）は、外側パネルの位置及びサイズを、利用者の乳房及び装用可能な搾乳器又は収集装置に対して調整するためにエキステンダに取外し自在に及び選択的に結合できる。
【００２１】
［0116］  外側パネル（例えば、ブラジャーカップ）のサイズ及び位置の係る調整は、例えば装用可能な搾乳器又は母乳収集装置の使用中に、下着のカップ部分（例えば、外側パネル）の引き伸ばしを防ぐために望ましいことができる。係る装置は乳房と下着のカップ部分との間に配置されるため、及びいくつかの係る装置のサイズのために、下着のカップ部分は、係る装置の使用中にその外形又は形状を引き伸ばす又は失う場合があり、その結果利用者の乳房に削減された支持を提供することができる。係る下着の例は、図１８Ａから図２１Ｃ、及び図３６から図３９Ｃを参照して以下により詳細に説明される。
【００２２】
［0117］  本発明の他の目的及び優位点は、本発明の特定の実施形態を説明する添付図面と併せて見られるときに、以下の詳細な説明から明らかになる。しかしながら、開示されている実施形態が、多様な形式で実施され得る本発明の単に例示的にすぎないことを理解されたい。したがって、本明細書に開示される詳細は、限定的として解釈されるべきではなく、単に当業者に本発明を作る及び／又は使用する方法を教示するための基礎として解釈されるべきである。
【００２３】
［0118］  図１は、下着１００の概略図である。下着１００は、例えば着用者、通常は、搾乳器を使用し、一方又は両方の乳房から母乳を絞り出すことを所望することができる女性の胸部又は上部胴体の回りに着用されるブラジャーの形をとることができる。下着１００は、外側パネル１６０、内側パネル１７０、１本以上のサポートストラップ１８０、１本以上のショルダーストラップ１０６、及びバックパネル１２０を含むことができる。いくつかの実施形態では、各ショルダーストラップ１０６は、（本明細書では「留め金」とも呼ばれる）係合機構１５０を介して外側パネル１６０、内側パネル１７０、及びサポートストラップ１８０に結合できる。サポートストラップ１８０は、係合機構１５０を介して第１の端部でバックパネル１２０に、及び第２の端部でショルダーストラップ１０６のうちの１本に結合されことができる。代替実施形態では、サポートストラップ１８０は、バックパネル１２０に対してよりむしろ下着（不図示）の下部バンドに対して付着されることができる。いくつかの実施形態では、バックパネル１２０及び下部バンドは一体で形成されることができる。ショルダーストラップ１０６のそれぞれは、（係合機構１５０を介して）サポートストラップ１８０に結合された第１の端部、及び例えばステッチングによって下着１００のバックパネル１２０及び／又は下部バンド若しくは他の部分に結合された第２の端部を有することができる。外側パネル１６０及び内側パネル１７０は、例えば縫製／ステッチングによって、例えば外側パネル１６０の底縁に沿って及び／又は内側パネル１７０の底縁に沿って下着１００のバックパネル１２０に及び／又は底部バンドに付着できる。同様に、外側パネル１６０及び内側パネル１７０は、外側パネル１６０及び内側パネル１７０の底縁の少なくとも一部分に沿って及び／又は上縁の少なくとも一部分に沿って互いに結合できる。
【００２４】
［0119］  内側パネル１７０及び外側パネル１６０はそれぞれ、それぞれ材料の１つ以上の層で形成された１つ以上のパネルを含むことができる。例えば、外側パネル１６０は、右外側パネル（図１では不図示）及び左外側パネル（図１では不図示）を含むことができる。内側パネル１７０は、右内側パネル（図１では不図示）及び左内側パネル（図１では不図示）を含むことができる。右内側パネル及び左内側パネルは、それぞれ着用者の右乳房及び左乳房のカバーのための形状及びサイズに作ることができる。右内側パネル及び左内側パネルのそれぞれは、一部分が付着されず、第１の部分と第２の部分との間で開口部を画定できるように互いに結合される第１の部分及び第２の部分を含むことができる。いくつかの実施形態では、第１の部分及び第２の部分は、開口部を画定できる重なり合う部分を含むことができる。第１の部分及び第２の部分は、例えば第１の部分及び第２の部分を互いから離して動かすことによって分離され、それによって開口部を生じさせ、利用者の乳房へのアクセスを提供できる。搾乳器は、次いで開口部を通して挿入でき、内側パネル１７０は、母乳抽出中、搾乳ポンプを支えるのに役立つことができる。
【００２５】
［0120］  いくつかの実施形態では、内側パネル１７０は、内側パネル１７０の上縁に画定された１つ以上の穴又は隙間を含むことができる。いくつかの実施形態では、別個の構成要素が穴を画定し、内側パネル１７０に結合される。穴は、例えば図５Ａから図５Ｄを参照して以下に説明される穴２４３を参照して、より詳細に説明される。中心ストラップ（図３では不図示）は、穴のいずれかとの選択的な解放自在な係合によって内側パネル１７０に付着できる。中心ストラップは、構造及び／又は機能において、以下に説明される中心ストラップ２４６に同じ又は類似することができる。
【００２６】
［0121］  係合機構１５０は、外側パネル１６０、内側パネル１７０、ショルダーストラップ１０６、及びサポートストラップ１８０を、多様な構成で互いに解放自在に結合できるようにするために使用できる。例えば、いくつかの実施形態では、外側パネル１６０の少なくとも一部分は、内側パネル１７０に解放自在に結合し、内側パネル１７０から解放自在に切り離すことができ、内側パネル１７０の少なくとも一部分は、サポートストラップ１８０及びショルダーストラップ１０６に解放自在に結合され、サポートストラップ１８０及びショルダーストラップ１０６から解放自在に切り離すことができる。外側パネル１６０が内側パネル１７０に結合されるとき、内側パネル１７０及び外側パネル１６０は、サポートストラップ１８０及びショルダーストラップ１０６に一括して結合され、サポートストラップ１８０及びショルダーストラップ１０６から一括して切り離すことができる。
【００２７】
［0122］  いくつかの実施形態では、係合機構１５０は２つ以上の部分（図１では不図示）を含む場合があり、２つ以上の部分のそれぞれは外側パネル１６０、内側パネル１７０、サポートストラップ１８０、及びショルダーストラップ１０６のうちの少なくとも１つと関連付けられている。このようにして、外側パネル１６０、内側パネル１７０、サポートストラップ１８０、及びショルダーストラップ１０６は、係合機構１５０の２つ以上の部分を介して互いに結合可能及び互いから切り離し可能であることができる。例えば、いくつかの実施形態では、係合機構１５０は、第２の部分に解放自在に結合できる第１の部分を含む場合があり、第２の部分は第３の部分に解放自在に結合できる。いくつかの実施形態では、係合機構１５０は、第１の部分及び第２の部分を含むことができる。第１の部分は、サポートストラップ１８０及びショルダーストラップ１０６に結合することができ、第２の部分は内側パネル１７０に結合できる。係る実施形態では、別個の結合機構は、外側パネル１６０を内側パネル１７０に解放自在に結合するために使用できる。例えば、スナップ機構、フックアンドループ結合、ＶＥＬＣＲＯ等の結合機構。
【００２８】
［0123］  いくつかの実施形態では、係合機構１５０は、サポートストラップ１８０に固定的に結合され、ショルダーストラップ１０６に固定的に結合された第１の部分、内側パネル１７０に固定的に結合された第２の部分、及び外側パネル１６０に固定的に結合された第３の部分を含むことができる。係る実施形態では、係合機構１５０の第２の部分は、内側パネル１７０をサポートストラップ１８０及びショルダーストラップ１０６に結合するために第１の部分に解放自在に結合できる。係合機構１５０の第３の部分は、外側パネル１６０を内側パネル１７０に解放自在に結合するために第２の部分に解放自在に結合できる。
【００２９】
［0124］  いくつかの実施形態では、留め金１５０の２つ以上の部分が嵌合特徴を含むことができる。嵌合特徴は、留め金１５０の２つ以上の部分が互いに解放自在に結合可能であり、互いから解放自在に切り離し可能であるように、例えば相補的な嵌合形状又は任意の他の適切な結合機構を含むことができる。外側パネル１６０、内側パネル１７０、サポートストラップ１８０、及びショルダーストラップ１０６は、それぞれ任意の適切な結合機構を介して留め金１５０の一部分に固定的に結合できる。例えば、いくつかの実施形態では、外側パネル１６０、内側パネル１７０、サポートストラップ１８０、及び／又はショルダーストラップ１０６の一部分は、本明細書により詳細に説明されるようにステッチングで留め金１５０の一分部に固定的に結合できる。
【００３０】
［0125］  使用中、下着１００は、着用者の胸部又は上部胴体の回りで着用されることができる。例えば搾乳のために着用者の乳房へのアクセスが所望される場合、外側パネル１６０（例えば、右外側パネル及び／又は左外側パネル）は、係合機構１５０の第２の部分から第３の部分を外す又は解くことによって内側パネル１７０（例えば、右内側パネル及び／又は左内側パネル）から外すことができる。外側パネル１６０は、次いで内側パネル１７０がアクセス可能となるように動かす（例えば、折り畳む）ことができる。上述されたように、内側パネル（例えば、右内側パネル及び／又は左内側パネル）の第１の部分及び第２の部分は、着用者の乳房に開口部を通してアクセス可能であり、搾乳器の一部分を挿入できる開口部を生じさせるために分離する（例えば、引き伸ばす又は折り畳む）ことができる。例えば授乳のために着用者の乳房へのさらなるアクセスが所望される場合、内側パネル１７０は、係合機構１５０の第２の部分を係合機構１５０の第１の部分から取り外す／外すことによって、サポートストラップ１８０及びショルダーストラップ１０６から外すことができる。サポートストラップ１８０及びショルダーストラップ１０６は、バックパネル１２０に結合されたままであるため、下着１００は、ショルダーストラップ１０６及びサポートストラップ１８０を介して着用者の体の上の定位置に依然として保持できる。いくつかの実施形態では、外側パネル１６０及び内側パネル１７０は、外側パネル１６０を内側パネル１７０から切り離すことなく、ショルダーストラップ１０６及びサポートストラップ１８０から同時に外すことができる。所望されるとき、内側パネル１７０及び外側パネル１６０は、留め金１５０の第２の部分を第１の部分に再結合することによってショルダーストラップ１０６及びサポートストラップ１８０に付着し直すことができ、外側パネル１６０は内側パネル１７０に再結合できる。
【００３１】
［0126］  図２Ａから図２Ｅは、着用者、典型的には搾乳器を使用し、一方又は両方の乳房から母乳を搾り出すことを所望することができる女性の胸部又は上部胴体の回りに着用される、ブラジャーの形をとる下着２００の多様な異なるビューを示す。図２Ａは、内側パネルつまりポンピングパネル、外部パネル、及びバックパネルを含むことができる組み立てられた下着２００の前面図を示す。内側パネル、外部パネル、及びバックパネルは、例えば下着２００の右側パネル及び左側パネルを形成するために、それぞれ１つ以上の別々のパネル材料部分を含むことができる。例えば、外部パネルは、左側パネル及び右側パネルを含むことができる。さらに、材料の１つ以上の層は、内部パネル（ポンピングパネル）、外部パネル、及び／又はバックパネルのそれぞれを形成するために使用できる。例えば、内側パネルは、互いに結合された材料の２つ、３つ、４つ以上の層を含むことができる。
【００３２】
［0127］  外部パネルは、第１のパネル２０２及び第２のパネル２０４（それぞれ右側パネル及び左側パネル）を含むことができる。ポンピングパネルは、以下により詳細に説明されるように、開口部又は穴を画定するように互いに結合される材料の複数の層を含むことができる。材料の層は、材料の層の少なくとも一部分が互いに重なるように互いに結合できる。いくつかの代替実施形態では、材料の層は重ならないことができるが、代わりに互いに対して当接関係又は若しくは切端関係で互いに結合できる。一実施形態では、材料の層は、中心層２１０（例えば、図２Ａを参照）、左内側層２１４（例えば、図２Ｂを参照）、及び右内側層２１２（例えば、図２Ｂを参照）を含む。下着２００は、第１の係合機構及び第２の係合機構２５０に付着可能である第１のショルダーストラップ及び第２のショルダーストラップ２０６のそれぞれの第１の端部及び第２の端部に結合された固締機構２１６を有する（「ショルダーストラップ」とも呼ばれる）第１の及び第２のショルダーストラップ２０６を含むことができる。また、下着２００は、クロージャ２２１及び２２２、第１の巻き付け形パネル２３２、及び第２の巻き付け形パネル２３４も含む。説明を容易にするために、材料２１０の中心層は、本明細書では「中心層２１０」とも呼ばれることができる。
【００３３】
［0128］  下着２００の構成要素（例えば、パネル及び／又は層）は、布地、綿、スパンデックス、伸縮素材、ポリエステル、レーヨン、及びメッシュを含むが、これに限定されるものではない任意の適切な材料から作られてよい。適切な場合には、構成要素のうちの１つ以上が伸びる又は一時的に形を整える及び／又は配置し直すために製作されてよい。いくつかの実施形態では、第１のパネル２０２及び第２のパネル２０４は、いくつかの例では、装飾的なデザイン又はアクセント（例えば、レース又は装飾的な模様）を含むことができる軽量素材から作られてよい。第１のパネル２０２及び／又は第２のパネル２０４は、例えば下着２００の外面を滑らかにして、別の衣類（例えば、シャツ又はブラウス）の下に着用されるときに継ぎ目のない外観を提供するために役立つことができる。いくつかの実施形態では、第１のパネル２０２及び／又は第２のパネル２０４は、例えば開口部２３０の中で、（図７Ａ及び図７Ｂに示される）搾乳器２９０の乳房シールド２９４等の搾乳器の一部分の位置決め、支持、及び／又は保持を支援してよい。さらに又は代わりに、第１のパネル２０２及び／又は第２のパネル２０４は、例えば開口部２３０の中の（図７Ａ及び図７Ｂに示される）搾乳器２９０のポンピング容器等のポンピング容器、及び／又は例えば乳房パッド２４０等の乳房パッドの一部分の位置決め、支持、及び／又は保持を支援してよく、これは図４Ａから図４Ｃに関して以下により詳細に説明される。
【００３４】
［0129］  第１の巻き付け形パネル及び第２の巻き付け形パネル２３２及び２３４は、例えば外部パネル、又はポンピングパネル、又はバックパネル、又はこれらのパネルの任意の組合せの一部分に固着されてよく、下着２００が、既知の下着／ブラジャーに類似した方法で、クロージャ２２１及び２２２を介して着用者の回りで閉じ得るように着用者の体（通常、側面及び後部）を包み込むために役立ってよい。
【００３５】
［0130］  図２Ｂは、左内側層２１４及び右内側層２１２を露出するために、外部パネルの第１のパネル２０２及び第２のパネル２０４なしの下着２００の前面図を示す。左内側層２１４は、ポンピングパネルの中で、（左乳房を覆う）下着２００の左側に位置してよく、下着２００の左側に位置決めされた中心層２１０の一部分に部分的に重なるように配置されてよい。左内側層２１４は、上部固着領域及び／又は下部固着領域２２５で中心層２１０に（例えば、縫製、化学結合、熱接着等を介して）部分的に固着されてよい。左内側層２１４及び中心層２１０が互いに固着していない上部固着領域と下部固着領域２２５との間の領域は、左内側層２１４と中心層２１０との間で開口部２３０を画定する。
【００３６】
［0131］  右内側層２１２は、（右乳房を覆う）下着２００の右側に位置し、下着２００の右側に位置決めされた中心層２１０の一部分に部分的に重なるように配置されてよい。右内側層２１２は、上部固着領域及び／又は下部固着領域２２５で中心層２１０に（例えば、縫製、化学結合、熱接着等を介して）部分的に固着されてよい。右内側層２１２及び中心層２１０が互いに固着していない上部固着領域と下部固着領域２２５との間の領域は、右内側層２１２と中心層２１０との間に開口部２３０を画定する。
【００３７】
［0132］  本実施形態では、右内側層２１２と中心層２１０との間、及び左内側層２１４と中心層２１０（例えば、重なり合う材料部分）及び／又は開口部（複数可）２３０との間の固着領域２２５の付着線（例えば、ステッチング）は、下着２００の底縁に対して傾斜して斜めに配向される。部分的に重なる及び／又は重ねられた左内側層２１４及び中心層２１０の付着線の例示的な角度は、下着２００の底縁に対して約３０°から約８０°の範囲内の任意の角度を含んでよい。部分的に重なる及び／又は重ねられた右内側層２１２及び中心層２１０の付着線の例示的な角度は、下着２００の底縁に対する約１００°から約１５０°の範囲内の任意の角度（つまり、約３０°から約８０°）を含んでよい。したがって、開口部２３０のそれぞれは、衣類の中心から上方への方向で曲げられる。いくつかの実施形態では、開口部２３０の斜めの配向は、それぞれ下着２００の第１の側面及び第２の側面上の開口部２３０にとって実質的には（＋／−１０％）４５°又は１３５°であってよい。いくつかの代替実施形態では、付着線及び開口部２３０の角度は、反対方向に曲げられることができる。例えば、ブラジャーの右側での付着線は、（例えば、下着２００の底縁に対して約３０°から約８０°の範囲の角度で）ブラジャーの上端から巻き付け形パネル２３４に向かって下方に曲がる場合があり、ブラジャーの左側の付着線は、（例えば、下着２００の底縁に対して約１００°から約１５０°の範囲の角度で）ブラジャーの上縁から巻き付け形パネル２３２に向かって下方に曲がることができる。
【００３８】
［0133］  開口部（複数可）２３０は、例えば搾乳器の乳房シールド２９４等の搾乳器の少なくとも一部分を開口部（複数可）２３０の中に挿入し、着用者の乳房（複数可）に接触できるようにするサイズで作られ、下着２００の中に位置決めされてよい。一実施形態では、乳房シールド２９４の開口部２３０への挿入は、固着領域２２５間に位置決めされた中心層２１０の一部分を左内側層２１４及び／又は右内側層２１２から分離することによって達成されてよい。分離は、中心層２１０、左内側層２１４、及び／又は右内側層２１２を所望される構成の中へ持ち上げる、押し込む、及び／又は引っ張ることによって達成されてよい。右内側層２１２及び中心層２１０の重なり合う部分並びに開口部２３０を画定する左内側層２１４及び中心層２１０は、通路を通って挿入される搾乳器の一部分（例えば、乳房シールド２９４）を支えるための通路を画定する材料の幅又は奥行きを提供する。
【００３９】
［0134］  開口部（複数可）２３０の斜角は、例えば着用者の１つ又は複数の乳房の乳首と位置合わせするために、開口部２３０の斜角に沿って搾乳器の部分の可撓性及び移動を提供できる。したがって、利用者／着用者は、開口部２３０の中で所望される角度及び／又は向きで搾乳器を位置決めする改善された能力を有することができる。例えば、開口部２３０の斜角は、着用者が、開口部２３０の中で左右に及び／又は上下に搾乳器を位置決めし直すことを可能にできる。また、斜めの開口部２３０は、ポンピング容器（例えば、母乳瓶）が搾り出された母乳の収集から重量を増すにつれ、搾乳器の支持を増加することもできる。いくつかの実施形態では、第１のパネル２０２及び／又は第２のパネル２０４は、開口部（複数可）２３０にアクセスするために着用者によって動かされてよい、又は位置決めし直されてよい。いくつかの場合、第１のパネル２０２及び／又は第２のパネル２０４は、中心層２１０、左内側層２１４、右内側層２１２、及び／又は開口部２３０を露出するために下着２００から取り外されてよい、又は引き下げられてよい。いくつかの実施形態では、衣類２００は、第１のパネル２０２及び／又は第２のパネル２０４を含まないことができる。これらの実施形態では、中心層２１０、左内側層２１４、及び／又は右内側層２１２の移動は、開口部２３０を露出することができる。
【００４０】
［0135］  図２Ｃは、任意選択のバックパネル２２０を示す下着２００の背面図又は後面図を示す。バックパネル２２０は、着用時、着用者の乳房だけではなく下着にも構造的な支持を提供するために役立ってよい。いくつかの実施形態では、バックパネル２２０は、例えば中心層２１０、左内側層２１４、右内側層２１２、第１のパネル２０２、及び／又は第２のパネル２０４よりもより堅い材料、又は材料の層から作られてよい。バックパネル２２０は、「ｗ」タイプの形状で構成されてよく、中心及び側面にバックパネル２２０用の材料、及び材料がない２つの曲線形状の切欠き部分がある。曲線形状の切欠き部分は、着用者の乳房と位置合わせし、着用者の乳房の真下／回りにフィットするように構成されてよい。本明細書に使用される「材料」は、単一のパネル又は布地の層に限定されるのではなく、任意の組合せ材料又は材料の層であってよいことが、当業者により理解される。
【００４１】
［0136］  いくつかの例では、下着２００は、任意選択のバックパネル２２０を含まなくてもよいことに留意されたい。これらの例では、例えば、第１の巻き付け形パネル２３２、中心層２１０、左内側層２１４、右内側層２１２、及び／又は第２の巻き付け形パネル２３４の底縁は、互いに及び／又はストラップ（不図示）又は下着２００の構築及び／又はクロージャ２２１と２２２の付着を容易にするための他の機構に固着されてよい。さらに、バックパネル２２０が下着２００に含まれないとき、（図３Ａ及び図３Ｂに関して以下に詳細に説明される）係合機構２５０の第１の部分及び第２の部分は、それぞれ、例えば中心層２１０、左内側層２１４、及び右側内側層２１２に付着されてよい。
【００４２】
［0137］  さらに、中心層２１０、左内側層２１４、右内側層２１２、及びバックパネル２２０は、互いに固着された（例えば、縫製された、化学的に結合された等）１つ以上の異なる層、布地、パネル等の部分を含んでよい。
【００４３】
［0138］  図２Ｄは、第１のパネル２０２、第２のパネル２０４、中心層２１０、左内側層２１４、及び／又は右内側層２１２が、例えば着用者の乳房の三次元形状を収容するために、どのように下着２００の平面から垂直に又は実質的に垂直に延在するのかを示す、下着２００の斜視図を提供する。さらに、図２Ｄは、上部固着領域及び／又は下部固着領域２２５が縫製され、その間の領域が開口部２３０を可能にすることも示す。図２Ｅは、固着領域２２５及び開口部２３０を示す下着２００の代替後面図を提供する。
【００４４】
［0139］  いくつかの実施形態では、図３Ａに示されるように、係合機構２５０は、第２の係合部材２５０Ｂに結合（又は係合又は付着）できる第１の係合部材２５０Ａを含む（図３Ａ及び図３Ｂは、互いから切り離された又は離された第１の係合部材及び第２の係合部材を示す）。係合部材２５０Ａは、図３Ａ及び図３Ｂに示されるようにバックパネルに付着できる。係合部材２５０Ｂは、図３Ａに示されるように中心層２１０に結合できる。第１の及び第２の係合部材２５０Ａ及び２５０Ｂ並びに／又はバックパネル２２０の延長部分は、それぞれ、着用者が、着用時に着用者の乳房及び下着２００に支持を提供するだけではなく、下着２００を付ける及び脱ぐことを可能にするサイズ及び形状に作られたショルダーストラップ２０６に固着されてよい。ショルダーストラップ２０６は、図５Ａから図５Ｄに関して以下により詳細に説明される、第１の固締部材２１６Ａを含むことができる。
【００４５】
［0140］  図３Ｂは、係合部材２５０Ａ及び２５０Ｂが互いに係合されていないとき、係合部材２５０Ａに固着されたバックパネル２２０の延長部分を示す下着２００の背面図又は後面図を示す。係合部材２５０Ａ及び２５０Ｂが互いに係合していないとき、中心層２１０、左内側層２１４、右内側層２１２、第１のパネル２０２、及び／又は第２のパネル２０４の一部分は、示されるように、バックパネル２２０から切り離されてよい。このようにして、着用者により着用されるとき、切り離された係合部材２５０Ａ及びそれに固着された下着２００の一部分は、着用者の下部の乳房（複数可）の一部分を露出するために位置決めし直されてよい、又は動かされてよい。
【００４６】
［0141］  図４Ａは、図４Ｂ及び図４Ｃに示されるように、第１のパネル２０２の一部分と右側内側層２１２の一部分及び／又は中心層２１０の一部分との間で下着２００の中に取外し自在に挿入できる乳房パッド２４０を示す。乳房パッド２４０は、例えば、布地、フォームラバー、ゴム、又はそのなんらかの組合せから製造されてよい。乳房パッド２４０は、使い捨て又は再利用可能のどちらかであってよい。乳房パッド２４０は、再利用可能であるとき、機械又は手で洗浄可能となるように製造されてよい。いくつかの実施形態では、乳房パッド２４０は、下着２００の外面を滑らかにする、下着２００にボリュームを加える、及び／又は着用者の下部乳房又は乳首を保護するために役立ってよい。
【００４７】
［0142］  図５Ａから図５Ｄは、ショルダーストラップ２０６をどのように下着２００に結合できるのかを示す図を提供する。上述されたように、ストラップ２０６は、それぞれ、その端部に結合された第１の固締部材２１６Ａを含む。ストラップ２０６を下着２００の本体に結合するために、第１の固締部材２１６Ａは、図５Ａに示されるように、下着２００の本体の上方の／上部の外周部分に沿って配置された第２の固締部材２１６Ｂに結合できる。図５Ｂに示されるように、第２の固締部材２１６Ｂは、例えばその長さに沿って複数の開口部又は穴２４３を画定する１枚の布地又は弾性材料２４１を含むことができる。いくつかの実施形態では、穴２４３は、図５Ｂに示されるように、ボタン穴に似てもよい。１枚の布地又は弾性材料２４１は、下着２００の一部分２４７（例えば、上縁）に固着されてよい、又は縫い付けられてよい。例えば、いくつかの実施形態では、１枚の布地２４１は、１枚の布地２４１に画定された穴２４３が、下着２００の上縁に沿って目に見えるように、中心層２１０と内側層２１２、２１４との間に配置できる。
【００４８】
［0143］  図５Ｃ及び図５Ｄは、ショルダーストラップ２０６に固着された固締部材２１６Ａが、第２の固締部材２１６ｂの選択された穴２４３にどのように解放自在に結合できるのかを示す。図５Ｃ及び図５Ｄに最も良く示されるように、第１の固締部材２１６Ａは、選択された穴２４３の中に挿入できるフックに似ることができる。固締部材２１６Ａは、次いで下着２００に固締された第２の固締部材２１６Ｂの平面に実質的に平行になるように、穴２４３の中で位置決めできる（図５Ｄを参照）。第１の固締部材２１６Ａは、穴２４３の中でのその位置決め又は係合のおかげで、及び／又は摩擦によって固締部材２１６Ｂの穴２４３の選択された１つにしっかりと且つ取外し自在に付着されてよい。
【００４９】
［0144］  図５Ａに示されるように、下着２００は、下着２００の上部外周に沿った複数の場所で固締部材２１６Ｂを含むことができる。例えば、固締部材２１６Ｂの第１の部分は、下着２００の上部外周の一部分に沿って配置でき、固締部材２１６Ｂの第２の部分は、第１の巻き付け形パネル２３２及び第２の巻き付け形パネル２３４の一部分の外側境界に沿って配置できる。固締部材２１６Ｂの第２の部分の一部分は、中心層２１０の上部外周に固着されてもよい。
【００５０】
［0145］  第２の固締部材２１６Ｂの複数の穴２４３は調節機能を提供し、着用者が、例えば、着用時に下着２００の快適さを改善する、並びに／又は乳房の重量、搾乳器の一部分、及び／若しくは乳房から母乳を搾り出すときに使用されることができる、搾乳された母乳の容器（例えば、ポンピング容器１００等）に支持を提供するために多様な異なる場所でストラップ２０６を下着２００に結合できるようにする。例えば、図６Ａに示されるように、着用者は、第１のショルダーストラップ２０６の第１の固締部材２１６Ａを、第２の巻き付け形パネル２３４上の位置で第２の固締部材２１６Ｂの穴２４３に結合してよく、第１の固締部材２１６Ａを有する第２のショルダーストラップ２０６は、第１のショルダーストラップ２０６よりも中心層２１０により近い第１の巻き付け形パネル２３２上の位置で第２の固締部材２１６Ｂの穴２４３に結合できる。ストラップ２０６の下着２００の本体への付着の調節機能により、着用者は所望されるようにストラップ２０６の位置決めを調整できる。
【００５１】
［0146］  図６Ｂは、中心ストラップ２４６とともに使用されている下着２００を示す。ストラップ２４６は、単一のループで着用者の首を包み込む場合があり、各端部にフック２１６を有することができる。いくつかの実施形態では、中心ストラップ２４６は、互いに結合された（例えば、互いに縫い付けられた）単一のループであり、単一の付着機構（不図示）（例えば、フック）を有するネックストラップであり得る。ストラップ２４６は、着用者の首を包み込み、次いで着用者の首から下着２００に向かって下方に伸長してよい。いくつかの実施形態では、ネックストラップ２４６は、コンフォート部分の端部においてよりもコンフォート部分の中心においてより大きい幅を有するコンフォート部分を含むことができる。中心ストラップ２４６は、第２の固締部材２１６Ｂの使用可能な穴２４３と係合されてよい、第１の固締部材２１６Ａを含んでよい。しばしば、中心ストラップ２４６は、図６Ｂに示されるように、中心層２１０の上部外周に沿って位置決めされた又は上部外周に結合された第２の固締部材２１６Ｂの部分と係合されてよい。中心ストラップ２４６は、着用者が母乳を搾乳しているとき、特に搾乳器容器が母乳でいっぱいであるとき、追加の安定性を提供することによって下着２００を定位置に保つのに役立つことができる。
【００５２】
［0147］  第１の固締部材及び第２の固締部材２１６Ａ及び２１６Ｂの結合の構成が、図６Ａ及び図６Ｂによって提供される例によって限定されないことが理解される。例えば、着用者は、下着２００の右側のショルダーストラップ２０６の第１の固締部材２１６Ａが、下着２００の左側の巻き付け形パネル２３４に配置された第２の固締部材２１６Ｂに結合されるように、ショルダーストラップ２０６を交差させてよい。さらに又は代わりに、着用者は、第２の固締部材２１６Ｂの任意の使用可能な穴２４３に中心ストラップ２４６の第１の固締部材２１６Ａを位置決めしてよい。
【００５３】
［0148］  図７Ａは下着２００を示し、第２のパネル２０４及び左内側層２１４、並びに／又は中心層２１０の一部分が、開口部２３０を露出するために位置決めし直されることを示している。また、図７Ａは、開口部２３０へのアクセスを可能にするために下方に押された又は動かされた第１のパネル２０２の一部分も示す。中心層２１０は、開口部２３０を通して搾乳器の一部分（例えば、搾乳器本体２０６の乳房シールド）に通路を提供するために、右内側層２１２から分離される。このようにして、搾乳器本体２９６の乳房シールドは、乳房から母乳を搾り出す、及び／又は搾乳するために着用者の下部乳房に接触してよい。中心層２１０、第１のパネル２０２、及び／若しくは右内側層２１２は、乳房シールド、搾乳器本体２９６、及び／若しくはポンピング容器２９０に貯蔵される搾り出された母乳の重量の一部分を支える、並びに／又は搾乳器本体２９６の乳房シールドを着用者の乳房に対して固定するのを支援するために働いてよい。
【００５４】
［0149］  図７Ｂは、図７Ｂに示される方法と類似する方法で下着２００を着用しながら、第１の側面（着用者の左側）で搾乳器又はその一部分を使用する着用者を示す。
【００５５】
［0150］  図８Ａから図９Ｂは、下着３００の多様なビュー及び構成要素を示す。下着３００は、例えば下着１００又は下着２００等の本明細書に説明される下着のいずれかに構造及び／又は機能において同じ又は類似し得る。例えば、下着３００は、外側パネル３６０、（図８Ｃに示される）内側パネル３７０、及び（図８Ｅに示される）１つ以上のサポートストラップ３８０を含むことができる。また、下着３００は、２本のショルダーストラップ３０６を含むことができある。各ショルダーストラップ３０６は、（本明細書では「留め金」とも呼ばれる）係合機構３５０を介して外側パネル３６０、内側パネル３７０、及びサポートストラップ３８０に結合できる。サポートストラップ３８０は、係合機構３５０を介して、第１の端部でバックパネル３２０に、及び第２の端部でショルダーストラップ３０６のうちの１本に結合できる。代替実施形態では、サポートストラップ３８０は、バックパネル３２０に対してよりむしろ下着３００の下部バンドに対して付着できる。ショルダーストラップ３０６のそれぞれは、（係合機構３５０を介して）サポートストラップ３８０に結合された第１の端部、及びバックパネル３２０に結合された第２の端部を有することができる。外側パネル３６０及び／又は内側パネル３７０は、例えば縫製／ステッチングによって、例えば外側パネル３６０の底縁に沿って、及び／又は内側パネル３７０の底縁に沿ってバックパネル３２０に付着できる。同様に、外側パネル３６０及び内側パネル３７０は、底縁の少なくとも一部分に沿って、及び／又は外側パネル３６０及び内側パネル３７０の上縁の少なくとも一部分に沿って互いに結合できる。
【００５６】
［0151］  内側パネル３７０及び外側パネル３６０はそれぞれ、それぞれ材料の１つ以上の層で形成された１つ以上のパネルを含むことができる。例えば図８Ａに示されるように、外側パネル３６０は、右外側パネル３６２及び左外側パネル３６４を含む。例えば図８Ｃに示されるように、内側パネル３７０は、右内側パネル３１２及び左内側パネル３１４を含む。右内側パネル３１２及び左内側パネル３１４は、それぞれ着用者の右乳房及び左乳房のカバーのための形状及びサイズに作ることができる。右内側パネル３１２及び左内側パネル３１４のそれぞれは、一部分が付着されず、第１の部分３１５と第２の部分３１７との間で開口部３３０（図８Ｃを参照すること）を画定できるように互いに結合される第１の部分３１５及び第２の部分３１７を含むことができる。いくつかの実施形態では、第１の部分３１５及び第２の部分３１７は、開口部３３０を画定できる重なり合う部分を含むことができる。第１の部分３１５及び第２の部分３１７は、例えば第１の部分３１５及び第２の部分３１７を互いから離して動かすことによって分離され、それによって開口部３３０を生じさせ、利用者の乳房にアクセスを提供できる。搾乳器は、次いで開口部３３０を通して挿入でき、内側パネル３７０は、母乳抽出中に搾乳器を支えるのに役立つことができる。
【００５７】
［0152］  さらに、図８Ｃに示されるように、内側パネル３７０は、内側パネル３７０の上縁に画定された１つ以上の穴３４３を含むことができる。例えば、いくつかの実施形態では、内側パネル３７０は穴３４３を画定できる。いくつかの実施形態では、別個の構成要素が穴３４３を画定し、内側パネル３７０に結合される。穴３４３は、図５Ａから図５Ｄに関して上述された穴２４３に、構造及び／又は機能において同じ又は類似することができる。例えば、中心ストラップ３４６は、穴３４３のいずれかとの解放自在な係合を介して内側パネル３７０に付着されることができる。中心ストラップ３４６は、上述された中心ストラップ２４６に構造及び／又は機能において同じ又は類似することができる。
【００５８】
［0153］  係合機構３５０は、例えば、上述された係合機構１５０及び２５０等の本明細書に説明される係合機構のいずれかに構造及び／又は機能において同じ又は類似し得る。図８Ａの領域８Ｂの拡大図である図８Ｂに示されるように、本実施形態では、係合機構３５０は、第１の部分３５２、第２の部分３５４、及び第３の部分３５６を含むことができる。第１の部分３５２は、第２の部分３５４に解放自在に結合可能である場合があり、第２の部分３５４は、第３の部分３５６に解放自在に結合可能であることができる。第１の部分３５２は、第１の開口部３８１よりも延長部分３５１の反対側に（図８Ｆに最もよく示されるように）延長部分３５１、第１の開口部３８１、及び第２の開口部３８３を含むことができる。第２の部分３５４は、第１の開口部３５５よりもタブ部分３５３の反対側にタブ部分３５３、第１の開口部３５５、及び第２の開口部３５７を含むことができる。第３の部分３５６は、フック部分３５８及び開口部３５９を含むことができる。フック部分３５８は、例えば、図５Ｃ及び図５Ｄに示されるファスナー２１６Ａに類似する又は同じｓ字形状のフックであることができる。
【００５９】
［0154］  係合機構３５０の第１の部分３５２は、例えばステッチングでショルダーストラップ３０６のうちの１本に結合される。例えば、ショルダーストラップ３０６のうちの１本の末端部分は第１の開口部３８１を通してループにされ、第１の部分３５２がショルダーストラップ３０６のループの中で固定されるように（例えば、ステッチングで）それ自体に付着できる。さらに、第１の部分３５２は、サポートストラップ３８０が第１の部分３５２に固定できるように、第２の開口部３８３を通してサポートストラップ３８０の一部分を受け入れるように構成できる（例えば、図８Ｅ及び図８Ｆを参照）。第１の部分３５２の延長部分３５１は、以下により詳細に説明されるように、第２の部分３５４を第１の部分３５２に解放自在に結合し、したがって内側パネル３７０をサポートストラップ３８０に解放自在に結合するために、第２の部分３５４の第１の開口部３５５を通して挿入される形状及びサイズに作ることができる。第２の部分３５４のタブ部分３５３は、第１の部分３５２の延長部分３５１が第２の部分３５４の第１の開口部３５５を通して受け入れられるとき、タブ部分３５３が延長部分３５１に接触又は係合し、第１の部分３５２とのロック係合の中に曲げられる、又はクリックされるような形状及びサイズに作ることができる（例えば、留め金３５０のタブ部分３５３及び延長部分３５１の係合をより詳細に示す図９Ａ及び図９Ｂを参照すること）。いくつかの実施形態では、タブ部分３５３は、第２の部分３５４が第１の部分３５２との係合に移動するにつれ、タブ部分３５３がわずかに曲がり、次いでロック係合に嵌るように十分に弾力性があり得る。
【００６０】
［0155］  例えば、図９Ａ及び図９Ｂは、それぞれ第１の構成及び第２の構成での係合機構３５０の第１の部分３５２及び第２の部分３５４の側面図である。図９Ａに示されるように、第１の部分３５２の延長部分３５１は、それが第２の部分３５４の第１の開口部３５５を通して挿入できるような形状及びサイズに作ることができる。上述されたように、第２の部分３５４のタブ部分３５３は、図９Ｂに示されるように、第１の部分３５２の延長部分３５１が、第２の部分３５４の第１の開口部３５５を通して受け入れられるとき、タブ部分３５３が延長部分３５１に接触又は係合し、第１の部分３５２とのロック係合に曲げられる又はクリックされるような形状及びサイズに作ることができる。例えば、第２の部分３５４を第１の部分３５２と解放自在に係合するために、第１の部分３５２の延長部分３５１は、図９Ａに示されるように、第２の部分３５４の第１の開口部３５５を通して挿入できる。最初に、第２の部分３５４は、（図９Ａに示されるように）第１の部分３５２に対して斜めに配置され、利用者が第１の部分５５２に向かって第２の部分３５４を動かすにつれ、タブ部分３５３は、第２の部分３５４が、図９Ｂに示されるように、第１の部分３５２との当接平面関係となるまで、延長部分３５１を過ぎて曲がることができる。第１の部分３５２と第２の部分３５４との間の係合は、タブ部分３５３が第１の部分３５２と離されるまで、延長部分３５１を通り越してタブ部分３５３を曲げるほど十分に第２の部分３５４に引張り力を印加することによって逆にすることができる。
【００６１】
［0156］  本実施形態では、内側パネル３７０を留め金３５０の第２の部分３５４に固定するために、内側パネル３７０は、ループ部分３１１を含むことができる。すなわち、例えば図８Ｄに示されるように、ループ部分３１１は、内側パネル３７０の一部分を、留め金３５０の第２の部分３５４の第２の開口部３５７に通し、それ自体の上でそれを折り畳み、それを内側パネル３７０に縫い付けることによって形成できる。代わりに、ループ部分３１１は、第２の開口部３５７を通して挿入され、（例えばステッチングで）内側パネル３７０に固定される別個の構成要素又は材料の部分であることができる。同様に、留め金３５０の第３の部分３５６は、外側パネル３６０が、ループ３１１について説明されるのと同様に留め金３５０の第３の部分３５６に固定できるように、第３の部分３５６の開口部３５９の中で外側パネル３６０の一部分を受け入れることができる（例えば、開口部３５９を通してループにされている、例えば外側パネル３６０の一部分）。第３の部分３５６のフック部分３５８は、フック部分３５８を第３の部分３５６に解放自在に結合し、したがって外側パネル３７０を内側パネル３６０に解放自在に結合するために、内側パネル３７０のループ部分３１１によって画定されるチャネルの中に挿入され、固定されることができる。
【００６２】
［0157］  上述された図８Ａ及び図８Ｂに示されるように、係合機構３５０の第１の部分３５２及び第２の部分３５４は、内側パネル３７０（例えば、右側パネル及び左側パネル３１２及び３１４）をサポートストラップ３８０に結合するために係合できる。さらに、第３の部分３５６は、外側パネル３６０（例えば、右外側パネル及び左外側パネル３６２及び３６４）が、内側パネル３７０（例えば、右内側パネル及び左内側パネル３１２及び３１４）を覆うように内側パネル３７０のループ部分３１１を通してフック３５８を挿入することによって第２の部分３５４に結合できる。外側パネル３６０は、図８Ａで内側パネル３７０全体を覆うとして示されているが、いくつかの実施形態では、外側パネル３６０は、内側パネル３７０の一部分だけしか覆わなくてもよい。例えば、いくつかの実施形態では、外側パネル３６０は、内側パネル３７０のカップ部分だけを覆ってもよい。
【００６３】
［0158］  図８Ｃは、外側パネル３６０が例示的な目的のために完全に取り外されて示される下着３００の前面図である。下着３００は、外側パネル３６０が完全に取り除かれた状態で示されているが、第３の部分３５６が内側パネル３７０のループ部分３１１から取り外されているとき、外側パネル３６０が、内側パネル３７０に付着したままとなるであろうことを理解されたい。例えば、上述されたように、外側パネル３６０は、例えば縫製／ステッチングによってカップ領域の外部の領域で内側パネル３７０の底縁の一部分及び／又は上端の一部分に沿って内側パネル３７０に付着できる。
【００６４】
［0159］  図８Ｃの領域８Ｄの拡大図である図８Ｄに示されるように、外側パネル３６０は、内側パネル３７０のループ部分３１１から第３の部分を取り外す（つまり、フック部分３５８を取り外す）ことによって内側パネル３７０から外されている。したがって、内側パネル３７０は露出され、利用者によってアクセス可能である。図８Ｃに示されるように、左外側パネル３６４及び右外側パネル３６２の取り外し（例えば、折り畳むこと）は、左内側パネル３１４及び右内側パネル３１２を明らかにすることができる。外側パネル３６２及び／又は３６４が動かされて、内側パネル３１２及び／又は３１４の少なくとも一部分をむき出しにした状態で、利用者は、上述されたように搾乳器を挿入するために開口部３３０にアクセスできる。
【００６５】
［0160］  図８Ｅは、内側パネル３７０が例示的な目的のために完全に取り外された状態で示される下着３００の前面図である。したがって、図８Ｅの領域８Ｆの拡大図である図８Ｆに示されるように、外側パネル３６０及び内側パネル３７０が係合機構３５０の第１の部分３５２から及びサポートストリップ３８０からともに外されるとき、下着３００はまだショルダーストラップ３０６とサポートストラップ３８０を介して着用者の体の上の定位置に保持できる。下着３００は、外側パネル３６０及び内側パネル３７０が完全に取り外された状態で図８Ｅに示されるが、第２の部分３５４が係合機構３５０の第１の部分から切り離されるとき、外側パネル３６０と内側パネル３７０が、バックパネル３２０に少なくとも部分的に付着されたままとなるであろうことを理解されたい。例えば、上述されたように、外側パネル３６０及び／又は内側パネル３７０は、例えば縫製／ステッチングによって外側パネル３６０及び／又は内側パネル３７０の底縁に沿ってバックパネル３２０に付着できる。
【００６６】
［0161］  使用中、下着３００は、図８Ａの構成で着用者によって着用されることができる。例えば搾乳のために着用者の乳房へのアクセスが所望される場合、外側パネル３６０（例えば、右外側パネル３６２及び／又は左外側パネル３６４）は、係合機構３５０の第２の部分３５４から第３の部分３５６を外す又は解くことによって内側パネル３７０（例えば、右内側パネル３１２及び／又は左内側パネル３１４）から外され、外側パネル３６０は、内側パネル３７０がアクセス可能であるように動かされ得るる（例えば、折り畳まれる）。上述されたように、内側パネル３７０の第１の部分３１５及び第２の部分３１７（例えば、右内側パネル３１２及び／又は左内側パネル３１４）は、それを通して着用者の乳房にアクセス可能となり、搾乳器の一部分を挿入できる開口部３３０を生じさせるために分離する（例えば、引き伸ばす又は折り畳む）ことができる。着用者の乳房への追加のアクセスが所望される場合、内側パネル３７０は、係合機構３５０の第２の部分３５４を係合機構３５０の第１の部分３５２から取り外す／外すことによって、サポートストラップ３８０及びショルダーストラップ３０６から外すことができる。いくつかの実施形態では、外側パネル３６０及び内側パネル３７０は、第３の部分３５６を内側パネル３７０のループ部分３１１から取り外すことなく、外側パネル３６０及び内側パネル３７０をショルダーストラップ３０６及びサポートストラップ３８０から同時に外すことができる。所望されるとき、内側パネル３７０及び外側パネル３６０は、係合機構の第１の部分３５２に第２の部分３５４を再結合し、内側パネル３７０のループ部分３１１に係合機構３５０の第３の部分３５６を再結合することによってショルダーストラップ３０６及びサポートストラップ３８０に付着し直すことができる。
【００６７】
［0162］  図１０及び図１１Ａから図１１Ｃは、下着４００の多様なビュー及び構成要素を示す。下着４００は、図８Ａから図９Ｂに示され、上述された下着３００に構造及び機能において同じ又は類似し得る。例えば、下着４００は、右外側パネル４６２及び左外側パネル４６４を有する外側パネル４６０、右内側パネル（不図示）及び（図１１Ｂ及び図１１Ｃに示される）左内側パネル４１４を有する（図１１Ｂに示される）内側パネル４７０、（図１１Ｃに示される）サポートストラップ４８０、及びバックパネル４２０を含むことができる。下着４００は、２本のショルダーストラップ４０６を含むことができる。各ショルダーストラップ４０６は、上述の実施形態について説明されるように（本明細書では「留め金」とも呼ばれる）係合機構４５０を介して、外側パネル４６０、内側パネル４７０、及びサポートストラップ４８０に結合できる。
【００６８】
［0163］  係合機構４５０は、係合機構３５０等の本明細書に説明される係合機構のいずれかに構造及び／又は機能において同じ又は類似し得る。下着４００の一部分の前面図である図１１Ａに示されるように、係合機構４５０は、第１の部分４５２、第２の部分４５４、及び第３の部分４５６を含むことができる。第１の部分４５２は、第２の部分４５４と解放自在に係合可能である場合があり、第２の部分４５４は、第３の部分４５６に解放自在に係合可能であることができる。第１の部分４５２は、第１の開口部４８１よりも延長部分４５１の反対側に、（図１１Ｃに最もよく示される）延長部分４５１、第１の開口部４８１、及び第２の開口部４８３を含むことができる。第２の部分４５４は、第１の開口部４５５よりもタブ部分４５３の反対側にタブ部分４５３、第１の開口部４５５、及び第２の開口部４５７を含むことができる。フック部分４５８は、例えば、図５Ｃ及び図５Ｄに示されるファスナー２１６Ａに類似する又は同じｓ形状のフックであることができる。
【００６９】
［0164］  係合機構４５０の第１の部分４５２は、例えばステッチングでショルダーストラップ４０６のうちの１本に結合される。例えば、ショルダーストラップ４０６のうちの１本の末端部分は第１の開口部４８１を通してループにされ、第１の部分４５２がショルダーストラップ４０６のループの中で固定されるようにそれ自体に付着できる。さらに、第１の部分４５２は、サポートストラップ４８０が第１の部分４５２に固定できるように、第２の開口部４８３を通してサポートストラップ４８０の一部分を受け入れるように構成できる（例えば、図１１Ｃを参照）。第１の部分４５２の延長部分４５１は、図９Ａ及び図９Ｂに関して上述されたのと同様に、第２の部分４５４を第１の部分４５２に解放自在に結合し、したがって内側パネル４６０をサポートストラップ４８０に解放自在に結合するために、第２の部分４５４の第１の開口部４５５を通して挿入される形状及びサイズに作ることができる。第２の部分４５４のタブ部分４５３は、第１の部分４５２の延長部分４５１が第２の部分４５４の第１の開口部４５５を通して受け入れられるとき、タブ部分４５３が延長部分４５１に接触又は係合し、第１の部分４５２とのロック係合の中に曲げられる、又はクリックされるような形状及びサイズに作ることができる。いくつかの実施形態では、タブ部分３５３は、第２の部分４５４が第１の部分４５２との係合に移動するにつれ、タブ部分４５３はわずかに曲がり、次いでロック係合に嵌るように十分に弾力性があってもよい。
【００７０】
［0165］  上記の実施形態と同様に、本実施形態では、内側パネル４７０を留め金４５０の第２の部分４５４に固定するために、内側パネル４７０は、ループ部分４１１を含むことができる。すなわち、例えば図１１Ｃに示されるように、ループ部分４１１は、内側パネル４７０の一部分を留め金４５０の第２の部分４５４の第２の開口部４５７に通し、それ自体の上でそれを折り畳み、それを内側パネル４７０に縫い付けることによって形成できる。代わりに、ループ部分４１１は、第２の開口部４５７を通して挿入され、（例えばステッチングで）内側パネル４７０に固定される別個の構成要素又は材料の部分であることができる。同様に、留め金４５０の第３の部分は、外側パネル４６０が、ループ４１１について説明されるのと類似した方法で留め金４５０の第３の部分４５６に固定できるように、第３の部分４５６の開口部４５９の中で外側パネル４６０の一部分を受け入れることができる（例えば、開口部４９９を通してループにされている、例えば外側パネル４６０の一部分）。第３の部分４５６のフック部分４５８は、フック部分４５８を第３の部分４５６に解放自在に結合し、したがって外側パネル３７０を内側パネル３６０に解放自在に結合するために内側パネル４７０のループ部分４１１によって画定されたチャネルの中に挿入し、固定することができる。
【００７１】
［0166］  図１１Ａに示され、上述されたように、係合機構４５０の第１の部分４５２及び第２の部分４５２は、内側パネル４７０がサポートストラップ４８０に結合されるように係合できる。さらに、さらに、第３の部分４５６は、外側パネル４６０が内側パネル４７０の少なくとも一部分を覆うように内側パネル４７０のループ部分４１１を介して第２の部分４５４に結合できる。外側パネル４６０は、図１０で内側パネル４７０全体を覆うとして示されているが、いくつかの実施形態では、外側パネル４６０は、内側パネル４７０の一部分だけしか覆わないことができる。例えば、いくつかの実施形態では、外側パネル４６０は、内側パネル４７０のカップ部分だけを覆うことができる。
【００７２】
［0167］  図１１Ｂは、外側パネル４６０及び係合機構４５０の第３の部分４５６が内側パネル４７０から外されて示された下着４００の一部分の前面図である。具体的には、外側パネル４６０は、内側パネル４７０のループ部分４１１から第３の部分４５６を取り外す（つまり、フック部分３５８を取り外す）ことによって内側パネル４７０から外されている。このようにして、外側パネル４６０を動かす（例えば、折り畳む）ことによって、内側パネル４７０は、明らかにされ、上記の実施形態について上述されたように内側パネル４７０によって画定された開口部（不図示）へのアクセスを利用者に提供することができる。
【００７３】
［0168］  図１１Ｃは、内側パネル４７０及び第２の部分４５４が第１の部分４５２から外されて示される下着４００の一部分の前面図である。ショルダーストラップ４０６のそれぞれは、下着３００について説明されるように、下着４００のバックパネル（不図示）に、及びサポートストラップ４８０に付着されることができる。したがって、図１１Ｃに示されるように、外側パネル４６０及び内側パネル４７０がともに係合機構４５０の第１の部分４５２及びサポートストラップ４８０から外されるときも、下着４００はまだショルダーストラップ４０６及びサポートストラップ３８０を介して着用者の体の上で定位置に保持できる。
【００７４】
［0169］  使用中、下着４００が着用者によって着用されるとき、着用者の乳房にアクセスして、例えば搾乳器を使用し、母乳を搾り出すために、外側パネル４６０は、ループ部分４１１からフック部分４５８のフックを外すことによって内側パネル４７０から外される場合があり、外側パネル４６０は、内側パネル４７０がアクセス可能であるように、動かす（例えば、折り畳む）ことができる。着用者の乳房への追加のアクセスが所望される場合、内側パネル４７０は、係合機構４５０の第１の部分４５２から係合機構４５０の第２の部分４５４を取り外すことによって、サポートストラップ４８０及びショルダーストラップ４０６から外されることができる。外側パネル４６０及び内側パネル４７０は、内側パネル４７０のループ部分４１１から係合機構４５０の第３の部分４５６を取り外すことなく、ショルダーストラップ４０６及びサポートストラップ４８０から同時に外すことができる。所望されるとき、内側パネル４７０及び外側パネル４６０は、係合機構４５０の第１の部分４５２を係合機構４５０の第２の部分４５４に再結合し、内側パネル４７０のループ部分４１１の第１の部分４５２を再結合することによって、ショルダーストラップ４０６及びサポートストラップ４８０に付着し直すことができる。
【００７５】
［0170］  図１２Ａから図１２Ｆは、下着６００の多様なビュー及び構成要素を示す。図１２Ａは、第１の構成の下着６００の前面図である。下着６００は、例えば下着１００又は下着３００等の本明細書に説明される下着のいずれかに構造及び／又は機能において同じ又は類似し得る。例えば、下着６００は、外側パネル６６０、（図１２Ｃに示される）内側パネル６７０、及び（図１２Ｅに示される）サポートストラップ６８０を含むことができる。下着６００は、２本のショルダーストラップ６０６を含むことができる。各ショルダーストラップ６０６は、（本明細書では「留め金」とも呼ばれる）係合機構６５０を介して、外側パネル６６０、内側パネル６７０、及びサポートストラップ６８０に結合されることができる。
【００７６】
［0171］  サポートストラップ６８０は、係合機構６５０を介して、第１の端部でバックパネル６２０に、及び第２の端部でショルダーストラップ６０６のうちの１本に結合されることができる。代替実施形態では、サポートストラップ６８０は、バックパネル６２０に対してよりむしろ下着６００の下部バンドに対して付着され得る。ショルダーストラップ６０６のそれぞれは、（係合機構６５０を介して）サポートストラップ６８０に結合された第１の端部、及びバックパネル６２０に結合された第２の端部を有することができる。外側パネル６６０及び／又は内側パネル６７０は、例えば縫製／ステッチングによって、例えば外側パネル６６０の底縁に沿って、及び／又は内側パネル６７０の底縁に沿ってバックパネル６２０に付着され得る。同様に、外側パネル６６０及び内側パネル６７０は、外側パネル６６０及び内側パネル６７０の底縁の少なくとも一部分に沿って、及び／又は上縁の少なくとも一部分に沿って互いに結合できる。
【００７７】
［0172］  内側パネル６７０及び外側パネル６６０はそれぞれ、それぞれ材料の１つ以上の層で形成された１つ以上のパネルを含むことができる。例えば図１２Ａに示されるように、外側パネル６６０は、右外側パネル６６２及び左外側パネル６６４を含む。例えば図１２Ｃに示されるように、内側パネル６７０は、右内側パネル６１２及び左内側パネル６１４を含む。右内側パネル６１２及び左内側パネル６１４は、それぞれ着用者の右乳房及び左乳房のカバーのための形状及びサイズに作ることができる。右内側パネル６１２及び左内側パネル６１４のそれぞれは、一部分が付着されず、第１の部分６１５と第２の部分６１７との間で開口部６３０（図１２Ｃを参照すること）を画定できるように互いに結合される第１の部分６１５及び第２の部分６１７を含むことができる。いくつかの実施形態では、第１の部分３１５及び第２の部分３１７は、開口部６３０を画定できる重なり合う部分を含むことができる。第１の部分６１５及び第２の部分６１７は、例えば第１の部分６１５及び第２の部分６１７を互いから離して動かすことによって分離され、それによって開口部６３０を生じさせ、利用者の乳房にアクセスを提供できる。搾乳器は、次いで開口部６３０を通して挿入でき、内側パネル６７０は、母乳抽出中に搾乳器を支えるのに役立つことができる。
【００７８】
［0173］  さらに図１２Ｃ及び図１２Ｄに示されるように、内側パネル６７０は、内側パネル６７０の上縁に画定された１つ以上の穴６４３を含むことができる。例えば、いくつかの実施形態では、内側パネル６７０が穴６４３を画定することができる、及び／又は穴６４３は、内側パネル６７０に結合された別個の構成要素によって画定されることができる。上記の実施形態について説明されるように、中心ストラップ６４６は、穴６４３のいずれかとの選択的な解放自在な係合によって内側パネル６７０に付着できる。中心ストラップ６４６は、上述された中心ストラップ２４６に構造及び／又は機能において同じ又は類似し得る。
【００７９】
［0174］  係合機構６５０は、例えば係合機構２５０及び／又は係合機構３５０等の本明細書に説明された係合機構のいずれかに構造及び／又は機能において同じ又は類似し得る。図１２Ａの領域１２Ｂの拡大図である図１２Ｂに示されるように、本実施形態では、係合機構６５０は、第１の部分６５２及び第２の部分６５４を含む。第１の部分６５２は、係合機構３５０について上述されたのと同じ方法で第２の部分６５４と解放自在に係合可能である。本実施形態では、外側パネル６６０は、スナップ結合６６３で内側パネルに解放自在に結合されることができる。スナップカプラ６６３は、以下により詳細に説明されるように、外側パネル６６０の一部分を内側パネル６７０の一部分に解放自在に結合するように構成されることができる。係合機構６５０の第１の部分６５２は、第１の開口部６８１よりも延長部分６５１の反対側に（図１２Ｆで最も良く示される）延長部分６５１、第１の開口部６８１、及び第２の開口部６８３を含むことができる。係合機構６５０の第２の部分６５４は、第１の開口部６５５よりもタブ６５３の反対側にタブ部分６５３、第１の開口部６５５、及び第２の開口部６５７を含むことができる。スナップカプラ６６３は、スナップ特徴を含むことができる。例えば、いくつかの実施形態では、スナップカプラ６６３は、外側パネル６６０に固定された第１のスナップ特徴６６３Ａ、及び内側パネル６７０に固定された第２の相補的なスナップ特徴６６３Ｂを含むことができる。
【００８０】
［0175］  係合機構６５０の第１の部分６５２は、例えば係合機構６５０について上述されたのと同じ方法でステッチングでショルダーストラップ６０６のうちの１本に結合される。例えば、ショルダーストラップ６０６のうちの１本の末端部分は第１の開口部６８１を通してループにされ、第１の部分６５２がショルダーストラップ６０６のループの中で固定されるようにそれ自体に付着できる。さらに、係合機構６５０の第１の部分６５２は、サポートストラップ６８０が第１の部分６５２に固定できるように、第２の開口部６８３を通してサポートストラップ６８０の一部分を受け入れることができる（例えば、図１２Ｅ及び図１２Ｆを参照）。第１の部分６５２の延長部分６５１は、図９Ａ及び図９Ｂに関して上述されたのと同様に、第２の部分６５４を第１の部分６５２に解放自在に結合し、したがって内側パネル６７０をサポートストラップ６８０に解放自在に結合するために、第２の部分６５４の第１の開口部６５５を通して挿入される形状及びサイズに作ることができる。第２の部分６５４のタブ部分６５３は、第１の部分６５２の延長部分６５１が第２の部分６５４の第１の開口部６５５を通して受け入れられるとき、タブ部分６５３が延長部分６５１に接触又は係合し、第１の部分６５２とのロック係合の中に曲げられる、又はクリックされるような形状及びサイズに作ることができる。いくつかの実施形態では、タブ部分６５３は、第２の部分６５４が第１の部分６５２との係合に移動するにつれ、タブ部分６５３はわずかに曲がり、次いでロック係合に嵌るように十分に弾力性があってもよい。
【００８１】
［0176］  本実施形態では、内側パネル６７０を留め金６５０の第２の部分６５４に固定するために、内側パネル６７０はループ部分６１１を含むことができる。すなわち、例えば図１２Ｄに示されるように、ループ部分６１１は、内側パネル６７０の一部分を留め金６５０の第２の部分６５４の第２の開口部６５７に通し、それ自体の上でそれを折り畳み、それを内側パネル６７０に縫い付けることによって形成できる。代わりに、ループ部分６１１は、第２の開口部６５７を通して挿入され、（例えばステッチングで）内側パネル６７０に固定される別個の構成要素又は材料の部分であることができる。
【００８２】
［0177］  図１２Ａ及び図１２に示され、上述されたように、係合機構６５０の第１の部分６５２及び第２の部分６５４は、内側パネル６７０（例えば、右内側パネル６１２及び左内側パネル６１４）をサポートストラップ６８０に解放自在に結合するために係合できる。さらにスナップカプラ６６３は、外側パネル６６０が、外側パネル６６０に固定された第１のスナップ特徴６６３Ａを、内側パネル６７０に固定された第２の相補的なスナップ特徴６６３Ｂと結合することによって、外側パネル６６０が内側パネル６７０を実質的に覆うように、外側パネル６６０（例えば、右外側パネル６６２及び左外側パネル６６４）を内側パネル６７０（例えば、右内側パネル６１２及び左内側パネル６１４）に解放自在に結合できる。外側パネル６６０は図１２Ａで内側パネル６７０全体を覆うとして示されているが、いくつかの実施形態では、外側パネル６６０は内側パネル６７０の一部分しか覆わないことができる。例えば、いくつかの実施形態では、外側パネル４６０は、内側パネル６７０のカップ部分だけを覆うことができる。
【００８３】
［0178］  図１２Ｃは、外側パネル６６０が例示的な目的のために完全に取り外されて示される下着６００の前面図である。下着６００は、外側パネル６６０が完全に取り外されて示されているが、外側パネル６６０の第１のスナップ特徴６６３Ａが内側パネル６７０の第２のスナップ特徴６６３Ｂから切り離されているときに、外側パネル６６０が内側パネル６７０に付着したままとなるであろうことを理解されたい。例えば、上述されたように、外側パネル６６０は、例えば縫製／ステッチングによってカップ領域の外の領域内で、内側パネル６７０の上縁の一部分に沿って及び／又は底縁の一部分に沿って内側パネル６７０に付着されることができる。
【００８４】
［0179］  図１２Ｃの領域１２Ｄの拡大図である図１２Ｄに示されるように、左外側パネル６６４は、左内側パネル６１４の第２のスナップ特徴６６３Ｂから外側パネル左外側パネル６６４の第１のスナップ特徴６６３Ａを取り外す（つまり、スナップを外す）ことによって左内側パネル６６１４から外されている。したがって、左内側パネル６１４は露出され、利用者によってアクセス可能である。図１２Ｃに示されるように、外側パネル６６２及び６６４を外し、動かす（例えば、折り畳む）ことは、右内側パネル６１２及び左内側パネル６１４を明らかにすることができる。外側パネル６６２及び／又は６６４が動かされ、内側パネル６１２及び／又は６１４の少なくとも一部分をむき出しにした状態で、利用者は、上述されたように搾乳器を挿入するために開口部６３０にアクセスできる。
【００８５】
［0180］  図１２Ｅは、内側パネル６７０が例示的な目的のために完全に取り外されて示される下着６００の前面図である。したがって、図１２Ｅの領域１２Ｆの拡大図である図１２Ｆに示されるように、外側パネル６６０及び内側パネル６７０がともにサポートストラップ６８０から外されるときも、下着６００はショルダーストラップ６０６及びサポートストラップ６８０を介してまだ着用者の体の上の定位置に保持できる。下着６００は、図１２Ｅで、外側パネル６６０及び内側パネル６７０が完全に取り外されて示されているが、第２の部分６５４が係合機構６５０の第１の部分６５２から外され、外側パネル６６０が内側パネル６７０から外されるとき、外側パネル６６０及び内側パネル６７０がバックパネル６２０に少なくとも部分的に付着したままとなるであろうことを理解されたい。例えば、上述されたように、外側パネル６６０及び／又は内側パネル６７０は、例えば縫製／ステッチングによって、外側パネル６６０及び／又は内側パネル６７０の底縁に沿ってバックパネル６２０に付着されてもよい。
【００８６】
［0181］  使用中、下着６００は、着用者によって着用される場合があり、着用者の乳房へのアクセスが、例えば搾乳のために所望される場合、第１のスナップ特徴６６３Ａは、外側パネル６６０（右外側パネル６６２及び／又は左外側パネル６６４）が内側パネル６７０に対して動かす（例えば、折り畳む）ことができるように、及び内側パネル６７０がアクセス可能であるように、第２のスナップ特徴６６３Ｂから外されることができる。内側パネル６７０の第１の部分６１５及び第２の部分６１７（例えば、右内側パネル６１２及び／又は左内側パネル６１４）は、着用者の乳房が開口部６３０を通してアクセス可能となるように、開口部を生じさせるために分離する（例えば、引き伸ばす又は折り畳む）ことができる。着用者の乳房への追加のアクセスが所望される場合、内側パネル６７０は、係合機構６５０の第２の部分６５４を係合機構６５０の第１の部分６５２から取り外すことによって、サポートストラップ及びショルダーストラップ６０６から外すことができる。所望されるとき、内側パネル６７０及び外側パネル６６０は、第２の部分６５４を第１の部分６５２に再結合し、第１のスナップ部分６６３Ａを第２のスナップ部分６６３Ｂに再結合することによってサポートストラップ６８０及びショルダーストラップ６０６に付着し直すことができる。
【００８７】
［0182］  図１３Ａから図１３Ｆは、下着７００の多様なビュー及び構成要素を示す。下着７００は、例えば下着１００又は下着６００等の本明細書に説明される下着のいずれかに構造及び機能において同じ又は類似し得る。例えば、下着７００は、外側パネル７６０、（図１３Ｃに示される）内側パネル７７０、及び（図１３Ｅに示される）サポートストラップ７８０を含むことができる。下着７００は、２本のショルダーストラップ７０６を含むことができる。各ショルダーストラップ７０６は、（本明細書では「留め金」とも呼ばれる）係合機構７５０を介して、外側パネル７６０、内側パネル７７０、及びサポートストラップ７８０に結合されることができる。
【００８８】
［0183］  サポートストラップ７８０は、係合機構７５０を介して、第１の端部でバックパネル７２０に、及び第２の端部でショルダーストラップ６０６のうちの１つに結合されることができる。代替実施形態では、サポートストラップ７８０は、バックパネル７２０に対してよりむしろ下着７００に下部バンドに対して付着されてもよい。ショルダーストラップ７０６のそれぞれは、（係合機構７５０を介して）サポートストラップ７８０に結合された第１の端部、及びバックパネル７２０に結合された第２の端部を有することができる。外側パネル７６０及び／又は内側パネル７７０は、例えば縫製／ステッチングによって、例えば外側パネル７６０の底縁に沿って、及び／又は内側パネル７７０の底縁に沿ってバックパネル７２０に付着されることができる。同様に、外側パネル７６０及び内側パネル７７０は、外側パネル７６０及び内側パネル７７０の底縁の少なくとも一部分に沿って、及び／又は上縁の少なくとも一部分に沿って互いに結合できる。
【００８９】
［0184］  内側パネル７７０及び外側パネル７６０はそれぞれ、それぞれ材料の１つ以上の層で形成された１つ以上のパネルを含むことができる。例えば図１３Ａに示されるように、外側パネル７６０は、右外側パネル７６２及び左外側パネル７６４を含む。例えば図１３Ｃに示されるように、内側パネル７７０は、右内側パネル７１２及び左内側パネル７１４を含む。右内側パネル７１２及び左内側パネル７１４は、それぞれ着用者の右乳房及び左乳房のカバーのための形状及びサイズに作ることができる。右内側パネル７１２及び左内側パネル７１４のそれぞれは、一部分が付着されず、第１の部分７１５と第２の部分７１７との間で開口部７３０（図１３Ｃを参照すること）を画定できるように互いに結合される第１の部分７１５及び第２の部分７１７を含むことができる。いくつかの実施形態では、第１の部分３１５及び第２の部分３１７は、開口部６３０を画定できる重なり合う部分を含むことができる。第１の部分７１５及び第２の部分７１７は、例えば第１の部分７１５及び第２の部分７１７を互いから離して動かすことによって分離され、それによって開口部７３０を生じさせ、利用者の乳房にアクセスを提供できる。搾乳器は、次いで開口部７３０を通して挿入でき、内側パネル７７０は、母乳抽出中に搾乳器を支えるのに役立つことができる。
【００９０】
［0185］  さらに図１３Ｃ及び図１３Ｄに示されるように、内側パネル７７０は、内側パネル７７０の上縁に画定された１つ以上の穴７４３を含むことができる、及び／又は穴７４３は、内側パネル７７０に結合された別個の構成要素によって画定されることができる。上記の実施形態について説明されるように、中心ストラップ７４６は、穴７４３のいずれかとの選択的な解放自在な係合によって内側パネル７７０に付着できる。中心ストラップ７４６は、上述された中心ストラップ２４６に構造及び／又は機能において同じ又は類似することができる。さらに、図１３Ｃに示されるように、内側パネル７７０は、下着７００の中心での中心ストラップの付着のために中心穴７４３Ａを含むことができる。
【００９１】
［0186］  係合機構７５０は、例えば係合機構３５０及び／又は６５０等の、本明細書に説明された係合機構のいずれかに構造及び／又は機能において同じ又は類似し得る。図１３Ａの領域１３Ｂの拡大図である図１３Ｂに示されるように、本実施形態では、係合機構７５０は、第１の部分７５２及び第２の部分７５４を含む。第１の部分７５２は、係合機構７５０について上述されたのと同じ方法で第２の部分７５４と解放自在に係合可能であることができる。本実施形態では、外側パネル７６０は、スナップ結合７６３で内側パネルに解放自在に結合されることができる。スナップカプラ７６３は、以下により詳細に説明されるように、外側パネル７６０の一部分を内側パネル７７０の一部分に解放自在に結合するように構成されることができる。係合機構７５０の第１の部分７５２は、第１の開口部７８１よりも延長部分７５１の反対側に（図１３Ｆで最も良く示される）延長部分７５１、第１の開口部７８１、及び第２の開口部７８３を含むことができる。係合機構７５０の第２の部分７５４は、第１の開口部７５５よりもタブ７５３の反対側にタブ部分７５３、第１の開口部７５５、及び第２の開口部７５７を含むことができる。スナップカプラ７６３は、スナップ特徴を含むことができる。例えば、いくつかの実施形態では、スナップカプラ７６３は、外側パネル７６０に固定された第１のスナップ特徴７６３Ａ、及び内側パネル７７０に固定された第２の相補的なスナップ特徴７６３Ｂを含むことができる。
【００９２】
［0187］  係合機構７５０の第１の部分７５２は、例えば係合機構６５０について上述されたのと同じ方法でステッチングでショルダーストラップ７０６のうちの１本に結合される。例えば、ショルダーストラップ７０６のうちの１本の末端部分は第１の開口部７８１を通してループにされ、第１の部分７５２がショルダーストラップ７０６のループの中で固定されるようにそれ自体に付着できる。さらに、係合機構７５０の第１の部分７５２は、サポートストラップ７８０が第１の部分７５２に固定できるように、第２の開口部７８３を通してサポートストラップ７８０の一部分を受け入れることができる（例えば、図１３Ｅ及び図１３Ｆを参照）。第１の部分７５２の延長部分７５１は、図９Ａ及び図９Ｂに関して上述されたのと同様に、第２の部分７５４を第１の部分７５２に解放自在に結合し、したがって内側パネル７７０をサポートストラップ７８０に解放自在に結合するために、第２の部分７５４の第１の開口部７５５を通して挿入される形状及びサイズに作ることができる。第２の部分７５４のタブ部分７５３は、第１の部分７５２の延長部分７５１が第２の部分７５４の第１の開口部７５５を通して受け入れられるとき、タブ部分７５３が延長部分７５１に接触又は係合し、第１の部分７５２とのロック係合の中に曲げられる、又はクリックされるような形状及びサイズに作ることができる。いくつかの実施形態では、タブ部分７５３は、第２の部分７５４が第１の部分７５２との係合に移動するにつれ、タブ部分７５３はわずかに曲がり、次いでロック係合に嵌るように十分に弾力性があってもよい。
【００９３】
［0188］  本実施形態では、内側パネル７７０を留め金７５０の第２の部分７５４に固定するために、内側パネル７７０はループ部分７１１を含むことができる（例えば、図１３Ｂを参照）。すなわち、例えば図１２Ｄに示されるように、ループ部分７１１は、内側パネル７７０の一部分を留め金７５０の第２の部分７５４の第２の開口部７５７に通し、それ自体の上でそれを折り畳み、それを内側パネル７７０に縫い付けることによって形成できる。代わりに、ループ部分７１１は、第２の開口部７５７を通して挿入され、（例えばステッチングで）内側パネル７７０に固定される別個の構成要素又は材料の部分であることができる。
【００９４】
［0189］  図１３Ａ及び図１３Ｂに示され、上述されたように、係合機構７５０の第１の部分７５２及び第２の部分７５４は、内側パネル７７０（例えば、右内側パネル７１２及び左内側パネル７１４）をサポートストラップ７８０に解放自在に結合するために係合できる。さらに、スナップカプラ７６３は、外側パネル７６０が、外側パネル７６０に固定された第１のスナップ特徴７６３Ａを、内側パネル７７０に固定された第２の相補的なスナップ特徴７６３Ｂと結合することによって、外側パネル７６０が内側パネル７７０を実質的に覆うように、外側パネル７６０（例えば、右外側パネル７６２及び左外側パネル７６４）を内側パネル７７０（例えば、右内側パネル７１２及び左内側パネル７１４）に解放自在に結合できる。外側パネル７６０は図１３Ａで内側パネル７７０全体を覆うとして示されているが、いくつかの実施形態では、外側パネル７６０は内側パネル７７０の一部分しか覆わないことができる。例えば、いくつかの実施形態では、外側パネル７６０は、内側パネル７７０のカップ部分だけを覆うことができる。
【００９５】
［0190］  図１３Ｃは、外側パネル７６０が例示的な目的のために完全に取り外されて示される下着７００の前面図である。下着７００は、外側パネル７６０が完全に取り外されて示されているが、外側パネル７６０の第１のスナップ特徴７６３Ａが内側パネル６７０の第２のスナップ特徴６６３Ｂから切り離されているときに、外側パネル７６０が内側パネル７７０に付着したままとなるであろうことを理解されたい。例えば、上述されたように、外側パネル７６０は、例えば縫製／ステッチングによってカップ領域の外の領域内で、内側パネル７７０の上縁の一部分に沿って及び／又は底縁の一部分に沿って内側パネル７７０に付着されることができる。
【００９６】
［0191］  図１３Ｃの領域１３Ｄの拡大図である図１３Ｄに示されるように、左外側パネル７６４は、左内側パネル７１４の第２のスナップ特徴７６３Ｂから外側パネル左外側パネル７６４の第１のスナップ特徴７６３Ａを取り外す（つまり、スナップを外す）ことによって左内側パネル７１４から外されている。したがって、左内側パネル７１４は露出され、利用者によってアクセス可能である。図１３Ｃに示されるように、外側パネル６６２及び６６４を外し、動かす（例えば、折り畳む）ことは、右内側パネル６１２及び左内側パネル６１４を明らかにし得る。外側パネル７６２及び／又は７６４が動かされ、それぞれ内側パネル７１２及び／又は７１４の少なくとも一部分をむき出しにした状態で、利用者は、上述されたように搾乳器を挿入するために開口部７３０にアクセスできる。
【００９７】
［0192］  図１３Ｅは、内側パネル７７０が例示的な目的のために完全に取り外されて示される下着７００の前面図である。このようにして、図１３Ｅの領域１３Ｆの拡大図である図１３Ｆに示されるように、外側パネル７６０及び内側パネル７７０がともにサポートストラップ７８０から外されるときも、下着７００はショルダーストラップ７０６及びサポートストラップ７８０を介してまだ着用者の体の上の定位置に保持できる。下着７００は、図１３Ｅで、外側パネル７６０及び内側パネル７７０が完全に取り外されて示されているが、第２の部分７５４が係合機構７５０の第１の部分７５２から外され、外側パネル７６０が内側パネル７７０から外されるとき、外側パネル７６０及び内側パネル７７０がバックパネル７２０に少なくとも部分的に付着したままとなるであろうことを理解されたい。例えば、上述されたように、外側パネル７６０及び／又は内側パネル７７０は、例えば縫製／ステッチングによって、外側パネル７６０及び／又は内側パネル７７０の底縁に沿ってバックパネル７２０に付着されることができる。
【００９８】
［0193］  使用中、下着７００は、着用者によって着用される場合があり、着用者の乳房へのアクセスが、例えば搾乳のために所望される場合、第１のスナップ特徴７６３Ａは、外側パネル７６０（右外側パネル７６２及び／又は左外側パネル７６４）が内側パネル７７０に対して動かす（例えば、折り畳む）ことができるように、及び内側パネル７７０がアクセス可能であるように、第２のスナップ特徴６６３Ｂから外されることができる。内側パネル６７０の第１の部分７１５及び第２の部分７１７（例えば、右内側パネル７１２及び／又は左内側パネル７１４）は、着用者の乳房が開口部７３０を通してアクセス可能となるように、開口部７３０を生じさせるために分離する（例えば、引き伸ばす又は折り畳む）ことができる。着用者の乳房への追加のアクセスが所望される場合、内側パネル７７０は、係合機構７５０の第２の部分７５４を係合機構７５０の第１の部分７５２から取り外すことによって、サポートストラップ及びショルダーストラップ７０６から外すことができる。所望されるとき、内側パネル７７０及び外側パネル７６０は、第２の部分７５４を第１の部分７５２に再結合し、第１のスナップ部分７６３Ａを第２のスナップ部分７６３Ｂに再結合することによってサポートストラップ７８０及びショルダーストラップ７０６に付着し直すことができる。
【００９９】
［0194］  図１４Ａから図１５Ｃは、下着８００（図１６Ａから図１６Ｄを参照）のショルダーストラップ、サポートストラップ、内側パネル、及び外側パネルを解放自在に結合するために使用できる実施形態に係る（本明細書では「留め金」とも呼ばれる）係合機構８５０を示す。下着８００は、本明細書に説明される下着（例えば、上述された２００、３００、４００、６００、７００）の実施形態と同じ又は実施形態に類似し得る。図１４Ａは、係合機構８５０の斜視図である。図１４Ａに示されるように、係合機構８５０は、第１の部分８２２、第２の部分８５４、及び第３の部分８５６を含むことができる。第１の部分８５２は、第２の部分８５４と解放自在に係合可能となるように構成できる。同様に、第２の部分８５４は、第３の部分８５６と開放可能に係合可能となるように構成できる。第１の部分８５２は、第１の開口部８８１よりも延長部分８５１の反対側に（例えば図１４Ｂで最も良く示される）延長部分８５１、第１の開口部８８１、及び第２の開口部８８３を含むことができる。第２の部分８５４は、タブ部分８５３、第１の開口部８５５、固定バー８８４、第２の開口部８６７、第３の開口部８６８、及び係合部分８８５を含むことができる。第３の部分８５６は、係合部分８８６及び開口部８５９を含むことができる。
【０１００】
［0195］  図１４Ｂから図１４Ｄは、それぞれ留め金８５０の第１の部分８５２の前面図、背面図、及び側面図である。係合機構８５０の第１の部分８５２は、以下により詳細に説明されるように、例えばステッチングで下着８００のショルダーストラップ８０６に結合されることができる。例えば、ショルダーストラップ８０６の末端部分は第１の開口部８８１を通してループにされ、第１の部分８５２の上部がショルダーストラップ７０６のループの中で固定されるようにそれ自体に付着できる。さらに、第１の部分８５２は、サポートストラップ８８０が係合機構８５０の第１の部分８５２に固定できるように、第２の開口部８８３を通してサポートストラップ８８０の一部分を受け入れることができる。例えば、サポートストラップ８８０の末端部分は、第１の部分８５２の第２の開口部８８３を通してループにされ、第１の部分８５２の底部が、サポートストラップ８８０のループの中で固定されるように（例えば、ステッチングで）それ自体に付着できる。
【０１０１】
［0196］  図１４Ｅから図１４Ｇは、留め金８５０の第２の部分８５４のそれぞれ前面図、背面図、及び側面図である。第２の部分８５２の第１の開口部８５５は、図９Ａ及び図９Ｂに関して上述されるのと同様に、第１の開口部８５５が第１の部分８５２の延長部分８５１を受け入れることができるような形状及びサイズに作ることができる。第２の部分８５４のタブ部分８５３は、第１の部分８５２の延長部分８５１が第２の部分８５４の第１の開口部８５５を通して受け入れられるとき、タブ部分８５３が延長部分８５１に接触又は係合し、第１の部分８５２とのロック係合の中に曲げられる、又はクリックされるような形状及びサイズに作ることができる。いくつかの実施形態では、タブ部分８５３は、第２の部分８５４が第１の部分８５２との係合に移動するにつれ、タブ部分８５３がわずかに曲がり、次いでロック係合に嵌るように十分に弾力性があってもよい。第２の部分８５４の固定バー８８４は、下着８００の内側パネル８７０への付着のために構成される（図１６Ａ及び図１６Ｃを参照）。例えば、内側パネルのループ部分は、固定バー８８４の回りで固定できる。
【０１０２】
［0197］  図１４Ｈから図１４Ｊは、留め金８５０の第３の部分８５６のそれぞれ前面図、背面図、及び側面図である。第３の部分８５６の係合部分８８６は、第２の部分８５４の係合部分８５５と解放自在に係合できる。係合部分８８６及び係合部分８８５は、図１４から図１５Ｃに示されるインターロック形状で形成されているとして示されているが、係合部分８８６及び係合部分８８５は、任意の適切な解放自在にインターロックする形状を含むことができる。さらに、第３の部分８５６は、例えば開口部８５９を通してループにされる外側パネル８６０の部分を介して外側パネル８６０を第３の部分８５６に固定できるように、開口部８５９の中で下着８００（図１６Ａ及び図１６Ｂを参照）の外側パネル８６０の一部分を受け入れることができる。
【０１０３】
［0198］  図１５Ａは、第１の部分８５２、第２の部分８５４、及び第３の部分８５６が互いから離されている第１の構成での係合機構８５０の第１の部分８５２、第２の部分８５４、及び第の部分８６の展開斜視図である。図１５Ｂは、第２の部分８５４が、第１の部分８５２と解放自在に係合され、第３の部分が第２の部分８５４と離されている第２の構成での係合機構８５０の前面図である。第１の部分８５２の延長部分８５１は、以下により詳細に説明されるように、第２の部分８５４を第１の部分８５２に解放自在に結合し、したがって下着８００の内側パネル８６０をサポートストラップ８８０に解放自在に結合するために、第２の部分８５４の第１の開口部８５５を通して挿入される形状及びサイズに作ることができる。第１の部分８５２の延長部分８５１が第２の部分８５４の第１の開口部８５５を通して受け入れられるとき、タブ部分８５３が延長部分８５１に接触又は係合するように、及び第２の部分のタブ部分８５３は、図１５Ｂに示されるように、及び例えば係合機構３５０等の係合機構の他の係合機構のタブ部分について上述されたのと類似した方法で、それが第１の部分８５２とのロック係合の中に曲げられる、又はクリックされるような形状及びサイズに作ることができる。係る構成では、タブ部分８５３は、第１の部分８５２の延長部分８５１とのロック係合に配置できる。第１の部分８５２と第２の部分８５４との間の係合は、係合機構３５０について上述されたのと同じ方法で逆にすることができる。
【０１０４】
［0199］  図１５Ｃは、第１の部分８５２が第２の部分８５４と係合され、第２の部分８５４が第３の部分８５６と係合される第３の構成での係合機構８５０の第１の部分８５２、第２の部分８５４、及び第３の部分８５６の前面図である。
【０１０５】
［0200］  図１６Ａから図１６Ｄは、多様な構成の係合機構８５０を含んだ下着８００の一部分を示す。下着８００は、本明細書に説明される下着のいずれかに構造及び／又は機能において同じ又は類似する場合があり、したがって下着８００の多様な特徴は、図１６Ａから図１６Ｄに関して詳細に説明されない。下着８００は、（図１６Ｄに示される）外側パネル８７０、内側パネル８７０、及びサポートストラップ８８０を含むことができる。下着８００は、係合機構８５０を介して外側パネル８６０、内側パネル８７０、及びサポートストラップ８８０内で結合できるショルダーストラップ８０６を含むことができる。
【０１０６】
［0201］  係合機構８５０の第１の部分８５２は、例えばステッチングでショルダーストラップ８０６に結合できる。例えば、ショルダーストラップ８０６の末端部分は、第１の開口部８８１を通してループにされ、第１の部分がショルダーストラップ８０６のループの中で固定されるようにそれ自体に付着できる。さらに、第１の部分８５２は、サポートストラップ８８０が第１の部分８５２に固定できるように、第２の開口部８８３を通してサポートストラップ８８０の一部分を受け入れるように構成できる（例えば、図１６Ｄを参照）。内側パネル８７０を留め金８５０の第２の部分８５４に固定するために、内側パネル８７０は、第２の部分８５４の固定バー８８４に付着されるループ部分を含むことができる。例えば、内側パネル８７０のループ部分は、固定バー８８４の回りに内側パネル８７０の一部分を通し、それ自体の上でそれを折り畳み、それを内側パネル８７０に縫い付けることによって形成できる。代わりに、内側パネル８７０のループ部分は、第２の開口部８５７を通して挿入され、（例えばステッチングで）内側パネル８７０に固定される別個の構成要素又は材料の部分であってもよい。同様に、留め金８５０の第３の部分８５６は、外側パネル８６０が、内側パネル８７０を第２の部分８５４について説明されるのと同様に留め金８５０の第３の部分８５６に固定できるように、第３の部分８５６の開口部８５９の中で外側パネル８６０の一部分を受け入れることができる（例えば、開口部８５９を通してループにされている、例えば外側パネル８６０の一部分）。
【０１０７】
［0202］  図１６Ａに示されるように、外側パネル８６０が、内側パネル８７０に結合され、少なくとも部分的に内側パネル８７０を覆い、内側パネル８７０が、前面図でサポートストラップ８８０に結合され、サポートストラップ８８０を少なくとも部分的に覆うように、第１の部分８５２は第２の部分８５４と係合され、第２の部分８５４は第３の部分８５６と係合される。図１６Ｂに示されるように、内側パネル８７０は、第３の部分８５６を留め金８５０の第２の部分８５４から取り外す又は切り離し（つまり、係合部分８８５から係合部分８８６を取り外し）、外側パネル８６０を内側パネル８７０に対して動かす（例えば、折り畳む）ことによってむき出しにされ得る。したがって、図１６Ｃに示されるように、内側パネル８７０は露出され、利用者によってアクセス可能である。サポートストラップ８８０は、第２の部分８５４を留め金８５０の第１の部分８５２から取り外す又は切り離して（つまり、延長部分８５１を第１の開口部８５５から取り外して）内側パネル８７０をサポートストラップ８８０から外すことによってむき出しにされ得る。したがって、図１６Ｄに示されるように、サポートストラップ８８０は露出され、利用者がアクセスできる／見ることができる。上述の実施形態について説明されたように、サポートストラップ８８０及びショルダーストラップ８０６は、利用者の上で支えられた下着８００を維持できる。いくつかの実施形態では、外側パネル８６０及び内側パネル８７０は、第２の部分８５４から第３の部分８５６を取り外すことなく同時に係合機構８５０の第１の部分８５２から外すことができる。所望されるとき、内側パネル８７０及び外側パネル８６０は、留め金８５０の第１の部分８５２に第２の部分を再結合し、留め金８５０の第２の部分に第３の部分を再結合することによって、サポートストラップ８８０及びショルダーストラップ８０６に付着し直すことができる。
【０１０８】
［0203］  図１７Ａから図１７Ｆは、下着１０００の多様なビュー及び構成要素を示す。図１７Ａは、第１の構成での下着１０００の前面図である。下着１０００は、本明細書に説明される下着のいずれかに構造及び／又は機能において同じ又は類似し得る。例えば、下着１０００は、外側パネル１０６０、（図１７Ｃに示される）内側パネル１０７０、（図１７Ｅに示される２本のサポートストラップ１０８０、及び２本のショルダーストラップ１１０６を含むことができる。各ショルダーストラップ１００６は、（本明細書では「留め金」とも呼ばれる）係合機構１０５０を介して外側パネル１０６０、内側パネル１０７０、及びサポートストラップ１０８０に結合されることができる。
【０１０９】
［0204］  サポートストラップ１０８０は、係合機構１０５０を介して第１の端部でバックパネル１０２０に、及び第２の端部でショルダーストラップ１００６のうちの１つに結合されることができる。代替実施形態では、サポートストラップ１０８０は、バックパネル１０２０に対してよりもむしろ下着１０００の下部バンドに対して付着されることができる。ショルダーストラップ１００６のそれぞれは、（係合機構１０５０を介して）サポートストラップ１０８０に結合された第１の端部、及びバックパネル１０２０に結合された第２の端部を有することができる。外側パネル１０６０及び／又は内側パネル１０７０は、例えば縫製／ステッチングによって、例えば外側パネル１０６０の底縁に沿って、及び／又は内側パネル１０７０の底縁に沿ってバックパネル１０２０に付着されることができる。同様に、外側パネル１０６０及び内側パネル１０７０は、外側パネル１０６０及び内側パネル１０７０の底縁の少なくとも一部分に沿って、及び／又は上縁の少なくとも一部分に沿って互いに結合されることができる。
【０１１０】
［0205］  内側パネル１０７０及び外側パネル１０６０はそれぞれ、それぞれ材料の１つ以上の層で形成された１つ以上のパネルを含むことができる。例えば図１７Ａに示されるように、外側パネル１０６０は、右外側パネル１０６２及び左外側パネル１０６４を含む。例えば図１７Ｃに示されるように、内側パネル１０７０は、右内側パネル１０１２及び左内側パネル１０１４を含む。右内側パネル１０１２及び左内側パネル１０１４は、それぞれ着用者の右乳房及び左乳房のカバーのための形状及びサイズに作ることができる。右内側パネル１０１２及び左内側パネル１０１４のそれぞれは、一部分が付着されず、第１の部分１０１５と第２の部分１０１７との間で開口部１０３０（図１７Ｃを参照）を画定できるように互いに結合される第１の部分１０１５及び第２の部分１０１７を含むことができる。いくつかの実施形態では、第１の部分１０１５及び第２の部分１０１７は、開口部１０３０を画定できる重なり合う部分を含むことができる。第１の部分１０１５及び第２の部分１０１７は、例えば第１の部分１０１５及び第２の部分１０１７を互いから離して動かすことによって分離され、それによって開口部１０３０を生じさせ、利用者の乳房へのアクセスを提供できる。搾乳器は、次いで開口部１０３０を通して挿入でき、内側パネル１０７０は、母乳抽出中、搾乳ポンプを支えるのに役立つことができる。
【０１１１】
［0206］  さらに、図１７Ｃ及び図１７Ｄに示されるように、内側パネル１０７０は、内側パネル１０７０の上縁に画定された１つ以上の穴１０４３を含むことができる。例えば、いくつかの実施形態では、内側パネル１０７０が穴１０４３を画定することができる、及び／又は穴１０４３が内側パネル１０７０に結合された別個の構成要素によって画定されることができる。上記の実施形態について説明されるように、中心ストラップ１０４６は、穴１０４３のいずれかとの選択的な解放自在な係合を介して内側パネル１０７０に付着できる。中心ストラップ１０４６は、構造及び／又は機能において上述された中心ストラップ２４６に同じ又は類似し得る。
【０１１２】
［0207］  係合機構１０５０は、上述された係合機構８５０と構造及び／又は機能において同じ又は類似し得る。図１７Ａの領域１７Ｂの拡大図である図１７Ｂに示されるように、係合機構１０５０は、第１の部分１０５２、第２の部分１０５４、及び第３の部分１０５６を含むことができる。第１の部分１０５２は、第２の部分１０５４と解放自在に係合可能である場合があり、第２の部分１０５４は、第３の部分１０５６と解放自在に係合可能であることができる。第１の部分１０５２は、第１の開口部１０８１よりも延長部分１０５１の反対側に（図１７Ｆに最も良く示される）延長部分１０５１、第１の開口部１０８１、及び第２の開口部１０８３を含むことができる。第２の部分１０５４は、タブ部分１０５３、第１の開口部１０５５、固定バー１０８４、第２の開口部（不図示）、第３の開口部（不図示）、及び係合部分１０８５を含むことができる。第３の部分１０５６は、係合部分１０８６及び開口部１０５９を含むことができる。
【０１１３】
［0208］  係合機構１０５０の第１の部分１０５２は、例えばステッチングでショルダーストラップ１００６のうちの１本に結合される。例えば、ショルダーストラップ１００６のうちの１本の末端部分は第１の開口部１０８１を通してループにされ、第１の部分１０５２がショルダーストラップ１００６のループの中で固定されるようにそれ自体に付着できる。さらに、第１の部分１０５２は、サポートストラップ１０８０が第１の部分１０５２に固定できるように、第２の開口部１０８３を通してサポートストラップ１０８０の一部分を受け入れることができる（例えば、図１７Ｅ及び図１７Ｆを参照）。第１の部分１０５２の延長部分１０５１は、上記の実施形態について上述されたのと同様に、第２の部分１０５４を第１の部分１０５２に解放自在に結合し、したがって内側パネル１０６０をサポートストラップ１０８０に解放自在に結合するために、第２の部分１０５４の第１の開口部１０５５を通して挿入される形状及びサイズに作ることができる。第２の部分１０５４のタブ部分１０５３は、第１の部分１０５２の延長部分１０５１が第２の部分１０５４の第１の開口部１０５５を通して受け入れられるとき、タブ部分１０５３が延長部分１０５１に接触又は係合するように、及びそれが第１の部分１０５２とのロック係合の中に曲げられる、又はクリックされるような形状及びサイズに作ることができる。いくつかの実施形態では、タブ部分１０５３は、第２の部分１０５４が第１の部分１０５２との係合に移動するにつれ、タブ部分１０５３がわずかに曲がり、次いでロック係合に嵌るように十分に弾力性があってもよい。
【０１１４】
［0209］  本実施形態では、内側パネル１０７０を留め金１０５０の第２の部分１０５４に固定するために、内側パネル１０７０は、第２の部分１０５４の固定バー１０８４に付着できるループ部分を含むことができる。例えば、内側パネル１０７０のループ部分は、内側パネル１０７０の一部分を固定バー１０８４の回りに通し、それ自体の上でそれを折り畳み、それを内側パネル１０７０に縫い付けることによって形成できる。代わりに、内側パネル１０７０のループ部分は、第２の開口部１０７を通して挿入され、（例えばステッチングで）内側パネル１０７０に固定される別個の構成要素又は材料の部分であることができる。同様に、留め金１０５０の第３の部分１０５６は、外側パネル１０６０が、内側パネル１０７０がどのようにして第２の部分１０５４に固定されるのかと類似した方法で留め金の第３の部分１０５６に固定できるように、開口部１０５９の中で外側パネル１０６０の一部分を受け入れることができる（例えば、開口部３５９を通してループにされている、例えば外側パネル１０６０の一部分）。第３の部分１０５６の係合分１０８６は、第２の部分１０５４の係合部分１０８５と解放自在に係合できる。係合部分１０８６及び係合部分１０８５は、図１７Ａから図１７Ｂに示されるようにインターロック形状で形成されるとして示されるが、係合部分１０８６及び係合部分１０８５は、任意の適切な解放自在にインターロックする形状を含むことができる。
【０１１５】
［0210］  図１７Ａ及び図１７Ｂに示され、上述されるように、係合機構１０５０の第１の部分１０５２及び第２の部分１０５４は、内側パネル１０７０をサポートストラップ１０８０及びショルダーストラップ１００６に結合するために係合／結合されることができる。さらに、第３の部分１０５６は、外側パネル１０６０が、図１７Ａに示されるように内部パネル１０７０を実質的に覆うように外側パネル１０６０を内側パネル１０７０に結合するために、係合部分１０８６の係合部分１０８５との係合によって第２の部分１０５４に結合できる。外側パネル１０６０は、図１７Ａで内側パネル１０７０全体を覆うとして示されているが、いくつかの実施形態では、外側パネル１０６０は、内側パネル１０７０の一部分だけしか覆わないことができる。例えば、いくつかの実施形態では、外側パネル１０６０は、内側パネル１０７０のカップ部分だけを覆うことができる。
【０１１６】
［0211］  図１７Ｃは、外側パネル１０６０が例示的な目的のために完全に取り外されて示される下着１０００の前面図である。下着１０００は、外側パネル１０６０が完全に取り外されて示されているが、第３の部分１０５６が留め金１０５０の第２の部分１０５４から取り外されているとき、外側パネル１０６０が、内側パネル１０７０に少なくとも部分的に付着されて残されるであろうことを理解されたい。例えば、上述されたように、外側パネル１０６０は、内側パネル１０７０の上縁の少なくとも一部分に沿って、及び／又は内側パネル１０７０の底縁の少なくとも一部分に沿って内側パネル１０７０に付着できる。
【０１１７】
［0212］  図１７Ｃの領域１７Ｄの拡大図である図１７Ｄに示されるように、左外側パネル１０６４は、第３の部分１０５６を留め金１０５０の第２の部分１０５４から取り外す／切り離す（つまり、係合部分１０８６を係合部分１０８５から取り外す）ことによって左内側パネル１０１４から外されている。したがって、内側パネル１０７０は露出され、利用者によってアクセス可能である。図１７Ｃは、それぞれ左内側パネル１０１４及び右内側パネル１０１２から取り外された左外側パネル１０６４及び右外側パネル１０６２の両方を示す。
【０１１８】
［0213］  図１７Ｅは、内側パネル１０７０が例示的な目的のために完全に取り外されて示される下着１０００の前面図であり、図１７Ｆは、図１７Ｅの領域１７Ｆの拡大図である。内側パネル１０７０と外側パネル１０６０の両方ともがショルダーストラップ１００６及びサポートストラップ１０８０から外された状態でも、下着１０００は、ショルダーストラップ１００６及びサポートストラップ１０８０を介して着用者の体の上の定位置に保持できる。下着１０００は、外側パネル１０６０及び内側パネル１０７０が完全に取り外された状態で図１７Ｅに示されているが、第２の部分１０５４がサポートストラップ１０８０の第１の部分１０５２から取り外されているとき、外側パネル１０６０及び内側パネル１０７０が、バックパネル１０２０に付着されたままになるであろうことを理解されたい。
【０１１９】
［0214］  使用中、下着１０００は、着用者によって着用される場合があり、例えば搾乳のために着用者の乳房へのアクセスが所望される場合、外側パネル１０６０（例えば、右外側パネル１０６２及び／又は左外側パネル１０６４）は、留め金１０５０の第２の部分１０５４から第３の部分１０５６を外す又は解くことによって内側パネル１０７０（例えば、右内側パネル１０３２及び／又は左内側パネル１０１４）から外される場合があり、外側パネル１０６０は、内側パネル１０７０がアクセス可能であるように動かされる（例えば、折り畳まれる）ことができる。上述されたように、内側パネル１０７０の第１の部分１０１５及び第２の部分１０１７（例えば、右内側パネル１０１２及び／又は左内側パネル１０１４）は、それを通して着用者の乳房にアクセス可能となり、搾乳器の一部分を挿入できる開口部１０３０を生じさせるために分離する（例えば、引き伸ばす又は折り畳む）ことができる。着用者の乳房への追加のアクセスが所望される場合、内側パネル１０７０は、係合機構１０５０の第２の部分１０５４を留め金１０５０の第１の部分１０５２から取り外す／外すことによって、サポートストラップ１０８０及びショルダーストラップ１００６から外すことができる。いくつかの実施形態では、外側パネル１０６０及び内側パネル１０７０は、第２の部分１４５４を第１の部分１０５２から外すが、第３の部分１０５６を第２の部分１０５４から外さないことによって、ショルダーストラップ１００６及びサポートストラップ１０８０から同時に外すことができる。所望されるとき、内側パネル１０７０及び外側パネル１０６０は、留め金１０５０の第１の部分１０５２に第２の部分１０５４を再結合し、留め金１０５０の第２の部分１０５４に第３の部分１０５６を再結合することによってショルダーストラップ１００６及びサポートストラップ１０８０に付着し直すことができる。
【０１２０】
［0215］  図１８Ａから図１９Ｃは、装用可能な搾乳器又は装用可能な母乳収集装置と使用できる下着１１００の多様なビュー及び構成要素を示す。上述されたように、係る装用可能な搾乳器又は母乳収集装置は、乳房と下着（例えば、ブラジャー）の外側パネルとの間で利用者の乳房と接触して配置される。係る搾乳器又は収集装置の使用により、着用可能なポンプ又は収集装置のサイズに起因し得るカップ部分の引き伸ばしを削減する又は防ぐために下着１１００（例えば、ブラジャー）のカップ部分のサイズ及び／又は位置の調整を提供することが望ましい。
【０１２１】
［0216］  下着１１００は、本明細書に説明される下着のいずれかに構造及び機能において同じ又は類似する構成要素を含むことができる。例えば、下着１１００は、外側パネル１１６０、（図１８Ｂに示される）サポートストラップ１１８０、ショルダーストラップ１１０６、及びバックパネル１１２０を含むことができる。各ショルダーストラップ１１０６は、（本明細書では「留め金」とも呼ばれる）係合機構１１５０を介して、外側パネル１１６０及びサポートストラップ１１８０に結合されることができる。外側パネル１１６０、サポートストラップ１１８０、ショルダーストラップ１１０６、バックパネル１１２０、及び係合機構１１５０は、それぞれ上述された外側パネル１０６０、サポートストラップ１０８０、ショルダーストラップ１００６、バックパネル１０２０、及び係合機構１０５０と構造及び機能において同じ又は類似し得るため、いくつかの特徴及び詳細は本実施形態に関して説明されない。例えば、多様な構成要素は、上記の実施形態について上述されたのと同じ方法で互いに結合できる。
【０１２２】
［0217］  本実施形態では、（上記実施形態について説明されるような）内側パネルの代わりに、下着１１００は、以下により詳細に説明されるように、係合機構１１５０を介してサポートストラップ１１８０及びショルダーストラップ１１０６に結合されたエキステンダ１１７５を含む。エキステンダ１１７５は、外側パネル１１６０のショルダーストラップ１１０６及びサポートストラップ１１８０に対する解放自在な付着の選択的な調整を提供できる複数のループを含むことができる。本実施形態では、図１９Ａ及び図１９Ｂに示されるように、エキステンダ１１７５は、４つのループ１１７６、１１７７、１１７８、及び１１７９を含み、ループのうちの１つ（ループ１１７６）は係合機構１１５０に結合され、残りのループは、そこからぶら下がる又は伸びる。ループ１１７６、１１７７、１１７８、１１７９は、材料又は布地の１つ以上の部分から形成できる。例えば、いくつかの実施形態では、ループ１１７６、１１７７、１１７８、１１７９は、材料又は布地の単一の部分から形成される場合があり、ループはステッチングによって形成される。いくつかの実施形態では、ループ１１７６、１１７７、１１７８、１１７０の１つ以上は、材料又は布地の別個の部分で形成され、例えばステッチングで互いに結合できる。エキステンダ１１７５は、例えば２つ、３つ、５つ、６つ、７つ、８つ、９つ、１０等のより多くの又はより少ないループを含むことができることを理解されたい。したがって、エキステンダ１１７５は、含まれるループの数に応じて多様な長さを有することができる。いくつかの実施形態では、エキステンダ１１７５は、エキステンダ１１７５の伸縮性により、外側パネル１１６０の追加の調整（例えばカップサイズ）に対応するために、例えば弾力性のある材料又は布で形成されることができる。言い換えると、エキステンダ１１７５の総長を増加することができる。いくつかの実施形態では、エキステンダ１１７５は、伸縮性のない材料又は布地で形成される場合があり、その場合、エキステンダの長さは使用中変わらないであろう。
【０１２３】
［0218］  上述されたように、外側パネル１１６０は、それぞれ材料の１つ以上の層で形成された１つ以上のパネルを含むことができる。例えば図１８Ａに示されるように、外側パネル１１６０は、右外側パネル１１６２及び左外側パネル１１６４を含む。右内側パネル１１６０及び左内側パネル１１６４は、それぞれ着用者の右乳房及び左乳房のカバーのための形状及びサイズに作ることができる。さらに図１８Ａには示されていないが、外側パネル１１６０は、中心ストラップ又はネックストラップ（例えば、中心ストラップ２４６）（図１８Ａ及び図１８Ｂでは不図示）を、上述の実施形態において内側パネルについて上述されたのと同じ又は類似する方法で結合するために、外側パネル１１６０の上縁に画定された１つ以上の穴を含むことができる。
【０１２４】
［0219］  係合機構１１５０は、上述された係合機構８５０及び１０５０と構造及び／又は機能において同じ又は類似し得る。図１９Ａから図１９Ｃに最も良く示されるように、係合機構１１５０は、第１の部分１１５２、第２の部分１１５４、及び第３の部分１１５６を含むことができる。第１の部分１１５２は、第２の部分１１５４と解放自在に係合可能である場合があり、第２の部分１１５４は、第３の部分１１５６６と解放自在に係合可能であることができる。第１の部分１１５２は、図１９Ｃに最も良く示されるように、下着８００及び１０００について上述されたのと同じ方法で、ショルダーストラップ１１０６及びサポートストラップ１１８０に結合できる。本実施形態では、係合機構１１５０の第２の部分１１５４は、例えば図１９Ａ及び図１９Ｂに示されるように、エキステンダ（複数可）１１７５に固定される。すなわち、エキステンダ１１７５のループ１１７６は、内側パネル１７０が係合機構１０５０の第２の部分にどのように付着されるのかに関するのと同じ又は類似した方法で第２の部分１１５４に付着可能である。例えば、エキステンダ１１７５のループ１１７６は、固定バー（例えば、係合機構１０５０について上述された固定バー１０８４）の回りにループ１１７５を形成する材料を通し、それ自体の上でそれを折り畳み、それをエキステンダ１１７５の別の部分に縫い付けることによって形成できる。係合機構１１５０の第２の部分１１５４は第１の部分１１５２に解放自在に結合可能であるため、エキステンダ１１７５も第１の部分１１５２に解放自在に結合可能であり、したがってショルダーストラップ１１０６及びサポートストラップ１１８０に解放自在に結合可能である。エキステンダ１１７５をサポートストラップ１１８０にさらに固定し、使用中その位置を維持するために、第１のカプラ１１９２は、図１９Ｃ及び図１９Ｄに示されるように、サポートストラップ１１８０の正面に配置された結合カプラ１１９３に解放自在に結合できる、エキステンダ１１７５の背面に付着できる。例えば、図１９Ｃ及び図１９Ｄに示されるように、カプラ１１９２は、エキステンダ１１７５が係合機構１１５０の第１の部分１１５２の上部で付着され、底部でサポートストラップ１１８０に解放自在に付着されるように、ループ１１７９の背面に配置されることができる。カプラ１１９２及び１１９３は、例えばスナップコネクタ（例えば、雄スナップコネクタ及び雌スナップコネクタ）、フックアンドループ結合、ＶＥＬＣＲＯ、ボタン等であり得る。
【０１２５】
［0220］  図１９Ａ及び図１９Ｂに最も良く示されるように、係合機構１１５０の第３の部分１１５６は、係合機構８５０及び係合機構１０５０について上述されたのと同じ方法で外側パネル１１６０（例えば、右外側パネル１１６２及び左外側パネル１１６４）に結合できる。上記の実施形態と同様に、係合機構１１５０の第３の部分１１５６は、第２の部分１１５４の係合部分１１８５と解放自在に係合できる係合部分１１８６を含む場合があり（例えば、互いから離された係合部分１１８５及び１１８６を示す図１９Ａを参照）、これにより外側パネル１１６０は、ショルダーストラップ１１０６及びサポートストラップ１１８０に解放自在に結合できる。
【０１２６】
［0221］  下着１１００の通常の使用中、外側パネル１１６０（例えば、左外側パネル１１６４及び右外側パネル１１６２）は、図１８Ａに示されるように、第３の部分１１５６を第２の部分１１５４に結合することによってショルダーストラップ１１０６及びサポートストラップ１１８０に解放自在に結合できる。この位置で、外側パネル１１６０は、利用者の乳房に最も近くなるようなサイズに作られ、位置決めされる。装用可能な搾乳器又は母乳収集装置に対応するために、利用者は、係合機構１１５０の第３の部分１１５６の係合部分１１８６を、ループ１１７７、１１７８、１１７９の選択されたループに解放自在に結合することによって、利用者の乳房に対して及びショルダーストラップ１１０６に対して外側パネル１１６０のサイズ及び位置を調整できる。例えば、図１９Ｂに示されるように、係合部分１１８６は、ループ１１７８を通して挿入され、ループ１１７８に結合され、ループ１１７９は、外側パネル１１６０の後方に縫い込まれる。このようにして、この位置で、外側パネル１１６０は、ショルダーストラップ１１０６からさらに伸長され、したがって装用可能な搾乳器又は収集装置の挿入のためにより多くの空間を提供できる。
【０１２７】
［0222］  利用者が例えば授乳するために一方又は両方の乳房への完全なアクセスを欲する場合、係合機構１１５０の第２の部分１１５４は第１の部分１１５２から外すことができ、例えば図１９Ａに示されるように、これが外側パネル１１６０をショルダーストラップ１１０６及びサポートストラップ１１８０から外す。図１９Ａにも示されるように、外側パネル１１６０が取り外されるとき、エキステンダ１１７５は、任意選択でショルダーストラップ１１０６及びサポートストラップ１１８０に結合されたままとなり得ることもあれば、図１８Ｂ及び図１９Ｃに示されるように、係合機構１１５０の第１の部分１１５２から第２の部分１１５４を外すことによって取り外され得ることもある。上記の実施形態と同様に、外側パネル１１６０がショルダーストラップ１１０６及びサポートストラップ１１８０から外された状態でも、下着１１００はショルダーストラップ１１０６及びサポートストラップ１１８０を介してまだ着用者の体の上の定位置に保持できる。下着１１００は、外側パネル１１６０が完全に取り外されて図１８Ｂに示されているが、第２の部分１１５４が係合機構１１５０の第１の部分１１５２から外されているとき、外側パネル１１６０がバックパネル１１２０に付着されたままとなるであろうことを理解されたい。
【０１２８】
［0223］  例えば下着１１００等の、係合機構１１５０よりむしろ、着用可能な搾乳ポンプ又は装用可能な母乳収集装置と使用できる下着の代替実施形態では、係合機構３５０等の係合機構が含まれることができる。係る実施形態では、下着は、外側パネルをサポートストラップ又はショルダーストラップに解放自在に結合するためにエキステンダのループのうちの１つの中に選択的に受け入れることができる、係合機構の第３の部分（例えば、第３の部分３５６）のフック部分（例えば、ｓ形状の部分３５８）を除き、下着１１００と同じに構築され、機能することができる。
【０１２９】
［0224］  図２０Ａから図２１Ｃは、装用可能な搾乳器又は装用可能な母乳収集装置と着用できる下着の別の実施形態を示す。下着１２００は、本明細書に説明される下着のいずれかに構造及び／又は機能において同じ又は類似する構成要素を含むことができる。例えば、下着１２００は、外側パネル１２６０、（図２０Ｂに最も良く示される）サポートストラップ１２８０、ショルダーストラップ１２０６、及びバックパネル１２２０を含むことができる。各ショルダーストラップ１２０６は、（本明細書では「留め金」とも呼ばれる）係合機構１２５０を介してサポートストラップ１２８０に結合できる。外側パネル１２６０、サポートストラップ１２８０、ショルダーストラップ１２０６、及びバックパネル１２２０は、それぞれ外側パネル１０６０、サポートストラップ１０８０、ショルダーストラップ１００６、及びバックパネル１０２０と、構造及び機能において同じ又は類似し得るため、いくつかの特徴及び詳細は本実施形態に関して説明されない。例えば、多様な構成要素は、上記の実施形態について上述されたのと同じ方法で互いに結合できる。
【０１３０】
［0225］  上記の実施形態と同様に、（上記の実施形態について上述された）内側パネルの代わりに、下着１２００は、サポートストラップ１２８０及びショルダーストラップ１２０６に結合されたエキステンダ１２７５を含む。エキステンダ１２７５は、上述されたエキステンダ１１７５と同じ又は同様に構築され、外側パネル１２６０のショルダーストラップ１２０６及びサポートストラップ１２８０への解放自在な付着の選択的な調整を提供できる複数のループを含むことができる。本実施形態では、図２１Ａ及び図２１Ｂに示されるように、エキステンダ１２７５は、外側パネル１２６０及びクリップ１２８２に結合された接続ループ１２７４の選択的な結合のために、４つのループ１２７６、１２７７、１２７８、及び１２７９を含む。ループ１２７６、１２７７、１２７８、１２７９は、エキステンダ１１７５と同じ材料から形成され、構築できる。エキステンダ１２７５は、例えば２つ、３つ、５つ、６つ、７つ、８つ、９つ、１０他等、より多い又はより少ないループを含むことができる。このようにして、エキスパンダ１２７５は、含まれるループの数に応じて多様な長さを有することができる。
【０１３１】
［0226］  上述されたように、外側パネル１２６０は、それぞれ材料の１つ以上の層で形成された１つ以上のパネルを含むことができる。例えば図２０Ａに示されるように、外側パネル１２６０は、右外側パネル１２６２及び左外側パネル１２６４を含む。右内側パネル１２６０及び左内側パネル１２６４は、それぞれ着用者の右乳房及び左乳房のカバーのための形状及びサイズに作ることができる。さらに図２０Ａには示されていないが、外側パネル１２６０は、中心ストラップ又はネックストラップ（例えば、中心ストラップ２４６）（図２０Ａでは不図示）を、上記の実施形態において内側パネルについて上述されたのと同じ又は類似する方法で結合するために、外側パネル１２６０の上縁に画定された１つ以上の穴を含むことができる。
【０１３２】
［0227］  本実施形態では、クリップ１２８２はショルダーストラップ１２０６に結合され、エキステンダ１２７５にも結合される。例えば、図２１Ａ及び図２１Ｂに最もよく示されるように、ショルダーストラップ１２０６の一部分は、クリップ１２５０の上部開口部を通して受け入れられ、クリップ１２８２の第１の部分上でループにされ、ショルダーストラップ１２０６をクリップ１２８２に固定するために縫製される又は縫い付けられることができる。同様に、エキステンダ１２７５の一部分は、クリップ１２８２の底部開口部を通して受け入れられ、クリップ１２８２の第２の部分上でループにされ、エキステンダ１２７５をクリップ１２８２に固定するために縫製される又は縫い付けられることができる。サポートストラップ１２８０は、例えば図２１Ｃの背面図に示されるように、エキステンダ１２７５の背面に縫製される又は縫い付けられることができる。図２２に示される代替実施形態では、サポートストラップ１２８０は、エキステンダ１２７５に対してよりむしろクリップ１２８２に固定されることができる。例えば、サポートストラップ１２８０の一部分は、クリップ１２８２の底部開口部を通して受け入れられ、クリップ１２８２の第２の部分上でループにされ、サポートストラップ１２８０をクリップ１２８２に固定するために縫製される又は縫い付けられることができる。係る実施形態では、エキステンダ１２７５は、サポートストラップ１２８０の正面に縫製される又は縫い付けられることができる。上記の実施形態と同様に、エキステンダ１２７５をサポートストラップ１２８０にさらに固定し、使用中その位置を維持するために、第１のカプラ（不図示）は、下着１１００について上述されたのと同じ方法で、サポートストラップの正面に配置された結合カプラ（不図示）に解放自在に結合できるエキステンダ１２７５の背面に付着できる。カプラは、例えば、スナップコネクタ（例えば、雄スナップコネクタ及び雌スナップコネクタ）、フックアンドループ結合、ＶＥＬＣＲＯ、ボタン等であり得る。
【０１３３】
［0228］  結合部材１２５６は、部分３５６が上述された外側パネル３６０に結合されるのと同じ又は類似する方法で外側パネル１２６０に結合される。例えば、外側パネル１２６０の一部分は、結合部材１２５６の開口部を通し、ステッチングで結合部材１２５６に固定できる。結合部材１２５６は、例えば図２１Ｂに示されるように、外側パネル１２６０をショルダーストラップ１２０６及びサポートストラップ１２８０に解放自在に結合するために、エキステンダ１２７５のループの中で選択的に受け入れることができるフック１２５８を含む。
【０１３４】
［0229］  下着１２００の通常の使用中、外側パネル１２６０（例えば、左外側パネル１２６４及び右外側パネル１２６２）は、結合部材１２５６を上部ループ１２７６でエキステンダ１２７５に結合することによってショルダーストラップ１２０６及びサポートストラップ１２８０に解放自在に結合できる。この位置で、外側パネル１２６０は、利用者の乳房に最も近くなるようなサイズに作られ、位置決めされる。装用可能な搾乳器又は母乳収集装置に対応するために、利用者は、結合部材１２５６を、ループ１２７７、１２７８、１２７９の選択されたループに解放自在に結合することによって、利用者の乳房に対して及びショルダーストラップ１２０６に対して外側パネル１２６０のサイズ及び位置を調整できる。例えば、図２１Ｂに示されるように、結合部材１２５６のループ部分１２５８は、ループ１２７８を通して挿入され、ループ１２７８に結合され、ループ１２７９は、外側パネル１２６０の後方に縫い込まれる。このようにして、この位置で、外側パネル１２６０は、ショルダーストラップ１２０６からさらに伸長され、したがって装用可能な搾乳器又は収集装置の挿入のためにより多くの空間を提供できる。
【０１３５】
［0230］  利用者が例えば授乳するために一方又は両方の乳房への完全なアクセスを欲する場合、外側パネル１２６０は、例えば図２０Ｂ及び図２１Ａに示されるように、エキステンダ１２７５から外すことができる。また、図２０Ｂ及び図２１Ａに示されるように、エキステンダ１２７５は、クリップ１２８２に固定されたままとなる。上記実施形態と同様に、外側パネル１２６０がショルダーストラップ１２０６及びサポートストラップ１２８０から外された状態でも、下着１２００はショルダーストラップ１２０６及びサポートストラップ１２８０を介してまだ着用者の体の上の定位置に保持できる。下着１２００は、外側パネル１２６０が完全に取り外されて図２０Ｂに示されているが、結合部材１２５６がエキステンダ１２７５から外されているとき、外側パネル１２６０がバックパネル１２２０に付着されたままとなるであろうことを理解されたい。
【０１３６】
［0231］  図２３Ａから図２３Ｃは、装用可能な搾乳器又は装用可能な母乳収集装置と着用できる下着の別の実施形態の一部分を示す。下着１３００は、本明細書に説明される下着のいずれかに構造及び／又は構造において同じ又は類似する構成要素を含むことができる。例えば、下着１３００は、外側パネル１３６０、（図２３Ｃ及び図２３Ｄに最も良く示される）サポートストラップ１３８０、ショルダーストラップ１３０６、及びバックパネル（不図示）を含むことができる。外側パネル１３６０、サポートストラップ１３８０、ショルダーストラップ１３０６、及びバックパネルは、それぞれ外側パネル１０６０、サポートストラップ１０８０、ショルダーストラップ１００６、及びバックパネル１０２０と、構造及び機能において同じ又は類似し得るため、いくつかの特徴及び詳細は本実施形態に関して説明されない。例えば、多様な構成要素は、上記の実施形態について上述されたのと同じ方法で互いに結合できる。
【０１３７】
［0232］  上記の実施形態と同様に、下着１３００は、サポートストラップ１３８０及びショルダーストラップ１３０６に結合されたエキステンダ１３７５を含む。エキステンダ１３７５は、上述されたエキステンダ１１７５及び１２７５と同じ又は同様に構築され、外側パネル１３６０のショルダーストラップ１３０６及びサポートストラップ１３８０への解放自在な付着の選択的な調整を提供できる複数のループを含むことができる。本実施形態では、図２３Ａ及び図２３Ｂに示されるように、エキステンダ１３７５は、外側パネル１３６０のサポートストラップ１３８０及びショルダーストラップ１３０６への選択的な結合のために、４つのループ１３７６、１３７７、１３７８、及び１３７９を含む。ループ１３７６、１３７７、１３７８、１３７９は、上記実施形態について上述されたのと同じ材料から形成され、構築でき、エキステンダ１３７５は、例えば２つ、３つ、５つ、６つ、７つ、８つ、９つ、１０他等、より多い又はより少ないループを含むことができる。
【０１３８】
［0233］  本実施形態では、エキステンダ１３７５、サポートストラップ３８０、及びショルダーストラップ１３０６は、ステッチングで互いに結合される。言い換えると、クリップ（例えばクリップ１２８２）又は係合機構（例えば、係合機構１１５０）は使用されない。例えば、エキステンダ１３７５は、サポートストラップ１３８０及び／又はショルダーストラップ１３０６に縫い付けることができる。同様に、サポートストラップ１３８０は、ショルダーストラップ１３０６に及び／又はエキステンダ１３７５に縫い付けることができる。図２３Ｃは、エキステンダ１３７５が例示的な目的のために取り外された状態でショルダーストラップ１３０６に結合された（例えば、縫製された／縫い付けられた）サポートストラップ１３８０を示し、図２３Ｄは、ショルダーストラップ１３０６に結合された（例えば、縫製された／縫い付けられた）サポートストラップ１３８０を示す背面図である。代替実施形態では、サポートストラップ１３０８は、下着１２００について上述されたように、エキステンダ１３７５に結合する（例えば、縫製する／縫い付ける）ことができ（例えば、図２２Ｃを参照）、エキステンダ１３７５は、ショルダーストラップ１３０６に結合する（例えば、縫製する／縫い付ける）ことができる。エキステンダ１３７５をサポートストラップ１３８０にさらに固定し、その位置を維持するために、第１のカプラ１３９２は、下着１１００について説明されたのと同じ方法で、サポートストラップ１３８０の正面に配置された結合カプラ（不図示）に解放自在に結合できるエキステンダ１３７５の背面に付着できる。カプラは、例えばスナップコネクタ（例えば、雄スナップコネクタ及び雌スナップコネクタ）、フックアンドループ結合、ＶＥＬＣＲＯ、ボタン等であり得る。
【０１３９】
［0234］  結合部材１３５６は、結合部材１２５６について上述されたのと同じ又は類似する方法で外側パネル１３６０に結合される。例えば、外側パネル１３６０の一部分は、結合部材１３５６の開口部を通し、ステッチングで結合部材１３５６に固定できる。結合部材１３５６は、例えば図２３Ｂに示されるように、外側パネル１３６０をショルダーストラップ１３０６及びサポートストラップ１３８０に解放自在に結合するために、エキステンダ１３７５のループの中で選択的に受け入れることができるフックを含む。
【０１４０】
［0235］  下着１３００の通常の使用中、外側パネル１３６０（例えば、左外側パネル及び右外側パネル）は、結合部材１３５６を上部ループ１３７６でエキステンダ１３７５に結合することによってショルダーストラップ１３０６及びサポートストラップ１３８０に解放自在に結合できる。この位置で、外側パネル１３６０は、利用者の乳房に最も近くなるようなサイズに作られ、位置決めされる。装用可能な搾乳器又は母乳収集装置に対応するために、利用者は、結合部材１３５６を、ループ１３７７、１３７８、１３７９の選択されたループに解放自在に結合することによって、利用者の乳房に対して及びショルダーストラップ１３０６に対して外側パネル１３６０のサイズ及び位置を調整できる。例えば、図２３Ｂに示されるように、結合部材１３５６のループ部分１３５８は、ループ１３７８を通して挿入され、ループ１３７８に結合され、ループ１３７９は、外側パネル１３６０の後方に縫い込まれる。このようにして、この位置で、外側パネル１３６０は、ショルダーストラップ１３０６からさらに伸長され、したがって装用可能な搾乳器又は収集装置の挿入のためにより多くの空間を提供できる。
【０１４１】
［0236］  利用者が例えば授乳するために一方又は両方の乳房への完全なアクセスを欲する場合、外側パネル１３６０は、例えば図２３Ａに示されるように、エキステンダ１３７５から外すことができる。上記実施形態と同様に、外側パネル１３６０がショルダーストラップ１３０６及びサポートストラップ１３８０から外された状態でも、下着１３００はショルダーストラップ１３０６及びサポートストラップ１３８０を介してまだ着用者の体の上の定位置に保持できる。
【０１４２】
［0237］  図２４から図３０Ｄは、装用可能な搾乳器又は装用可能な母乳収集装置と使用できる下着１４００の多様なビュー及び構成要素を示す。上述されたように、係る装用可能な搾乳器又は母乳収集装置は、乳房と下着（例えば、ブラジャー）の外側パネルとの間で利用者の乳房と接触して配置される。本実施形態では、下着１４００は、以下により詳細に説明されるように、下着１４００の外側パネルに取外し自在に付着できるポンピングパネルを含む。これは、利用者が下着をポンピングパネルが付着された又は付着されていない状態で着用できるようにする。
【０１４３】
［0238］  図２４は、下着１４００の前面図であり、図２５は、下着１４００の背面図である。下着１４００は、本明細書に説明される下着のいずれかと同じ又は類似する構成要素及び／又は機能を含むことができる。例えば、下着１４００は、外側パネル１４６０、（図２５に示される）内側ポンピングパネル４７０、バックパネル１４２０、（図２５に示される）２本のサポートストラップ、及び２本のショルダーストラップ１４０６を含む。また、下着１４００は、図２５、図２７、及び図２８に示されるように、内側ポンピングパネル１４７０に取外し自在に結合できる中心ストラップ又はネックストラップ１４４６を含むことができる。各ショルダーストラップ１４０６は、（本明細書では「留め金」とも呼ばれる）係合機構１４５０を介して外側パネル１４６０、内側パネル１４７０、及びサポートストラップ１４８０に結合できる。外側パネル１４６０、サポートストラップ１４８０、ショルダーストラップ１４０６、及びバックパネル１４２０は、例えばそれぞれ外側パネル１０６０、サポートストラップ１０８０、ショルダーストラップ１００６、及びバックパネル１０２０と構造及び機能において同じ又は類似し得るため、いくつかの特徴及び詳細は、本実施形態に関して説明されない。例えば、多様な構成要素は、上記実施形態について上述されたのと同じ方法で互いに結合できる。いくつかの実施形態では、多様な構成要素はステッチングによって互いに結合される。
【０１４４】
［0239］  内側パネル１４７０及び外側パネル１４６０はそれぞれ、それぞれ材料の１つ以上の層で形成された１つ以上のパネルを含むことができる。例えば図２４及び図２６に示されるように、外側パネル１４６０は、右外側パネル１４６２及び左外側パネル１４６４を含む。例えば図２５、図２７、及び図２８に示されるように、内側パネル１４７０は、右内側パネル１４１２及び左内側パネル１４１４を含む。右内側パネル１４１２及び左内側パネル１４１４は、それぞれ着用者の右乳房及び左乳房のカバーのための形状及びサイズに作ることができる。右内側パネル１４１２及び左内側パネル１４１４のそれぞれは、一部分が付着されず、第１の部分１４１５と第２の部分１４１７との間で開口部１４３０（例えば、図２７及び図２８を参照）を画定できるように互いに結合される第１の部分１４１５及び第２の部分１４１７を含むことができる。いくつかの実施形態では、第１の部分１４１５及び第２の部分１４１７は、開口部１４３０を画定できる重なり合う部分を含むことができる。第１の部分１４１５及び第２の部分１４１７は、例えば第１の部分１４１５及び第２の部分１４１７を互いから離して動かすことによって分離され、それによって開口部１４３０を生じさせ、利用者の乳房へのアクセスを提供できる。搾乳器は、次いで開口部１４３０を通して挿入でき、内側パネル１４７０は、母乳抽出中、搾乳ポンプを支えるのに役立つことができる。
【０１４５】
［0240］  さらに、図２５、図２７、及び図２８に示されるように、内側パネル１４７０は、内側パネル１４７０の上縁に画定された１つ以上の穴１４４３を含むことができる。例えば、内側パネル１４７０が穴１５４３を画定することができる、及び／又は穴１４４３が内側パネル１４７０に結合された別個の構成要素によって画定されることができる。上記の実施形態について説明されるように、中心ストラップ１４４６は、穴１４４３のいずれかとの選択的な解放自在な係合を介して内側パネル１４７０に付着できる。中心ストラップ１４４６は、構造及び／又は機能において、上述された中心ストラップ２４６に同じ又は類似することができる。
【０１４６】
［0241］  サポートストラップ１４８０は、以下により詳細に説明されるように、係合機構１４５０を介して、第１の端部でバックパネル１４２０に、及び第２の端部でショルダーストラップ１４０６のうちの１つに結合されることができる。代替実施形態では、サポートストラップ１４８０は、バックパネル１４２０に対してよりむしろ下着１４００の下部バンドに対して付着されることができる。ショルダーストラップ１４０６のそれぞれは、例えば縫製／ステッチングで、（係合機構１４５０を介して）サポートストラップ１４８０に結合された第１の端部、及びバックパネル１０２０に結合された第２の端部を有することができる。外側パネル１４６０は、例えば縫製／ステッチングによって、例えば外側パネル１４６０の底縁に沿って、バックパネル１４２０に付着されることができる。本実施形態では、内側ポンピングパネル１４７０は、係合機構１４５０に取外し自在に結合可能であり、以下により詳細に説明されるように、結合部材でサポートストラップ１４８０及びバックパネル１４２０に取外し自在に結合可能でもある結合機構１４４２を介してショルダーストラップ１４０６（したがって、バックパネル１４７０）に取外し自在に結合できる。
【０１４７】
［0242］  係合機構１４５０は、上述の係合機構８５０と構造及び／又は機能において同じ又は類似し得る。図２４の係合機構の拡大図である図２９に最も良く示されるように、係合機構１４５０は、第１の部分１４５２、第２の部分１４５４、及び第３の部分１４５６を含むことができる。第１の部分１４５２は、第２の部分と解放自在に係合可能である場合があり、第２の部分１４５４は、第３の部分１４５６と解放自在に係合可能であることができる。第１の部分１４５０は、第１の開口部１４８１よりも延長部分１４５１の反対側に延長部分１４５１、第１の開口部１４８１、及び第２の開口部（図２４Ｂでは不可視）（例えば、図１４Ｂの８８３を参照）を含むことができる。第２の部分１４５４は、タブ部分１４５３、第１の開口部１４５５、固定バー１４８４、第２の開口部１４６７、第３の開口部１４６８、及び係合部分１０８５を含むことができる。第３の部分１４５６は、係合部分１４８６及び開口部１４５９を含むことができる。
【０１４８】
［0243］  係合機構１４５０の第１の部分１４５２は、例えばステッチングでショルダーストラップ１４０６のうちの１本に結合される。例えば、ショルダーストラップ１４０６の末端部分は第１の開口部１４８１を通してループにされ、第１の部分１０５２の上部がショルダーストラップ１４０６のループの中で固定されるように（例えば、ステッチングで）それ自体に付着できる。さらに、第１の部分１４５２は、サポートストラップ１４８０が第１の部分１４５２に固定できるように、第２の開口部１４８３を通してサポートストラップ１４８０の一部分を受け入れることができる（例えば、図３０Ｂから図３０Ｄを参照）。例えば、サポートストラップ１４８０の末端部分は第１の部分１４５２の第２の開口部を通してループにされ、第１の部分１４５２の底部がサポートストラップ１４８０のループの中で固定されるように、（例えば、ステッチングで）それ自体に付着できる（例えば、図３０Ｂから図３０Ｄを参照）。
【０１４９】
［0244］  上述されたように、本実施形態では、内側ポンピングパネル１４７０を係合部材１４５０の第２の部分１４５４に恒久的に縫い付けるよりむしろ、内側ポンピングパネル１４７０は、係合機構１４５０の第２の部分１４５４に取外し自在に結合できる。図２７及び図２８に示されるように、右パネル及び左パネル１４１４及び１４１２のそれぞれは、伸ばされたタブ１４４８の末端部分に付着された第１の結合部材、並びにパネル１４６２及び１４６４の一部分に付着された嵌合第２結合部材１４３５を含む結合機構１４４２を含む。内側ポンピングパネル１４７０を係合機構１４５０に取外し自在に結合するために、伸ばされたタブ１４４８は、第２の部分１４５４の開口部１４６８を通して挿入され、結合部材１４４５が図２７に示されるように結合部材１４３５に結合できるように、開口部１４６７を通して外へ、伸ばされたタブ１４４８を固定バー１４８４の回りに通し、それをそれ自体の上に折り畳む。図２７は、折り畳まれた伸ばされたタブ１４４８、及び例示的な目的のために示される係合機構１４５０の第２の部分１４６４なしに互いに結合された結合部材１４４５及び１４３５を示す。
【０１５０】
［0245］  内側パネル１４７０をサポートストラップ１４８０に取外し自在に結合するために、内側パネル１４７０のパネル１４１２及び１４１４は、サポートパネル１４８０の正面に配置された対応する結合部材１４４５に取外し自在に結合できるパネル１４１２及び１４１４の背面に配置された結合部材１４４５を含む。図２５及び図２６は、サポートストラップ１４８０の背面を示し、結合部材１４４５がその上に配置される場合を示し、図２８は、内側パネル１４７０の背面を示し、結合部材１４３５がその上に配置される場合を示す。さらに、内側パネル１４７０は、図２７及び図２８に示されるように、内側パネルの中心部分から伸長し、その上に配置された結合部材１４３５を有する結合ストラップ１４４９を含む。結合ストラップ１４４９は、（図２５に示されるように）バックパネル１４２０に巻き付く場合があり、その上に配置された結合部材１４３５は、バックパネル１４２０の正面に配置された対応する結合部材１４４５（不可視）に結合されることができる。図２４は、結合部材１４３５が結合ストラップ１４４９上の湾曲の真下に隠れている場合を示す。
【０１５１】
［0246］  いくつかの実施形態では、結合部材１４４５及び１４３５は、例えばそれぞれ雌スナップコネクタ及び雄スナップコネクタであってもよい。代替実施形態では、結合部材１４４５は、雌スナップコネクタである場合があり、結合部材１４３５は雄スナップコネクタであってもよく、その逆もあることを理解されたい。さらに、代わりに例えばＶＥＬＣＲＯ等のフックアンドループファスナー、又はボタン、フック等の他の種類の結合部材が使用できる。結合部材１４４５及び１４３５は、例えば縫製又はステッチングによって内側パネル１４７０、外側パネル１４６０、及びサポートストラップ１４８０に付着できる。
【０１５２】
［0247］  本実施形態では、外側パネル１４６０は、上記実施形態について説明されたのと同じ又は類似する方法で係合機構１４５０の第３の部分４５６に付着されることができる。すなわち、外側パネル１４６０のパネル１４６２及び１４６４のそれぞれの一部分は、第３の部分１４５６の開口部１４５９を通過し、係合機構１４５０の第２の部分１４５６の底部上でループにされ、次いでサポートストラップ１４８０がどのように第２の部分１４５４に付着されるのか（例えば、図３０Ａを参照）と類似する方法でそれ自体に付着される（例えば、縫製される、又は縫い付けられる）ことができる。
【０１５３】
［0248］  上記実施形態（例えば、係合機構８５０）と同様に、第１の部分１４５２の延長部分１４５１は、上記の実施形態について上述されたのと同様に、第２の部分１４５４を第１の部分１４５２に解放自在に結合し、したがって（内側パネル１４７０が第２の部分１４５４に結合されるときに）内側パネル１４７０を（ともに第１の部分１４５２に付着された）サポートストラップ１４８０及びショルダーストラップ１４０６に解放自在に結合するために、第２の部分１４５４の第１の開口部１４５５を通して挿入される形状及びサイズに作ることができる。第２の部分１４５４のタブ部分１４５３は、第１の部分１４５２の延長部分１４５１が第２の部分１４５４の第１の開口部１４５５を通して受け入れられるとき、タブ部分１４５３が延長部分１４５１に接触又は係合するように、及びそれが第１の部分１４５２とのロック係合の中に曲げられる、又はクリックされるような形状及びサイズに作ることができる。いくつかの実施形態では、タブ部分１４５３は、第２の部分１４５４が第１の部分１４５２との係合に移動するにつれ、タブ部分１４５３がわずかに曲がり、次いでロック係合に嵌るように十分に弾力性があり得る。
【０１５４】
［0249］  同様に、第３の部分１４５６の係合部分１４８６は、第２の部分１４５４の係合部分１４８５と解放自在に係合されることができる。係合部分１４８６及び係合部分１４８５は、図２９に示されるインターロック形状で形成されているとして示されているが、係合部分１４８６及び係合部分１４８５は、任意の適切な解放自在にインターロックする形状を含むことができる。
【０１５５】
［0250］  上述されたように、係合機構１４５０の第１の部分１４５２及び第２の部分１４５４は、内側パネル１４７０をサポートストラップ１４８０及び（内側パネル１４７０が第２の部分１４５４に結合されるとき）ショルダーストラップ１４０６に結合するために係合／結合されることができる。内側パネル１４７０上の結合部材１４３５は、サポートストラップ１４８０及びバックパネル１４２０上の対応する結合部材１４４５に結合されることができる。さらに、第３の部分１４５６は、図２４に示されるように、外側パネル１４６０が内側パネル１４７０を実質的に覆うように、外側パネル１４６０（つまり、パネル１４６２及び１４６４）を内側パネル１４７０（つまり、パネル１４１２及び１４１４）並びにショルダーストラップ１４０６に結合するために、係合部分１４８５との係合部分１４８６の係合によって第２の部分１４５４に結合されることができる。外側パネル１４６０は、図２４で内側パネル１４７０全体を覆うとして示されているが、いくつかの実施形態では、外側パネル１４６０は、内側パネル１４７０の一部分しか覆わない形状及びサイズに作ることができる。
【０１５６】
［0251］  使用中、下着１４００は、着用者によって着用される場合があり、例えば搾乳のために着用者の乳房へのアクセスが所望される場合、外側パネル１４６０（例えば、右外側パネル１４６２及び／又は左外側パネル１４６４）は、係合機構１４５０の第２の部分１４５４から第３の部分１４５６を外す又は解くことによって内側パネ１４７０（例えば、右内側パネル１４１２及び／又は左内側パネル１４１４）から外される場合があり、外側パネル１４６０は、内側パネル１４７０がアクセス可能であるように動かされる（例えば、折り畳まれる）ことができる。上述されたように、内側パネル１４７０の（例えば、右内側パネル１４１２及び／又は左内側パネル１４１４の）第１の部分１４１５及び第２の部分１４１７は、それを通して着用者の乳房にアクセス可能となり、搾乳器の一部分を挿入できる開口部１４３０を生じさせるために分離する（例えば、引き伸ばす又は折り畳む）ことができる。着用者の乳房への追加のアクセスが所望される場合、内側パネル１４７０は、係合機構１４５０の第２の部分１４５４を係合機構１４５０の第１の部分１４５２から取り外す／外すことによってショルダーストラップ１４０６から外すことができる。また内側パネル１４７０は、結合部材１４４５及び１４３５を切り離すことによって、任意選択でサポートストラップ１４８０から紀伊話すこともできる。所望されるとき、内側パネル１４７０及び外側パネル１４６０は、係合機構１４５０の第１の部分１４５２に第２の部分１４５４を再結合し、係合機構１４５０の第２の部分１４５４に第３の部分１４５６を再結合することによってショルダーストラップ１４０６に付着し直すことができる。いくつかの実施形態では、外側パネル１４６０及び内側パネル１４７０は、第２の部分１４５４を第１の部分１４５２から外すが、第３の部分１４５６を第２の部分１４５４から外さないことによってショルダーストラップ１４０６から同時に外すことができる。
【０１５７】
［0252］  上述されたように、下着１４００は、内側パネル１４７０が下着１４００から完全に取り外された状態でも使用できる。かかる使用中、所望される場合、外側パネル１４６０は、ショルダーストラップ１４０６から外され、一方又は両方の乳房へ露出し、一方又は両方の乳房にアクセスするために下方に折り畳まれる又は動かされることができる。例えば、係合機構１４５０の第３の部分１４５６は、係合機構１４５０の第２の部分１４５４から外すことができる。
【０１５８】
［0253］  図３１から図３５は、下着１４００に類似し、装用可能な搾乳器又は装用可能な母乳収集装置と使用できる下着１５００の多様なビュー及び構成要素を示す。上述されたように、係る装用可能な搾乳器又は母乳収集装置は、乳房と下着（例えば、ブラジャー）の外側パネルとの間で利用者の乳房と接触して配置される。本実施形態では、下着１５００は、以下により詳細に説明されるように、下着１５００の外側パネル及びサポートストラップに取外し自在に付着し、完全の取り外すことができるポンピングパネルを含む。これは、利用者が下着をポンピングパネルが付着された又は付着されていない状態で着用できるようにする。
【０１５９】
［0254］  図３１は下着１５００の前面図であり、図３２は下着１５００の背面図である。下着１５００は、本明細書に説明される下着のいずれかと同じ又は類似する構成要素及び／又は機能を含むことができる。例えば、下着１５００は、外側パネル１５６０、（内側パネル１５７０とも呼ばれる）内側ポンピングパネル１５７０（図３２に示される）、バックパネル１５２０、（図３２に示される）２本のサポートストラップ、及び２本のショルダーストラップ１５０６を含む。また、下着１５００は、図３２、図３４、及び図３５に示されるように、内側ポンピングパネル１５７０に取外し自在に結合できる中心ストラップ又はネックストラップ１５４６を含むことができる。各ショルダーストラップ１５０６は、（本明細書では「留め金」とも呼ばれる）係合機構１５５０を介して外側パネル１５６０、内側パネル１５７０、及びサポートストラップ１５８０に結合されることができる。外側パネル１５６０、サポートストラップ１５８０、ショルダーストラップ１５０６、及びバックパネル１５２０は、例えばそれぞれ外側パネル１０６０、サポートストラップ１０８０、ショルダーストラップ１００６、及びバックパネル１０２０と、構造及び機能において同じ又は類似し得るため、いくつかの特徴及び詳細は、本実施形態に関して説明されない。例えば、多様な構成要素は、上記実施形態について上述されたのと同じ方法で互いに結合できる。いくつかの実施形態では、多様な構成要素は、ステッチングによってともに結合される。
【０１６０】
［0255］  内側パネル１５７０及び外側パネル１５６０はそれぞれ、それぞれ材料の１つ以上の層で形成された１つ以上のパネルを含むことができる。例えば図３１及び図３３に示されるように、外側パネル１５６０は、右外側パネル１５６２及び左外側パネル１５６４を含む。例えば図３２、図３４、及び図３５に示されるように、内側パネル１５７０は、右内側パネル１５１２及び左内側パネル１５１４を含む。右内側パネル１５１２及び左内側パネル１５１４は、それぞれ着用者の右乳房及び左乳房のカバーのための形状及びサイズに作ることができる。右内側パネル１５１２及び左内側パネル１５１４のそれぞれは、一部分が付着されず、第１の部分１５１５と第２の部分１５１７との間で開口部１５３０（例えば、図３４及び図３５を参照）を画定できるように互いに結合される第１の部分１５１５及び第２の部分１５１７を含むことができる。いくつかの実施形態では、第１の部分１５１５及び第２の部分１５１７は、開口部１５３０を画定できる重なり合う部分を含むことができる。第１の部分１５１５及び第２の部分１５１７は、例えば第１の部分１５１５及び第２の部分１５１７を互いから離して動かすことによって分離され、それによって開口部１５３０を生じさせ、利用者の乳房へのアクセスを提供できる。搾乳器は、次いで開口部１５３０を通して挿入でき、内側ポンピングパネル１５７０は、母乳抽出中、搾乳ポンプ（例えば、上述されたポンプ２９０）を支えるのに役立つことができる。
【０１６１】
［0256］  さらに、図３２、図３４、及び図３５に示されるように、内側パネル１５７０は、内側パネル１５７０の上縁に画定された１つ以上の穴１５４３を含むことができる。例えば、内側パネル１５７０が穴１５４３を画定することができる、及び／又は穴１５４３が内側パネル１５７０に結合された別個の構成要素によって画定されることができる。上記の実施形態について説明されるように、中心ストラップ１５４６は、穴１５４３のいずれかとの選択的な解放自在な係合を介して内側パネル１５７０に付着できる。中心ストラップ１５４６は、構造及び／又は機能において、上述された中心ストラップ２４６に同じ又は類似し得る。
【０１６２】
［0257］  サポートストラップ１５８０は、下着１４００について上述されたのと同じ方法で、係合機構１５５０を介して、第１の端部でバックパネル１５２０に、及び第２の端部でショルダーストラップ１５０６のうちの１本に結合されることができる。代替実施形態では、サポートストラップ１５８０は、バックパネル１５２０に対してよりむしろ下着１５００の下部バンドに対して付着されることができる。ショルダーストラップ１５０６のそれぞれは、例えば縫製／ステッチングで、（係合機構１５５０を介して）サポートストラップ１５８０に結合された第１の端部、及びバックパネル１５２０に結合された第２の端部を有することができる。外側パネル１５６０は、例えば縫製／ステッチングによって、例えば外側パネル１５６０の底縁に沿って、バックパネル１５２０に付着されることができる。本実施形態では、内側ポンピングパネル１５７０は、係合機構１５５０に取外し自在に結合可能であり、以下により詳細に説明されるように、結合部材でサポートストラップ１５８０及びバックパネル１５２０に取外し自在に結合可能でもある結合機構１５４２を介してショルダーストラップ１５０６（したがって、バックパネル１５２０）に取外し自在に結合できる。
【０１６３】
［0258］  係合機構１５５０は、上述された係合機構８５０及び係合機構１４５０と構造及び／又は機能において同じ又は類似し得る。係合機構１５５０は、下着１４００について上述されたのと同じ方法で下着１５００の多様な構成要素に結合できる。
【０１６４】
［0259］  上述されたように、本実施形態では、内側ポンピングパネル１５７０を係合部材１５５０に恒久的に縫い付けるよりむしろ、内側ポンピングパネル１５７０は、係合機構１５５０に取外し自在に結合できる。図３４及び図３５に示されるように、右パネル及び左パネル１５１４及び１５１２のそれぞれは、伸ばされたタブ１５４８の末端部分に付着された第１の結合部材１５４５、並びにパネル１５６２及び１５６４の一部分に付着された嵌合第２結合部材１５３５を含む結合機構１５４２を含む。内側ポンピングパネル１５７０を係合機構１５５０に取外し自在に結合するために、伸ばされたタブ１５４８は、第１の結合部材１５４５が図３４に示されるように第２の結合部材１５３５に結合できるように、それをそれ自体に折り畳むことによって、伸ばされたタブ１４４８及び係合機構１４５０について上述されたのと同じ方法で係合機構１５５９０に取外し自在に結合される。
【０１６５】
［0260］  内側パネル１５７０をサポートストラップ１５８０に取外し自在に結合するために、内側パネル１５７０のパネル１５１２及び１５１４は、サポートパネル１５８０の正面に配置された対応する結合部材１５４５に取外し自在に結合できるパネル１５１２及び１５１４の背面に配置された結合部材１５３５を含む。図３２及び図３３は、サポートストラップ１５８０の背面を示し、結合部材１５４５がその上に（であるが、サポートストラップ１５８０の正面に）配置される場合を示し、図３５は、内側パネル１５７０の背面を示し、結合部材１５３５がその上に配置される場合を示す。さらに、本実施形態では、内側パネル１５７０は、図３４に示されるように、パネル１５１５の間の中心部分で正面に配置された結合部材１５３５を含む。結合部材１５３５は、内側パネル１５７０をバックパネル１５２０に結合するために、例えば図３３に示されるように、パネル１５６２と１５６４との間の中心部分でバックパネル１５２０上に配置された結合部材１５４５に取外し自在に結合されることができる。
【０１６６】
［0261］  いくつかの実施形態では、結合部材１５４５及び１５３５は、例えばそれぞれ雌スナップコネクタ及び雄スナップコネクタであることができる。代替実施形態では、結合部材１５４５は、雌スナップコネクタである場合があり、結合部材１５３５は、雄スナップコネクタである場合があり、その逆もあることを理解されたい。さらに、代わりに例えばＶＥＬＣＲＯ等のフックアンドループファスナー、又はボタン、フック等の他の種類の結合部材が使用できる。結合部材１５４５及び１５３５は、例えば縫製又はステッチングによって内側パネル１５７０、外側パネル１５６０、バックパネル、及びサポートストラップ１５８０に付着できる。
【０１６７】
［0262］  本実施形態では、外側パネル１５６０は、上記実施形態について説明されたのと同じ又は類似する方法で係合機構１５５０に付着されることができる。さらに、上述されたように、内側パネル１５７０は、サポートパネル１５８０及び（内側パネル１５７０が係合機構１５５０に結合されるとき）ショルダーストラップ１５０６に結合できる。内側パネル１５７０上の結合部材１５３５は、サポートストラップ１５８０及びバックパネル１５２０上で対応する結合部材１５４５に結合されることができる。さらに、外側パネル１５６０（つまり、パネル１５６２及び１５６４）は、図３１に示されるように、外側パネル１４６０が内側パネル１５７０を実質的に覆うように、内側パネル１５７０（つまり、パネル１５１２及び１５１４）に結合されることができる。外側パネル１５６０は、図３１で内側パネル１５７０全体を覆うとして示されているが、いくつかの実施形態では、外側パネル１５６０は、内側パネル１５７０の一部分しか覆わない形状及びサイズに作ることができる。
【０１６８】
［0263］  使用中、下着１５００は、着用者によって着用される場合があり、例えば搾乳のために着用者の乳房へのアクセスが所望される場合、外側パネル１５６０（例えば、右外側パネル１５６２及び／又は左外側パネル１５６４）は、下着１４００について上述されたのと同じ方法で内側パネル１５７０（例えば、右内側パネル１５１２及び／又は左内側パネル１５１４）から外されることができる。上述されたように、（例えば、右内側パネル１５１２及び／又は左内側パネル１５１４の）内側パネル１５７０の第１の部分１５１５及び第２の部分１５１７は、それを通して着用者の乳房にアクセス可能となり、搾乳器の一部分を挿入できる開口部１５３０を生じさせるために分離する（例えば、引き伸ばす又は折り畳む）ことができる。着用者の乳房への追加のアクセスが所望される場合、内側パネル１５７０は、下着１４００について上述されたように、ショルダーストラップ１５０６から外すことができる。また、内側パネル１５７０は、結合部材１５４５及び１５３４を切り離すことによって、サポートストラップ１５８０から任意選択で切り離すことができる。所望されるとき、内側パネル１５７０及び外側パネル１５６０は、下着１４００について上述されたのと同じ方法で、ショルダーストラップ１５０６に付着し直すことができる。いくつかの実施形態では、外側パネル１５６０及び内側パネル１５７０は、同時にショルダーストラップ１５０６から外すことができる。
【０１６９】
［0264］  上述されたように、下着１５００は、内側ポンピングパネル１５７０が下着１５００から完全に取り外された状態でも使用できる。係る使用中、所望される場合、外側パネル１５６０は、ショルダーストラップ１５０６から外され、一方又は両方の乳房へ露出し、一方又は両方の乳房にアクセスするために下方に折り畳まれる又は動かされることができる。
【０１７０】
［0265］  図３６から図４０Ｃは、さらに別の実施形態に係る下着１６００を示す。本実施形態では、下着１６００は、上述された下着、特に下着１４００及び１５００と同様に構築されるため、いくつかの特徴は以下に詳細に説明されない。下着１６００は、装用可能な搾乳器又は装用可能な母乳収集装置と使用できる。上述されたように、係る装用可能な搾乳器又は母乳収集装置は、乳房と下着（例えば、ブラジャー）の外側パネルとの間で利用者の乳房と接触して配置される。上記実施形態と同様に、本実施形態では、下着１６００は、以下により詳細に説明されるように、下着１６００の外側パネル及びサポートストラップに取外し自在に付着し、完全に取り外すことができる内側ポンピングパネルを含む。これは、利用者が下着をポンピングパネルが付着された又は付着されていない状態で着用できるようにする。また、本実施形態は、上記実施形態について上述されたエキステンダ１１７５及び１２７５に類似した内側ポンピングパネルの代わりに任意選択で使用できるエキステンダも含む。本実施形態のエキステンダは、取り外し可能であり、調節機能を提供して装用可能なポンプ装置を支え、フィットするために内側ポンピングパネルの代わりに使用できる。したがって、利用者は、内側ポンピングパネルを付着して搾乳器を支えるための下着を使用するか、又はエキステンダを付着して装用可能な搾乳器を着用中に使用される外側パネルのカップサイズを調整するかのどちらかであり得る。
【０１７１】
［0266］  図３６及び図３７はそれぞれ下着１６００の前面図であり、図３６は、（本明細書では「留め金」とも呼ばれる）係合機構１６５０の拡大図を示し、図３７は、下着１６００と使用できるネックサポート１６４６を示す。下着１６００は、本明細書に説明される下着のいずれかと同じ又は類似する構成要素及び／又は機能を含むことができる。下着１６００は、外側パネル１６６０、（内側パネル１６７０とも呼ばれる）内側ポンピングパネル１６７０、バックパネル１６２０、２本のサポートストラップ１６００（図３９Ａから図３９Ｃには、サポートストラップ１６８０の一部分しか示されていない）、及び２本のショルダーストラップ１６０６を含む。また、下着１６００は、図３８に示されるように、内側ポンピングパネル１６７０の一部分に取外し自在に及び選択可能に結合できる、又は図３７に示されるように外側パネル１６６０の一部分に取外し自在に及び選択可能に結合できる中心ストラップ又はネックストラップを含み得る。各ショルダーストラップ１６０６は、（本明細書では「留め金」とも呼ばれる）係合機構１６５０を介して外側パネル１６６０、内側パネル１６７０、及びサポートストラップ１６８に結合されることができる。外側パネル１６６０、サポートストラップ１６８０、ショルダーストラップ１６０６、及びバックパネル１６２０は、例えば、それぞれ外側パネル１０６０、サポートストラップ１０８０、ショルダーストラップ１００６、及びバックパネル１０２０と構造及び機能において同じ又は類似し得るため、いくつかの機能及び詳細は、本実施形態に関して説明されない。例えば、多様な構成要素は、上記実施形態について上述されたのと同じ方法で互いに結合されることができる。いくつかの実施形態では、多様な構成要素は、ステッチングによって結合される。
【０１７２】
［0267］  内側パネル１６７０及び外側パネル１６０はそれぞれ、それぞれ材料の１つ以上の層で形成された１つ以上のパネルを含むことができる。例えば図３６及び図３７に示されるように、外側パネル１６６０は、右外側パネル１６６２及び左外側パネル１６６４を含む。例えば図３８に示されるように、内側パネル１６７０は、右内側パネル１６１２及び左内側パネル１６１４を含む。右内側パネル１６１２及び左内側パネル１６１４は、それぞれ着用者の右乳房及び左乳房のカバーのための形状及びサイズに作ることができる。右内側パネル１６１２及び左内側パネル１６１４のそれぞれは、一部分が付着されず、第１の部分１６１５と第２の部分１６１７との間で開口部１６３０を画定できるように互いに結合される第１の部分１６１５及び第２の部分１６１７を含むことができる。いくつかの実施形態では、第１の部分１６１５及び第２の部分１６１７は、開口部１６３０を画定できる重なり合う部分を含むことができる。第１の部分１６１５及び第２の部分１６１７は、例えば第１の部分１６１５及び第２の部分１６１７を互いから離して動かすことによって分離され、それによって開口部１６３０を生じさせ、利用者の乳房へのアクセスを提供できる。搾乳器は、次いで開口部１６３０を通して挿入でき、内側ポンピングパネル１６７０は、母乳抽出中、搾乳ポンプ（例えば、上述されたポンプ２９０）を支えるのに役立つことができる。
【０１７３】
［0268］  さらに、図３８に示されるように、内側パネル１６７０は、内側パネル１５７０の上縁に画定された１つ以上の穴又はループ１６４３を含むことができる。例えば、内側パネル１６７０が穴１６４３を画定することができる、及び／又は穴１６４３が内側パネル１６７０に結合された別個の構成要素によって画定されることができる。中心ストラップ１６４６は、穴１６４３のいずれかとの選択的な解放自在な係合を介して内側パネル１６７０に付着できる。中心ストラップ１６４６は、構造及び／又は機能において、上述された中心ストラップ２４６に同じ又は類似することができる。
【０１７４】
［0269］  本実施形態では、外側パネル１６６０も、外側パネル１６６０の上縁に画定された１つ以上の穴又はループ１６４３を含むことができる。内側パネル１６７０と同様に、外側パネル１６６０が穴１６４３を画定することができる、及び／又は穴１６４３が内側パネル１６７０に結合された別個の構成要素によって画定されることができる。中心ストラップ１６４６は、穴１６４３のいずれかとの選択的な解放自在な係合を介して内側パネル１６７０に付着できる。中心ストラップ１６４６は、構造及び／又は機能において、上述された中心ストラップ２４６に同じ又は類似することができる。
【０１７５】
［0270］  サポートストラップ１６８０は、下着１４００について上述されたのと同じ方法で、係合機構１６５０を介して、第１の端部でバックパネル１６２０に、及び第２の端部でショルダーストラップ１６０６のうちの１つに結合されることができる。代替実施形態では、サポートストラップ１６８０は、バックパネル１６２０に対してよりむしろ下着１６００の下部バンドに対して付着されることができる。ショルダーストラップ１６０６のそれぞれは、例えば縫製／ステッチングで、（係合機構１６５０を介して）サポートストラップ１６８０に結合された第１の端部、及びバックパネル１６２０に結合された第２の端部を有することができる。外側パネル１６６０は、例えば縫製／ステッチングによって、例えば外側パネル１６６０の底縁に沿って、バックパネル１６２０に付着されることができる。本実施形態では、内側ポンピングパネル１６７０は、係合機構１６５０に取外し自在に結合可能であり、内側パネル１４７０及び１５７０について上述されたのと同じ方法で、結合部材でサポートストラップ１６８０及びバックパネル１６２０に取外し自在に結合可能でもある結合機構１６４２を介してショルダーストラップ１６０６（したがって、バックパネル１６２０）に取外し自在に結合できる。
【０１７６】
［0271］  係合機構１６５０は、上述された係合機構８５０及び係合機構１４５０と構造及び／又は機能において同じ又は類似し得る。図３９Ａから図３９Ｃに最も良く示されるように、係合機構１６５０は、第１の部分１６５２、第２の部分１６５４、及び第３の部分１６５６を含むことができる。第１の部分１６５２は、第２の部分１６５４と解放自在に係合可能である場合があり、第２の部分１６５４は、第３の部分１６５６と解放自在に係合可能であることができる。第１の部分１６５２、第２の部分１６５４、及び第３の部分１６５６は、係合機構８５０及び１４５０のそれぞれの部分と同じに構成できる。係合機構１６５０の第１の部分１６５２は、例えばステッチングでショルダーストラップ１６０６のうちの１本に結合される。また、第１の部分１６５２は、上記実施形態について上述されたのと同じ方法でサポートストラップ１６８０に結合される。
【０１７７】
［0272］  上述されたように、本実施形態では、ステッチングで内側ポンピングパネル１６７０を係合部材１６５０に恒久的に又は固定的に結合するよりむしろ、内側ポンピングパネル１６７０は、係合機構１６５０に取外し自在に結合できる。図３８に示されるように、右パネル及び左パネル１６１４及び１６１２のそれぞれは、内側パネル１５７０について説明されたのと同じ方法で係合機構１６５０の（図３９Ａ及び図３９Ｂに示される）第２の部分１６５４に内側パネル１６７０を取外し自在に結合するために使用できる結合機構１６４２を含む。
【０１７８】
［0273］  内側パネル１６７０は、内側パネル１４７０及び１５７０について上述されたのと同じ又は類似した方法で解放自在な結合機構（不図示）でサポートストラップ１６８０及びバックパネル１６２０に取外し自在に結合され得る。したがって、上記実施形態と同様に、内側パネル１６７０は、下着１６００から完全に取り外すことができる。
【０１７９】
［0274］  本実施形態では、外側パネル１６６０は、上記実施形態について説明されたのと同じ又は類似する方法で、及び図３９Ａ及び図３９Ｂに示されるように、係合寄稿１６５０の第３の部分１６５６に付着されることができる。したがって、外側パネル１６６０は、第３の部分１６５６が第２の部分１６５４に結合され、第２の部分１６５４が第１の部分１６５２に結合されるとき、サポートストラップ１６８０及びショルダーストラップ１６０６に結合されることができる。さらに、内側パネル１６７０が（第２の部分１６５４を介して）サポートストラップ１６８０及びショルダーストラップ１６０６に結合される場合、外側パネル１６６０は、外側パネル１６６０が内側パネル１６７０を実質的に覆うように内側パネル１６７０に結合できる。
【０１８０】
［0275］  上述されたように、本実施形態では、下着１６００は、係合機構１６５０の第２の部分１６５４に取外し自在に結合できるエキステンダ１６７５を含むことができる。例えば、内側ポンピングパネルが取外し可能である状態で、所望される場合、利用者は、装用可能な搾乳器を着用しているときに下着を使用するために、又はそれ以外の場合、外側パネル１６６０により大きいカップサイズを提供するために、内側ポンピングパネル１６７０の代わりにエキステンダ１６７５を追加できる。
【０１８１】
［0276］  すなわち、上記実施形態と同様に、並びに図３９Ａから図３９Ｂ及び図４０Ａから図４０Ｂに示されるように、エキステンダ１６７５は、外側パネル１６６０のショルダーストラップ１６０６及びサポートストラップ１６８０への解放自在な付着の選択的な調整を提供できる複数のループを含むことができる。本実施形態では、エキステンダ１６７５は、４つのループ１６７６、１６７７、１６７８、及び１６７９を含む。上述されたように、本実施形態では、エキステンダ１６７５は、係合機構１６５０に取外し自在に結合されることができる。すなわち、図４０Ａから図４０Ｃに示されるように、エキステンダ１６７５は、第１のループ１６７６の背面に配置された第２のカプラ１６９３と噛合して結合することができるタブ部分１６９１の背面に配置された第１のカプラ１６９２を有するタブ部分１６９１も含む。タブ部分１６９１は、係合機構の第２の部分１６５４で開口部１６６８を通って、固定バー１６８４の回りで、及び開口部１６６７を（図３９Ａを参照）通って挿入される又はループにされる場合があり、カプラ１６９２は、エキステンダ１６７５を第２の部分１６５４に取外し自在に結合するためにカプラ１６９３に結合されることができる。開口部１６６７及び１６６８並びに固定バー１６４は、それぞれ、係合機構８５０について上述された開口部８６７及び８６８、並びに固定バー８８４と同じであることができる。カプラ１６９２及び１６９３は、例えばスナップコネクタ（例えば、雄スナップコネクタ及び雌スナップコネクタ）、フックアンドループ結合、ＶＥＬＣＲＯ、ボタン等であることができる。エキステンダ１６７５をサポートストラップ１６８０にさらに固定し、その位置を維持するために、第１のカプラ１６２は、図３９Ｃ及び図４０Ｂに示されるように、サポートストラップ１６８０の正面に配置された結合カプラ１６９３に解放自在に結合できるエキステンダ１６７５の背面に付着されることができる。例えば、カプラ１６９２は、エキステンダ１６７５が、係合機構１６５０の第１の部分１６５２に上部で解放自在に付着可能であり、サポートストラップ１６８０に底部で解放自在に付着できるようにループ１６７９の背面に配置されることができる。
【０１８２】
［0277］  ループ１６７６、１６７７、１６７８、１６７９は、エキステンダ１１７５について上述された材料又は布地の１つ以上の部品から形成されることができる。エキステンダ１６７５が、例えば２つ、３つ、５つ、６つ、７つ、８つ、９つ、１０等のより多くの又はより少ないループを含むことができることを理解されたい。したがって、エキステンダ１６７５は、含まれるループの数に応じて多様な長さを有することができる。いくつかの実施形態では、エキステンダ１６７５は、エキステンダ１６７５の伸縮性により外側パネル１６６０の追加の調整（例えば、カップサイズ）に対応するために、例えば弾力性のある材料又は布地で形成されることができる。言い換えると、エキステンダ１６７５の総長を増加することができる。いくつかの実施形態では、エキステンダ１６７５は、伸縮性のない材料又は布地で形成される場合があり、その場合、エキステンダの長さは使用中変わらないであろう。
【０１８３】
［0278］  エキステンダ１６７５が係合機構１６５０の第２の部分１６５４に結合され、外側パネルが第１の部分１６５２に結合された状態で、外側パネル１６６０は、外側パネル１６６０のカップサイズを達成するためにエキステンダ１６７５の選択ループ１６７６、１６７７、１６７８、１６７９に解放自在に結合されることができる。エキステンダ１６７５及び外側パネル１６６０は、係合機構１６５０の第２の部分１６５４が第１の部分１６５２に結合されるとき、このようにしてショルダーストラップ１６０６及びサポートストラップ１６８０に解放自在に結合されることができる。
【０１８４】
［0279］  使用中、下着１６００は、着用者によって着用される場合があり、例えば搾乳のために着用者の乳房へのアクセスが所望される場合、内側パネル１６７０が使用され、外側パネル１６６０（右外側パネル１６６２及び／又は左外側パネル１６６４）は、下着１４００について上述されたのと同じ方法で内側パネル１６７０（例えば、右内側パネル１６１２及び／又は左内側パネル１６１４）から外されることができる。上述されたように、（例えば、右内側パネル１６１２及び／又は左内側パネル１６１４の）内側パネル１６７０の第１の部分１６１５及び第２の部分１６１７は、それを通して着用者の乳房にアクセス可能となり、搾乳器の一部分を挿入できる開口部１６３０を生じさせるために分離する（例えば、引き伸ばす又は折り畳む）ことができる。上述されたように、中心ストラップ１６４３は、搾乳器に追加の支持を提供するために内側パネル１６７０に選択的に結合できる。内側パネル１６７０は、このようにして母乳抽出中に搾乳器を支えることができる。着用者の乳房への追加のアクセスが所望される場合、内側パネル１６７０は、下着１４００について上述されたのと同じ方法で、ショルダーストラップ１６０６及びサポートストラップ１６８０から外すことができる。内側パネル１６７０及び外側パネル１６００は、下着１４００について上述されたのと同じ方法でショルダーストラップ１６０６及びサポートストラップ１６８０に付着し直すことができる。
【０１８５】
［0280］  上述されたように、下着１６００は、内側ポンピングパネル１６７０が下着１６００から完全に取り外された状態でも使用できる。係る使用中、所望される場合、外側パネル１６６０は、ショルダーストラップ１６０６から外され、一方又は両方の乳房へ露出し、一方又は両方の乳房にアクセスするために下方に折り畳まれる又は動かされることができる。さらに、利用者が、例えば装用可能な搾乳器を装用するために外側パネル１６６０のカップのサイズを増すことを所望する場合、利用者は、上述されたようにエキステンダ１６７５を追加できる。上述されたように、中心ストラップ１６４３は、追加支持するために外側パネル１６６０に選択的に結合されてもよい。
【０１８６】
［0281］  多様な実施形態が上述されてきたが、多様な実施形態が、制限としてではなく、一例としてのみ提示されていることを理解されたい。上述された方法が、特定の順序で発生する特定の事象を示す場合、特定の事象の順序付けは修正されてよい。さらに、特定の事象は、上述されたように連続して実行されるだけではなく、可能なときに並列プロセスで同時に実行されてよい。
【０１８７】
［0282］  上述された実施形態が、特定の向き又は位置で配置された特定の構成要素を示す場合、構成要素の配置は修正されてよい。実施形態は特に示され、説明されているが、形式及び詳細の多様な変化が加えられ得ることが理解される。本明細書に説明される装置及び／又は方法の任意の部分は、相互に排他的な組合せを除き、任意の組合せ及び／又はサブコンビネーションで結合されてよい。本明細書に説明される実施形態は、説明される異なる実施形態の機能、構成要素、及び／又は特長の多様な組合せ及び／又はサブコンビネーションを含むことができる。
【図１】
2020518731.tif 000003
【図２Ａ】
2020518731.tif 000004
【図２Ｂ】
2020518731.tif 000005
【図２Ｃ】
2020518731.tif 000006
【図２Ｄ】
2020518731.tif 000007
【図２Ｅ】
2020518731.tif 000008
【図３Ａ】
2020518731.tif 000009
【図３Ｂ】
2020518731.tif 000010
【図４Ａ】
2020518731.tif 000011
【図４Ｂ】
2020518731.tif 000012
【図４Ｃ】
2020518731.tif 000013
【図５Ａ】
2020518731.tif 000014
【図５Ｂ】
2020518731.tif 000015
【図５Ｃ】
2020518731.tif 000016
【図５Ｄ】
2020518731.tif 000017
【図６Ａ】
2020518731.tif 000018
【図６Ｂ】
2020518731.tif 000019
【図７Ａ】
2020518731.tif 000020
【図７Ｂ】
2020518731.tif 000021
【図８Ａ】
2020518731.tif 000022
【図８Ｂ】
2020518731.tif 000023
【図８Ｃ】
2020518731.tif 000024
【図８Ｄ】
2020518731.tif 000025
【図８Ｅ】
2020518731.tif 000026
【図８Ｆ】
2020518731.tif 000027
【図９Ａ】
2020518731.tif 000028
【図９Ｂ】
2020518731.tif 000029
【図１０】
2020518731.tif 000030
【図１１Ａ】
2020518731.tif 000031
【図１１Ｂ】
2020518731.tif 000032
【図１１Ｃ】
2020518731.tif 000033
【図１２Ａ】
2020518731.tif 000034
【図１２Ｂ】
2020518731.tif 000035
【図１２Ｃ】
2020518731.tif 000036
【図１２Ｄ】
2020518731.tif 000037
【図１２Ｅ】
2020518731.tif 000038
【図１２Ｆ】
2020518731.tif 000039
【図１３Ａ】
2020518731.tif 000040
【図１３Ｂ】
2020518731.tif 000041
【図１３Ｃ】
2020518731.tif 000042
【図１３Ｄ】
2020518731.tif 000043
【図１３Ｅ】
2020518731.tif 000044
【図１３Ｆ】
2020518731.tif 000045
【図１４Ａ】
2020518731.tif 000046
【図１４Ｂ】
2020518731.tif 000047
【図１４Ｃ】
2020518731.tif 000048
【図１４Ｄ】
2020518731.tif 000049
【図１４Ｅ】
2020518731.tif 000050
【図１４Ｆ】
2020518731.tif 000051
【図１４Ｇ】
2020518731.tif 000052
【図１４Ｈ】
2020518731.tif 000053
【図１４Ｉ】
2020518731.tif 000054
【図１４Ｊ】
2020518731.tif 000055
【図１５Ａ】
2020518731.tif 000056
【図１５Ｂ】
2020518731.tif 000057
【図１５Ｃ】
2020518731.tif 000058
【図１６Ａ】
2020518731.tif 000059
【図１６Ｂ】
2020518731.tif 000060
【図１６Ｃ】
2020518731.tif 000061
【図１６Ｄ】
2020518731.tif 000062
【図１７Ａ】
2020518731.tif 000063
【図１７Ｂ】
2020518731.tif 000064
【図１７Ｃ】
2020518731.tif 000065
【図１７Ｄ】
2020518731.tif 000066
【図１７Ｅ】
2020518731.tif 000067
【図１７Ｆ】
2020518731.tif 000068
【図１８Ａ】
2020518731.tif 000069
【図１８Ｂ】
2020518731.tif 000070
【図１９Ａ】
2020518731.tif 000071
【図１９Ｂ】
2020518731.tif 000072
【図１９Ｃ】
2020518731.tif 000073
【図１９Ｄ】
2020518731.tif 000074
【図２０Ａ】
2020518731.tif 000075
【図２０Ｂ】
2020518731.tif 000076
【図２１Ａ】
2020518731.tif 000077
【図２１Ｂ】
2020518731.tif 000078
【図２１Ｃ】
2020518731.tif 000079
【図２２】
2020518731.tif 000080
【図２３Ａ】
2020518731.tif 000081
【図２３Ｂ】
2020518731.tif 000082
【図２３Ｃ】
2020518731.tif 000083
【図２３Ｄ】
2020518731.tif 000084
【図２４】
2020518731.tif 000085
【図２５】
2020518731.tif 000086
【図２６】
2020518731.tif 000087
【図２７】
2020518731.tif 000088
【図２８】
2020518731.tif 000089
【図２９】
2020518731.tif 000090
【図３０Ａ】
2020518731.tif 000091
【図３０Ｂ】
2020518731.tif 000092
【図３０Ｃ】
2020518731.tif 000093
【図３０Ｄ】
2020518731.tif 000094
【図３１】
2020518731.tif 000095
【図３２】
2020518731.tif 000096
【図３３】
2020518731.tif 000097
【図３４】
2020518731.tif 000098
【図３５】
2020518731.tif 000099
【図３６】
2020518731.tif 000100
【図３７】
2020518731.tif 000101
【図３８】
2020518731.tif 000102
【図３９Ａ】
2020518731.tif 000103
【図３９Ｂ】
2020518731.tif 000104
【図３９Ｃ】
2020518731.tif 000105
【図４０】
2020518731.tif 000106
【国際調査報告】
2020518731.tif 000107
2020518731.tif 000108
2020518731.tif 000109